(57)【特許請求の範囲】
【請求項１】
各々を識別可能な複数種類の識別情報の可変表示を実行して表示結果を導出表示する可変表示手段を備え、前記可変表示手段によって予め定められた特定表示結果が導出表示されたときに遊技者にとって有利な特定遊技状態に制御する遊技機であって、
前記特定遊技状態に制御するか否かを前記表示結果の導出表示前に決定する事前決定手段と、
前記事前決定手段の決定結果に基づいて、前記可変表示を開始してから表示結果が導出表示されるまでの間に前記特定表示結果とは異なる非特定表示結果を仮停止表示してから前記可変表示を再度実行する再可変表示を１回以上行ってその後に前記可変表示がリーチ状態になる再可変表示パターンを含む複数の可変表示パターンのうちのいずれかの可変表示パターンを選択する可変表示パターン選択手段と、
前記可変表示手段を制御し、前記可変表示手段に、前記可変表示パターン選択手段が選択した前記可変表示パターンにて前記可変表示を実行させる可変表示制御手段と、
前記事前決定手段の決定結果に基づいて、前記特定遊技状態に制御するか否かの可能性を示唆する示唆演出を前記可変表示手段が前記可変表示を実行している間に実行可能な示唆演出実行手段と、を備え、
前記再可変表示パターンには、前記可変表示がリーチ状態になる前と後において前記示唆演出実行手段が前記示唆演出を実行可能な第１の再可変表示パターンと、前記可変表示がリーチ状態になった後のみにおいて前記示唆演出実行手段が前記示唆演出を実行可能な第２の再可変表示パターンと、が含まれ、
前記示唆演出実行手段は、前記第１の再可変表示パターンにて実行される前記可変表示がリーチ状態になった後よりも前記第２の再可変表示パターンにて実行される前記可変表示がリーチ状態になった後の方が高い割合で前記示唆演出を実行する、
ことを特徴とする遊技機。
【請求項２】
遊技の進行に応じて、遊技者に特典を付与する遊技機であって、
前記遊技者に特典を付与するか否かを決定する特典付与決定手段と、
各々を識別可能な複数種類の識別情報の可変表示を実行する可変表示手段と、
前記特典付与決定手段の決定結果に基づいて、前記可変表示手段によって実行される複数回の前記可変表示に亘って第１の特定演出または前記第１の特定演出とは異なる第２の特定演出を実行可能な特定演出実行手段と、
前記特典が付与されるか否かの可能性を示唆する示唆演出を前記特典付与決定手段の決定結果に基づいて実行する示唆演出実行手段と、
を備え、
前記示唆演出実行手段は、前記第１の特定演出が実行されているときは前記示唆演出を実行可能であり、前記第２の特定演出が実行されているときは前記示唆演出を実行不可能であって、
さらに、前記第１の特定演出の実行終了直後から始まる第１の期間中よりも前記第２の特定演出の実行終了直後から始まる第２の期間中の方が高い割合で前記示唆演出を実行することを特徴とする遊技機。
【発明の詳細な説明】
【技術分野】
【０００１】
本発明は、パチンコ遊技機、スロットマシン等の遊技機に関する。
【背景技術】
【０００２】
遊技機としては、例えば、遊技球などの遊技媒体を発射装置によって遊技領域に発射し、遊技領域に設けられている入賞口などの入賞領域に遊技媒体が入賞すると、所定個の賞球といった景品遊技媒体が遊技者に払い出されるパチンコ遊技機がある。また、遊技機としては、例えば、遊技メダルなどの遊技媒体を投入して賭け数を設定し遊技を行うスロットマシンがある。これら遊技機は、遊技者に遊技を行わせるものであるが、遊技の進行に応じて所定の条件が成立したとき（例えば、識別情報の可変表示の表示結果が特定表示結果（大当り図柄）となった場合など）に、特典（例えば、大当り遊技状態、ボーナス、ＡＴ（アシストタイム）など）を遊技者に付与する。特典を遊技者に付与するとは、例えば、遊技機が、大当り遊技状態などの遊技者にとって有利な特定遊技状態に制御されることなどが含まれる。
【０００３】
例えば、特許文献１には、擬似連などの識別情報の再可変表示が行われる可変表示中に、一連の演出（特許文献１では、連続予告演出）を実行可能な遊技機が開示されている。
【先行技術文献】
【特許文献】
【０００４】
【特許文献１】特開２０１０−１１９６９５号公報
【発明の概要】
【発明が解決しようとする課題】
【０００５】
しかし、上記特許文献１の遊技機のように一連の演出を実行する場合、一連の演出中に、特典が付与されるか否かの可能性を示唆する示唆演出を実行することが出来ない場合がある。これは、擬似連に限らず、複数の可変表示にわたって一連の演出を行う場合も同様である。このように、示唆演出を実行することができない期間があると、このような期間がない場合に比べ、特典の付与への期待感を遊技者に対して煽ることが難しい場合があった。特典の付与への期待感は示唆演出によって煽ることが出来るが、示唆演出が実行されないことによって、この煽りが制限されてしまうからである。このため、遊技への興趣が低下してしまうことがあった。
【０００６】
この発明は、上記実状に鑑みてなされたものであり、遊技への興趣の低下を軽減又は防止した遊技機を提供することにある。
【課題を解決するための手段】
【０００７】
（１）上記目的を達成するため、本発明に係る遊技機は、
各々を識別可能な複数種類の識別情報（例えば、飾り図柄など）の可変表示を実行して表示結果（例えば、確定飾り図柄など）を導出表示する可変表示手段（例えば、画像表示装置５など）を備え、前記可変表示手段によって予め定められた特定表示結果（例えば、大当り組合せとなる確定飾り図柄など）が導出表示されたときに遊技者にとって有利な特定遊技状態（例えば、大当り遊技状態など）に制御する遊技機（例えば、パチンコ遊技機１）であって、
前記特定遊技状態に制御するか否かを前記表示結果の導出表示前に決定する事前決定手段（例えば、ステップＳ２３９で大当りにするか否かなどを決定するＣＰＵ１０３など）と、
前記事前決定手段の決定結果に基づいて、前記可変表示を開始してから表示結果が導出表示されるまでの間に前記特定表示結果とは異なる非特定表示結果を仮停止表示してから前記可変表示を再度実行する再可変表示を１回以上行ってその後に前記可変表示がリーチ状態になる再可変表示パターン（例えば、擬似連からスーパーリーチが実行される変動パターンＰＡ２−６から２−８及びＰＡ３−３から３−５など）を含む複数の可変表示パターン（例えば、図７の変動パターンなど）のうちのいずれかの可変表示パターンを選択する可変表示パターン選択手段（例えば、ステップＳ２３９での決定結果に基づいて、ステップＳ１１１で変動パターンを決定するＣＰＵ１０３など）と、
前記可変表示手段を制御し、前記可変表示手段に、前記可変表示パターン選択手段が選択した前記可変表示パターンにて前記可変表示を実行させる可変表示制御手段（例えば、ＣＰＵ１０３によって決定された変動パターンなどに基づいて、ステップＳ１７１の処理を行い、処理結果に基づいてステップＳ１７２の処理を行い、画像表示装置５で飾り図柄の可変表示を行わせる演出制御用ＣＰＵ１２０など。）と、
前記事前決定手段の決定結果に基づいて、前記特定遊技状態に制御するか否かの可能性を示唆する示唆演出（例えば、示唆演出ＡからＧ）を前記可変表示手段が前記可変表示を実行している間に実行可能な示唆演出実行手段（例えば、例えば、ＣＰＵ１０３によってステップＳ２３９での決定結果などに基づいて、ステップＳ５０８などの処理を行い、処理結果に基づいてステップＳ１７２の処理を行い、示唆演出を実行する演出制御用ＣＰＵ１２０など。）と、を備え、
前記再可変表示パターンには、前記可変表示がリーチ状態になる前（例えば、第１示唆演出実行期間など）と後（例えば、第２示唆演出実行期間など）において前記示唆演出実行手段が前記示唆演出を実行可能な第１の再可変表示パターン（例えば、演出Ａ１からＡ３の後にスーパーリーチＡが実行される変動パターンＰＡ２−６、ＰＡ３−５や、演出Ｃ１からＣ３の後にスーパーリーチＣが実行されるＰＡ２−８、ＰＡ３−５など）と、前記可変表示がリーチ状態になった後（例えば、第３示唆演出実行期間など）のみにおいて前記示唆演出実行手段が前記示唆演出を実行可能な第２の再可変表示パターン（例えば、ストーリーＢ１からＢ３の後にスーパーリーチＢが実行される変動パターンＰＡ２−７、ＰＡ３−４など）と、が含まれ、
前記示唆演出実行手段は、前記第１の再可変表示パターンにて実行される前記可変表示がリーチ状態になった後（例えば、第２示唆演出実行期間など）よりも前記第２の再可変表示パターンにて実行される前記可変表示がリーチ状態になった後（例えば、第３示唆演出実行期間など）の方が高い割合で前記示唆演出（示唆演出ＤからＧ）を実行する（例えば、図１８及び図１９の決定例のように、第３示唆演出実行期間の方が示唆演出を実行する決定割合が可変表示結果が「大当り」及び「ハズレ」の両者において高くなっている。）。
【０００８】
なお、上記識別情報の可変表示は、識別情報のみの可変表示だけでなく、適宜、識別情報の変動に伴って実行されるリーチ演出やリーチ前演出などを含むような概念であってもよい。この場合、可変表示パターンは、リーチ演出やリーチ前演出などを含めた識別情報の可変表示を示すパターン（例えば、演出制御パターンなど）である。このような場合、識別情報の可変表示態様が同じであっても、リーチ演出やリーチ前演出が異なれば、例えば、下記の変動パターンが同じであっても、識別情報の可変表示は異なるものとなり、可変表示パターンも異なるものとなる。また、前記第１の再可変表示パターンにて実行される前記可変表示がリーチ状態になった後よりも前記第２の再可変表示パターンにて実行される前記可変表示がリーチ状態になった後の方が高い割合で前記示唆演出を実行するとは、例えば、少なくとも１回前記の示唆演出が実行される確率が、前記第１の再可変表示パターンにて実行される前記可変表示がリーチ状態になった後よりも前記第２の再可変表示パターンにて実行される前記可変表示がリーチ状態になった後の方が高いことをいう。
【０００９】
上記構成によれば、第１の再可変表示パターンにて実行される可変表示がリーチ状態になった後よりも第２の再可変表示パターンにて実行される前記可変表示がリーチ状態になった後の方が、特定遊技状態に制御される期待感を煽りやすいので、第２の再可変表示パターンにて可変表示が実行された場合であっても（つまり、示唆演出が実行できない期間があったとしても）、例えば、第１の再可変表示パターンにて可変表示が実行された場合（示唆演出が実行できない期間がない場合）と同様に前記期待感を煽ることができるので、遊技への興趣の低下を軽減又は防止できる。
【００１０】
（２）上記目的を達成するため、本発明に係る遊技機は、
遊技の進行に応じて、遊技者に特典（例えば、大当り遊技状態、ボーナス、ＡＴ（アシストタイム）など）を付与する遊技機（例えば、変形例における、パチンコ遊技機１やスロットマシン５００など）であって、
前記遊技者に特典を付与するか否かを決定する特典付与決定手段（例えば、大当り遊技状態に制御するか否かなどを決定するＣＰＵ１０３や、ボーナス、ＡＴ（アシストタイム）などの付与についての抽選処理などを行う遊技制御用マイクロコンピュータ６１０など）と、
各々を識別可能な複数種類の識別情報の可変表示を実行する可変表示手段（例えば、飾り図柄表示エリア５Ｌ、５Ｃ、５Ｒや、リールユニット６５０など）と、
前記特典付与決定手段の決定結果に基づいて、前記可変表示手段によって実行される複数回の前記可変表示に亘って第１の特定演出（例えば、演出Ｄ１からＤ３、演出Ｆ１からＦ３、演出Ｇ１からＧ３など）または前記第１の特定演出とは異なる第２の特定演出（例えば、ストーリーＥ１からＥ３、ストーリーＧ１からＧ３など）を実行可能な特定演出実行手段（例えば、大当り遊技状態に制御するか否かなどの決定結果に基づいて前記演出を行う演出制御用ＣＰＵ１２０や、抽選処理などに基づいて前記演出を行う演出制御用ＣＰＵ６３０など、）と、
前記特典が付与されるか否かの可能性を示唆する示唆演出を前記特典付与決定手段の決定結果に基づいて実行する示唆演出実行手段（例えば、大当り遊技状態に制御するか否かなどの決定結果に基づいて示唆演出を行う演出制御用ＣＰＵ１２０や、抽選処理などに基づいて示唆演出を行う演出制御用ＣＰＵ６３０など、）と、
を備え、
前記示唆演出実行手段は、前記第１の特定演出が実行されているときは前記示唆演出を実行可能であり、前記第２の特定演出が実行されているときは前記示唆演出を実行不可能であって（例えば、ストーリーＥ１からＥ３、ストーリーＧ１からＧ３の演出実行中には示唆演出が実行されないなど）、
さらに、前記第１の特定演出の実行終了直後から始まる第１の期間（例えば、スーパーリーチＡ又はＣ、連続演出Ａの実行期間など）中よりも前記第２の特定演出の実行終了直後から始まる第２の期間（例えば、スーパーリーチＢ、連続演出Ｂの実行期間など）中の方が高い割合で前記示唆演出を実行する。
【００１１】
上記構成によれば、第１期間よりも第２期間の方が、特典が付与される期待感を煽りやすいので、第２の特定演出が実行された場合であっても（つまり、示唆演出が実行できない期間があったとしても）、例えば、第１の特定演出が実行された場合（示唆演出が実行できない期間がない場合）と同様に前記期待感を煽ることができるので、遊技への興趣の低下を軽減又は防止できる。なお、前記第１の特定演出の実行終了直後から始まる第１の期間中よりも前記第２の特定演出の実行終了直後から始まる第２の期間中の方が高い割合で前記示唆演出を実行するとは、例えば、少なくとも１回前記の示唆演出が実行される確率が、第１の期間中よりも第２の期間中の方が高いことをいう。
【００１２】
（３）上記（１）における遊技機において、
前記可変表示パターン選択手段は、前記第２の再可変表示パターン（例えば、擬似連Ｃの後にスーパーリーチＣが実行されるＰＡ２−８、ＰＡ３−５）を選択した場合に前記事前決定手段によって前記特定遊技状態に制御すると決定されている可能性（例えば、大当り期待度など）よりも前記第１の再可変表示パターン（例えば、擬似連Ｂの後にスーパーリーチＢが実行されるＰＡ２−７、ＰＡ３−４）を選択した場合に前記事前決定手段によって前記特定遊技状態に制御すると決定されている可能性の方が高くなるように、前記可変表示パターンを選択する（例えば、図８の決定例参照）、
ようにしもてよい。
【００１３】
上記構成によれば、第２の再可変表示パターンにて可変表示が実行されている場合に、特定遊技状態に制御すると決定されている可能性が低くなるが、示唆演出は実行されやすいので、第２の再可変表示パターンにて可変表示が実行された場合にも特典の付与への期待感を煽ることができる。
【００１４】
（４）上記（２）における遊技機において、
前記特定演出実行手段は、前記特典付与決定手段によって前記特典を付与すると決定されている可能性（例えば、大当り期待度など）が、前記第２の特定演出（例えば、ストーリーＥ１からＥ３、ストーリーＧ１からＧ３など）を実行した場合よりも前記第１の特定演出（例えば、演出Ｆ１からＦ３、演出Ｇ１からＧ３など）を実行した場合の方が高くなるように、前記第１の特定演出または前記第２の特定演出を実行する（例えば、演出Ｆ１からＦ３、演出Ｇ１からＧ３などの方が大当り期待度が大きい。）、
ようにしてもよい。
【００１５】
上記構成によれば、第２の特定演出が実行されている場合に特典が付与されると決定されている可能性が低くなるが、その後の第２の期間では、示唆演出は実行されやすいので、第２の特定演出が実行された場合の第２の期にも特典の付与への期待感を煽ることができる。
【００１６】
（５）上記（１）から（４）のいずれかにおける遊技機において、
前記示唆演出実行手段は、前記第１の再可変表示パターンにおける前記再可変表示の回数と前記第２の再可変表示パターンにおける前記再可変表示の回数とが同じである場合、又は、前記第１の特定演出が実行されるときの前記可変表示の回数と前記第２の特定演出が実行されるときの前記可変表示の回数とが同じである場合に、前記第１の再可変表示パターンで前記リーチ状態になった後よりも前記第２の再可変表示パターンで前記リーチ状態になった後の方が高い割合で前記示唆演出を実行する、又は、前記第１の期間中よりも前記第２の期間中の方が高い割合で前記示唆演出を実行する（例えば、演出制御用ＣＰＵ１２０や演出制御用ＣＰＵ６３０は、再可変表示又は可変表示（ゲーム）の回数が同じときに、第２の再可変表示パターンにおけるリーチ成立後又は第２の期間に、第１の再可変表示パターンにおけるリーチ成立後又は第１の期間よりも、示唆演出を実行しやすい。）、
ようにしてもよい。
【００１７】
上記構成によれば、上記（１）又は（２）と同様に、遊技への興趣の低下を軽減又は防止できる。
【００１８】
（６）上記（１）から（４）のいずれかにおける遊技機において、
前記第１の再可変表示パターンにて実行される前記可変表示がリーチ状態になった後（例えば、第２示唆演出実行期間など）よりも前記第２の再可変表示パターンにて実行される前記可変表示がリーチ状態になった後（例えば、第３示唆演出実行期間など）の方が、又は、前記第１の期間中よりも前記第２の期間中の方が、前記示唆演出実行手段によって前記示唆演出が実行されることが可能なタイミングの数が多い（例えば、スーパーリーチＡ又はＣや連続演出Ａでは、示唆演出が３回実行可能であるが、スーパーリーチＢや連続演出Ｂでは、示唆演出が１回実行可能である。）、
ようにしてもよい。
【００１９】
上記構成によれば、前記第２の再可変表示パターンにて実行される前記可変表示がリーチ状態になった後の方が、又は、第２の期間の方が、示唆演出の実行回数が多くなるので、特典の付与への期待感を煽るポイントが多くなり、例えば、第１の再可変表示パターンにて可変表示が実行されたり、第１の特定演出が実行されたりした場合と同様に、特典の付与への期待感を煽ることができ、遊技への興趣の低下を軽減又は防止できる。
【００２０】
（７）上記（１）から（５）のいずれかにおける遊技機において、
前記遊技者からの操作を受け付ける操作部（例えば、操作ボタン３０）を備え、
前記示唆演出実行手段は、所定のタイミングにて前記操作部が前記遊技者からの所定の操作を受け付けたことに応答して前記示唆演出を実行可能であり、前記所定のタイミングにて前記操作部が前記遊技者からの前記所定の操作を受け付けなかった場合には、前記所定のタイミングの後のタイミングで前記示唆演出を実行可能である（例えば、図２６の処理を行う演出制御用ＣＰＵ１２０など）、
ようにするとよい。
【００２１】
「前記所定のタイミングの後のタイミングで前記示唆演出を実行可能である」とは、操作部が遊技者からの所定の操作を受け付けた場合に「後のタイミング」で実行予定だった示唆演出を、他の示唆演出に置き換えて実行することや、操作部が遊技者からの所定の操作を受け付けた場合に「後のタイミング」で実行する予定のなかった示唆演出を実行することを含む。
【００２２】
上記構成によれば、所定の操作が行われなかったことによって示唆演出が実行されない場合であっても、示唆演出の実行機会が確保されるので、特典が付与されることへの期待感を煽る機会を確保でき、遊技への興趣が向上する。
【００２３】
（８）上記（１）における遊技機において、
前記可変表示パターン選択手段は、前記事前決定手段の決定結果に基づいて、前記複数の可変表示パターンのうちから前記再可変表示を行わない非再可変表示パターンを選択可能であり、
前記可変表示制御手段は、前記可変表示パターン選択手段が選択した前記非再可変表示パターンにて実行する前記可変表示における可変表示開始からの所定期間と、前記可変表示パターン選択手段が選択した再可変表示パターンにて実行する前記可変表示における可変表示開始からの所定期間であって前記再可変表示前の所定期間と、で共通の態様の可変表示を実行する（例えば、図４０参照）、
ようにしてもよい。
【００２４】
（９）上記（２）における遊技機において、
前記特定演出実行手段は、前記第１の特定演出又は前記第２の特定演出を実行するときの最初の前記可変表示における可変表示開始からの所定期間と、前記第１の特定演出及び前記第２の特定演出を実行しない前記可変表示における可変表示開始からの所定期間とで、同じ態様の演出を実行する（例えば、図４０参照）、
ようにしてもよい。
【００２５】
上記（８）及び（９）の構成によれば、所定期間において共通の態様の演出が実行されるので、共通の態様の演出の実行時において、後に再可変表示が実行されることや複数回の可変表示にわたる特定演出の実行などを遊技者は期待でき、遊技への興趣が向上する。
【００２６】
（１０）上記（１）から（９）のいずれかにおける遊技機において、
前記示唆演出実行手段は、
第１のタイミング（例えば、示唆演出Ｅ実行期間など）にて、前記示唆演出として、第１の示唆演出（例えば、高示唆演出など）と、実行されたときに前記事前決定手段によって前記特定遊技状態に制御すると決定されている可能性又は実行されたときに前記特典付与決定手段によって前記特典を付与すると決定されている可能性（例えば、大当り期待度など）が前記第１の示唆演出よりも低い第２の示唆演出（例えば、低示唆演出など）と、のうちのいずれかを実行可能であり、
前記第１のタイミングよりも遅い第２のタイミング（例えば、示唆演出Ｆ実行期間など）にて、前記示唆演出として、第３の示唆演出（例えば、高示唆演出など）と、実行されたときに前記事前決定手段によって前記特定遊技状態に制御すると決定されている可能性又は実行されたときに前記特典付与決定手段によって前記特典を付与すると決定されている可能性（例えば、大当り期待度など）が前記第３の示唆演出よりも低い第４の示唆演出（例えば、低示唆演出など）と、のうちのいずれかを実行可能であり、
前記第１のタイミングで前記第１の示唆演出を実行した場合には、前記第２のタイミングで前記第３の示唆演出を必ず実行するか、実行しやすい（例えば、図１９や変形例を参照すると、示唆演出Ｅとして高示唆演出が実行された場合には、示唆演出Ｆとして高示唆演出が必ず実行されるか、実行されやすくなっている。）。
【００２７】
上記構成によれば、前記可能性が第１のタイミングにおいて比較的高い第１の示唆演出が実行されたあとに、前記可能性が第２のタイミングにおいて比較的低い第４の示唆演出が実行されることが防止又は実行されにくくなっている、又は、第２のタイミングにおいて示唆演出が実行されないことが防止又は第３の示唆演出が実行されやすいので、第１のタイミングにおいて前記可能性が比較的高い示唆演出が実行されたあとに、第２のタイミングにおいて前記可能性が比較的低い示唆演出が実行されたこと又は示唆演出が実行されないによって前記の期待感が損なわれることを防止するか、期待感が損なわれる度合いを小さくすることができ、遊技への興趣の低下を防止又は軽減できる。
【図面の簡単な説明】
【００２８】
【図１】この発明の一実施形態におけるパチンコ遊技機の正面図である。
【図２】パチンコ遊技機に搭載された各種の制御基板などを示す構成図である。
【図３】特別図柄プロセス処理の一例を示すフローチャートである。
【図４】特別図柄通常処理の一例を示すフローチャートである。
【図５】特図表示結果や大当り種別の決定例を示す説明図である。
【図６】変動パターン設定処理の一例を示すフローチャートなどである。
【図７】変動パターンの一例を示す図である。
【図８】変動パターンの決定例を示す説明図である。
【図９】演出制御プロセス処理の一例を示すフローチャートである。
【図１０】可変表示開始設定処理の一例を示すフローチャートなどである。
【図１１】各擬似連、各スーパーリーチを説明する図である。
【図１２】第１示唆演出期間と示唆演出ＡからＣとの関係を説明する図である。
【図１３】第２示唆演出期間と示唆演出Ｄとの関係を説明する図である。
【図１４】第３示唆演出期間と示唆演出ＥからＧとの関係を説明する図である。
【図１５】示唆演出決定処理の一例を示すフローチャートなどである。
【図１６】示唆演出の実行決定例を示す図である。
【図１７】示唆演出ＡからＣの実行パターンの決定例を示す図である。
【図１８】示唆演出Ｄの実行パターンの決定例を示す図である。
【図１９】示唆演出ＥからＧの実行パターンの決定例を示す図である。
【図２０】可変表示中演出処理の一例を示すフローチャートである。
【図２１】演出Ｃ１からＣ３の表示画像例を示す図である。
【図２２】スーパーリーチＣの表示画像例を示す図である。
【図２３】ストーリーＢ１からＢ３の表示画像例を示す図である。
【図２４】スーパーリーチＢの表示画像例を示す図である。
【図２５】各種示唆演出の表示画像例を示す図である。
【図２６】変形例にかかるリーチ演出及び示唆演出動作制御の処理の一例を示すフローチャートである。
【図２７】示唆演出が実行されなかった場合の示唆演出の変更を説明する図である。
【図２８】示唆演出決定処理の変形例を示すフローチャートである。
【図２９】示唆演出の各種決定例を示す図である。
【図３０】変形例における複数回の可変表示にわたって実行される各演出を説明する図である。
【図３１】各示唆演出期間と各示唆演出との関係を説明する図である。
【図３２】変形例に係る変動パターンの一例を示す図である。
【図３３】変形例に係る変動パターンの決定例を示す説明図である。
【図３４】変形例に係る入賞時乱数値判定処理の一例を示すフローチャートである。
【図３５】変形例に係る入賞時判定結果指定コマンドの内容例を示す図である。
【図３６】変形例に係る保留記憶の一例を示す図である。
【図３７】変形例に係る演出制御プロセス処理の一例を示すフローチャートである。
【図３８】変形例に係る連続演出決定処理の一例を示すフローチャートなどである。
【図３９】変形例に係る示唆演出の設定処理の一例を示すフローチャートなどである。
【図４０】各種演出の演出態様を説明するための説明図である。
【図４１】本発明における他の例のスロットマシンの正面図である。
【図４２】スロットマシンに搭載された各種の制御基板などを示す構成図である。
【図４３】各示唆演出期間と各示唆演出との関係を説明する図である。
【発明を実施するための形態】
【００２９】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００３０】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。
【００３１】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００３２】
第１特別図柄表示装置４Ａと第２特別図柄表示装置４Ｂとはそれぞれ、特別図柄の可変表示後に、上記の可変表示の結果として、確定特別図柄を導出表示（ここでは、停止表示）する。可変表示中に表示される特別図柄と、確定特別図柄（つまり、導出表示される可変表示結果）とは同じであっても良いし、異なるものであってもよい。つまり、第１特別図柄表示装置４Ａと第２特別図柄表示装置４Ｂとのうちの少なくとも一方は、ルーレットのように可変表示する複数の特別図柄のうちのいずれかの特別図柄を確定特別図柄（つまり、可変表示結果）として導出表示してもよいし（例えば、「０」〜「９」を可変表示して、「１」を確定特別図柄として表示する。）、可変表示する複数の特別図柄以外の特別図柄を確定特別図柄（つまり、可変表示結果）として導出表示してもよい（例えば、「０」〜「９」を可変表示して、「−」を確定特別図柄として表示する。）。
【００３３】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００３４】
一例として、画像表示装置５の表示領域には、「左」、「中」、「右」の飾り図柄表示エリア５Ｌ、５Ｃ、５Ｒが配置されている。そして、第１特別図柄表示装置４Ａによる第１特図の変動と第２特別図柄表示装置４Ｂによる第２特図の変動のうち、いずれかの特図ゲームが開始されることに対応して、「左」、「中」、「右」の各飾り図柄表示エリア５Ｌ、５Ｃ、５Ｒでは飾り図柄の変動（例えば上下方向のスクロール表示、飾り図柄の拡大・縮小など）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、識別可能な複数種類の飾り図柄の可変表示には、可変表示の開始時には表示されていなかった新たな飾り図柄が登場して変動する態様があってもよい。
【００３５】
なお、特別図柄と同様に、可変表示中に表示される飾り図柄と、確定飾り図柄（つまり、導出表示される可変表示結果）を構成する飾り図柄とは同じであっても良いし、異なるものであってもよい。各飾り図柄表示エリア５Ｌ、５Ｃ、５Ｒにおいて、例えば、「０」〜「９」を可変表示して、「１」を確定飾り図柄として表示してもよいし、例えば、「０」〜「９」を可変表示して、「０」〜「９」以外の飾り図柄を確定飾り図柄として表示してもよい。
【００３６】
図１に示すパチンコ遊技機１の構成例では、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００３７】
第１特図保留記憶数は、例えば第１始動入賞口に遊技球が進入（例えば、通過）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ１加算（インクリメント）される。これにより、第１特図を用いた特図ゲームの実行が保留される。
【００３８】
第２特図保留記憶数は、例えば第２始動入賞口に遊技球が進入（例えば、通過）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ１加算（インクリメント）される。これにより、第２特図を用いた特図ゲームの実行が保留される。
【００３９】
第１特図を用いた特図ゲームの実行が開始されるときには、第１特図保留記憶数が１減算（デクリメント）される。第２特図を用いた特図ゲームの実行が開始されるときには、第２特図保留記憶数が１減算（デクリメント）される。このように、普通入賞球装置６Ａが形成する第１始動入賞口や普通可変入賞球装置６Ｂが形成する第２始動入賞口に遊技球が進入（始動入賞）したことに基づき、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態または小当り遊技状態に制御されていることなどにより、可変表示ゲームを開始するための開始条件は成立していないときには、可変表示の保留が発生する。
【００４０】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００４１】
第１保留表示器２５Ａや第２保留表示器２５Ｂとともに、あるいは、これらの保留表示器に代えて、画像表示装置５の表示領域に始動入賞記憶数表示エリアを設けてもよい。すなわち、始動入賞記憶表示エリアでは、可変表示の保留数（特図保留記憶数）を特定可能に表示する保留記憶表示が行われる。
【００４２】
画像表示装置５の表示領域における所定縁部の近傍には、可動演出部材６０が設けられている。一例として、表示領域が横長の方形状（横向きの長方形）である場合には、長辺（例えば上縁部となる上辺）における外周縁部の近傍にて表示領域の周囲を装飾する装飾部材の内部または外部に、可動演出部材６０が収容されていればよい。このように、可動演出部材６０は、画像表示装置５における表示領域の所定端部に近接して設けられたものであればよい。図１では、可動演出部材６０が装飾部材の内部に収容されることを、破線により示している。
【００４３】
可動演出部材６０は、図２に示す可動演出部材用モータ６１の回転駆動により、画像表示装置５における表示領域の前面に進出する演出用模型（演出用役物装置）を構成するものであればよい。すなわち、可動演出部材６０は、表示領域の周囲を装飾する装飾部材の内部または外部に収容された退避位置と、表示領域の前面に進出した進出位置とのあいだで、移動可能なものであってもよい。このとき、退避位置から進出位置へと向かう方向は、画像表示装置５における表示領域の所定縁部（例えば上縁部となる上辺）から他の縁部（例えば下縁部となる下辺）へと向かう方向であればよい。なお、所定縁部から他の縁部に達するまで進出してもよいし、他の縁部に達するより前（例えば表示領域の中央部）に進出位置となるようにしてもよい。なお、可動演出部材６０は、表示領域の前面に進出可能なものに限定されず、例えば回転装飾体を用いて構成され、表示領域の近傍にて回転する演出動作を行うものであってもよい。
【００４４】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用のソレノイド８１によって垂直位置となる閉鎖状態と傾動位置となる開放状態とに変化する一対の可動翼片を有する電動チューリップ型役物（普通電動役物）を備え、第２始動入賞口を形成する。
【００４５】
一例として、普通可変入賞球装置６Ｂでは、普通電動役物用のソレノイド８１がオフ状態であるときに可動翼片が垂直位置となることにより、第２始動入賞口に遊技球が進入（ここでは、通過）しない閉鎖状態にする。その一方で、普通可変入賞球装置６Ｂでは、普通電動役物用のソレノイド８１がオン状態であるときに可動翼片が傾動位置となることにより、第２始動入賞口に遊技球が進入（ここでは、通過）できる開放状態にする。なお、普通可変入賞球装置６Ｂは、ソレノイド８１がオフ状態であるときに通常開放状態となり、第２始動入賞口に遊技球が進入できる一方、ソレノイド８１がオン状態であるときの拡大開放状態よりも遊技球が進入しにくいように構成してもよい。このように、普通可変入賞球装置６Ｂは、第２始動入賞口に遊技球が進入可能な開放状態または拡大開放状態といった第１可変状態と、遊技球が進入不可能な閉鎖状態または進入困難な通常開放状態といった第２可変状態とに、変化できるように構成されている。
【００４６】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数（例えば３個）の遊技球が賞球（景品遊技媒体）として払い出され、第１保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２保留記憶数が所定の上限値以下であれば、第２始動条件が成立する。
【００４７】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００４８】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００４９】
一例として、特別可変入賞球装置７では、大入賞口扉用のソレノイド８２がオフ状態であるときに大入賞口扉が大入賞口を閉鎖状態として、遊技球が大入賞口に進入（ここでは、通過）できなくする。その一方で、特別可変入賞球装置７では、大入賞口扉用のソレノイド８２がオン状態であるときに大入賞口扉が大入賞口を開放状態として、遊技球が大入賞口に進入しやすくする。このように、特定領域としての大入賞口は、遊技球が進入しやすく遊技者にとって有利な開放状態と、遊技球が進入できず遊技者にとって不利な閉鎖状態とに変化する。なお、遊技球が大入賞口に進入できない閉鎖状態に代えて、あるいは閉鎖状態の他に、遊技球が大入賞口に進入しにくい一部開放状態を設けてもよい。
【００５０】
大入賞口に進入した遊技球は、例えば図２に示すカウントスイッチ２３によって検出される。カウントスイッチ２３によって遊技球が検出されたことに基づき、所定個数（例えば１４個）の遊技球が賞球として払い出される。こうして、特別可変入賞球装置７において開放状態となった大入賞口に遊技球が進入したときには、例えば第１始動入賞口や第２始動入賞口といった、他の入賞口に遊技球が進入したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態（又は一部開放状態）となれば、大入賞口に遊技球を進入させて賞球を得ることが不可能または困難になり、遊技者にとって不利な第２状態となる。
【００５１】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００５２】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００５３】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、例えば、打球発射装置が備える発射モータの駆動を停止させるための単発発射スイッチや、タッチリング（タッチセンサ）が設けられていればよい。
【００５４】
遊技領域の下方における遊技機用枠３の所定位置には、賞球として払い出された遊技球や所定の球貸機により貸し出された遊技球を、打球発射装置へと供給可能に保持（貯留）する打球供給皿が設けられている。打球供給皿を形成する部材には、遊技者により操作可能な操作部３０が取り付けられている。操作部３０は、押しボタンスイッチからなる平面視で円形の操作ボタンを含んで構成されている。操作部３０に対してなされた遊技者の操作行為は、それぞれ図２に示す操作検出スイッチ３１によって検出される。
【００５５】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板、情報端子基板、発射制御基板、インタフェース基板、タッチセンサ基板などといった、各種の基板が配置されている。
【００５６】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号を受信する機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００５７】
主基板１１には、例えば遊技制御用マイクロコンピュータ１００やスイッチ回路１１０、ソレノイド回路１１１などが搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１や大入賞口扉用のソレノイド８２に伝送する。
【００５８】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９や装飾用ＬＥＤといった演出用の電気部品による演出動作を制御するための各種回路が搭載されている。例えば、演出制御基板１２は、画像表示装置５における表示動作や、スピーカ８Ｌ、８Ｒからの音声出力動作の全部または一部、遊技効果ランプ９や装飾用ＬＥＤなどにおける点灯／消灯動作の全部または一部といった、演出用の電気部品に所定の演出動作を実行させるための制御内容を決定する機能を備えている。なお、演出制御基板１２は、操作検出スイッチ３１から伝送された操作検出信号を受信して所定の制御を行う機能も備えている。
【００５９】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や装飾用ＬＥＤなどにおける点灯／消灯駆動を行うランプドライバ回路などが搭載されている。操作検出スイッチ３１は、操作部３０に対してなされた遊技者の操作行為を検出するものであり、遊技者の操作行為を表す操作検出信号を演出制御基板１２に供給する。
【００６０】
図２に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０などの表示制御を行うための指令信号を伝送する配線が接続されている。
【００６１】
主基板１１から演出制御基板１２に向けて伝送される制御信号（制御コマンド）は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。
【００６２】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００６３】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００６４】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００６５】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００６６】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータなどが、記憶されている。
【００６７】
遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。こうしたＲＡＭ１０２には、パチンコ遊技機１における遊技の進行などを制御するために用いられる各種のデータが記憶される。
【００６８】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００６９】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０が表示制御指令（表示制御信号）を表示制御部１２３に供給し表示制御部１２３を制御する表示制御動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００７０】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。さらに、演出制御基板１２には、可動演出部材６０を動作させる可動演出部材用モータ６１を駆動するためのモータ駆動回路１６に対して所定の駆動指令信号を伝送するための配線も接続されている。さらに、演出制御基板１２には、操作検出スイッチ３１から供給される操作検出信号を伝送する配線も接続されている。
【００７１】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【００７２】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御基板１２に搭載されたＲＡＭ１２２には、演出動作を制御するために用いられる各種データが記憶される。
【００７３】
演出制御基板１２に搭載された表示制御部１２３は、演出制御用ＣＰＵ１２０からの表示制御指令（表示制御信号）などに基づき、画像表示装置５における表示動作の制御内容を決定する。例えば、表示制御部１２３は、画像表示装置５の表示領域内に表示させる演出画像の切換タイミングを決定することなどにより、飾り図柄の可変表示や各種の演出表示を実行させるための制御を行う。一例として、表示制御部１２１には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００７４】
演出制御基板１２に搭載されたＩ／Ｏ１２５は、例えば主基板１１などから伝送された演出制御コマンド、操作検出スイッチ３１から伝送された操作検出信号などを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）、モータ駆動回路１６へと伝送される指令（駆動制御信号）などが出力される。
【００７５】
上記のような構成によって、演出制御用ＣＰＵ１２０は、音声制御基板１３を介してスピーカ８Ｌ、８Ｒを制御して音声を出力させたり、ランプ制御基板１４を介して遊技効果ランプ９や装飾用ＬＥＤなどにおける点灯／消灯駆動を行わせたり、表示制御部１２３を介して画像表示装置５の表示領域に演出画像を表示させたり、モータ駆動回路１６を介して可動演出部材６０を動かしたりして、各種の演出（リーチ演出や示唆演出など、遊技の盛り上げるための演出など）を実行する。
【００７６】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、普通入賞球装置６Ａに形成された第１始動入賞口（第１始動領域）を進入する始動入賞（第１始動入賞）が発生したときに、図２に示す第１始動口スイッチ２２Ａによって遊技球が検出されたことなどにより、第１始動条件が成立する。その後、例えば前回の特図ゲームや大当り遊技状態または小当り遊技状態が終了したことなどにより第１開始条件が成立したことに基づいて、第１特別図柄表示装置４Ａによる第１特図を用いた特図ゲームが開始される。
【００７７】
また、遊技球が普通可変入賞球装置６Ｂに形成された第２始動入賞口（第２始動領域）を進入する始動入賞（第２始動入賞）が発生したときに、図２に示す第２始動口スイッチ２２Ｂによって遊技球が検出されたことなどにより第２始動条件が成立する。その後、例えば前回の特図ゲームや大当り遊技状態または小当り遊技状態が終了したことなどにより第２開始条件が成立したことに基づいて、第２特別図柄表示装置４Ｂによる第２特図を用いた特図ゲームが開始される。ただし、普通可変入賞球装置６Ｂが第２可変状態としての通常開放状態や閉鎖状態であるときには、第２始動入賞口を遊技球が通過困難または通過不可能である。
【００７８】
通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００７９】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果（特図表示結果）を予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図２に示す主基板１１の遊技制御用マイクロコンピュータ１００から演出制御基板１２に向けて伝送される。
【００８０】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリア５Ｌ、５Ｃ、５Ｒでは、特別図柄とは異なる飾り図柄（演出図柄）の可変表示が行われる。第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。
【００８１】
特別図柄の可変表示結果として予め定められた大当り図柄が導出表示されたときには、可変表示結果（特図表示結果）が「大当り」（特定表示結果）となり、遊技者にとって有利な特定遊技状態としての大当り遊技状態に制御される。すなわち、大当り遊技状態に制御されるか否かは、可変表示結果が「大当り」となるか否かに対応しており、その可変表示結果を導出表示する以前に決定（事前決定）される。特別図柄の可変表示結果として、大当り図柄とは異なる小当り図柄が導出表示されたときには、可変表示結果（特図表示結果）が「小当り」（特殊表示結果）となり、特定遊技状態とは異なる特殊遊技状態としての小当り遊技状態に制御される。特別図柄の可変表示結果として、大当り図柄と小当り図柄のいずれも導出表示されず、ハズレ図柄が導出表示されたときには、可変表示結果（特図表示結果）が「ハズレ」となる。
【００８２】
一例として、「３」、「５」、「７」の数字を示す特別図柄を大当り図柄とし、「１」の数字を示す特別図柄を小当り図柄とし、「−」の記号を示す特別図柄をハズレ図柄とする。なお、第１特別図柄表示装置４Ａによる特図ゲームにおける大当り図柄や小当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄や小当り図柄やハズレ図柄となるようにしてもよい。
【００８３】
大当り遊技状態では、大入賞口が開放状態となって特別可変入賞球装置７が遊技者にとって有利な第１状態となる。そして、所定期間（例えば２９秒間または０．１秒間）あるいは所定個数（例えば９個）の遊技球が大入賞口に進入して入賞球が発生するまでの期間にて、大入賞口を継続して開放状態とするラウンド遊技（単に「ラウンド」ともいう）が実行される。こうしたラウンド遊技の実行期間以外の期間では、大入賞口が閉鎖状態（又は一部開放状態）となり、入賞球が発生不可能（又は発生困難）となる。大入賞口に遊技球が進入したときには、カウントスイッチ２３により入賞球が検出され、その検出ごとに所定個数（例えば１４個）の遊技球が賞球として払い出される。大当り遊技状態におけるラウンド遊技は、所定の上限回数（例えば「１４」）に達するまで繰返し実行される。
【００８４】
特図表示結果が「大当り」となる場合には、大当り種別が「非確変」、「確変」、「突確」のいずれかとなる場合が含まれている。例えば、特別図柄の可変表示結果として、「３」の数字を示す大当り図柄が導出表示されたときには大当り種別が「非確変」となり、「７」の数字を示す大当り図柄が導出表示されたときには大当り種別が「確変」となり、「５」の数字を示す大当り図柄が導出表示されたときには大当り種別が「突確」となる。大当り種別が「非確変」または「確変」となった場合には、大当り遊技状態におけるラウンド遊技として、特別可変入賞球装置７を遊技者にとって有利な第１状態（大入賞口を開放状態）とする上限時間が比較的に長い時間（例えば２９秒など）となる通常開放ラウンドが実行される。一方、大当り種別が「突確」となった場合には、大当り遊技状態におけるラウンド遊技として、特別可変入賞球装置７を第１状態（大入賞口を開放状態）とする上限時間が比較的に短い時間（例えば０．１秒など）となる短期開放ラウンドが実行される。通常開放ラウンドが実行される大当り遊技状態は、第１特定遊技状態ともいう。短期開放ラウンドが実行される大当り遊技状態は、第２特定遊技状態ともいう。
【００８５】
大当り種別が「突確」である場合の大当り遊技状態では、短期開放ラウンドにて特別可変入賞球装置７を遊技者にとって有利な第１状態に変化させる上限時間（大入賞口扉により大入賞口を開放状態とする期間の上限）が、通常開放ラウンドにおける第１期間よりも短い第２期間（例えば０．１秒間）となる。なお、短期開放ラウンドにて大入賞口の開放期間が第２期間となるように制御される以外は、通常開放ラウンドが実行される場合と同様の制御が行われるようにしてもよい。あるいは、短期開放ラウンドが実行される場合には、ラウンド遊技の実行回数が、通常開放ラウンドの実行回数である第１ラウンド数（例えば「１４」）よりも少ない第２ラウンド数（例えば「２」）となるようにしてもよい。すなわち、短期開放ラウンドが実行される大当り遊技状態は、通常開放ラウンドが実行される大当り遊技状態に比べて、各ラウンド遊技にて大入賞口を遊技球が通過（進入）しやすい第１状態に変化させる期間が第１期間よりも短い第２期間となることと、ラウンド遊技の実行回数が第１ラウンド数よりも少ない第２ラウンド数となることのうち、少なくともいずれか一方となるものであればよい。
【００８６】
このような短期開放ラウンドが実行される場合には、大入賞口に遊技球が入賞すれば所定個数（例えば１４個）の出玉（賞球）が得られる。しかし、大入賞口の開放期間が第２期間（０．１秒間など）であることなどにより、実質的には出玉（賞球）が得られない大当り遊技状態となる。
【００８７】
特別図柄の可変表示結果として予め定められた小当り図柄が導出表示されたときには、可変表示結果（特図表示結果）が「小当り」となり、特殊遊技状態としての小当り遊技状態に制御される。この小当り遊技状態では、短期開放ラウンドと同様に特別可変入賞球装置７において大入賞口を開放状態として遊技者にとって有利な第１状態に変化させる可変入賞動作が行われる。すなわち、小当り遊技状態では、例えば特別可変入賞球装置７を第２期間にわたり第１状態とする動作が繰返し実行される。小当り遊技状態が終了した後には、可変表示結果が「小当り」となる以前の遊技状態が維持されればよい。
【００８８】
大当り遊技状態が終了した後には、所定の確変制御条件が成立したことに基づいて、可変表示結果が「大当り」となる確率（大当り確率）が通常状態よりも高くなる確変状態に制御されることがある。確変状態は、所定回数の可変表示が実行されること、あるいは次回の大当り遊技状態が開始されることといった、所定の確変終了条件が成立するまで、継続するように制御される。また、大当り遊技状態が終了した後には、平均的な可変表示時間が通常状態よりも短くなる時短状態に制御されることがある。時短状態は、所定回数の可変表示が実行されたことと、次回の大当り遊技状態が開始されたことのうち、いずれか一方の時短終了条件が先に成立するまで、継続するように制御される。
【００８９】
一例として、大当り種別が「非確変」である場合に大当り遊技状態が終了した後には、遊技状態が時短状態となる。一方、大当り種別が「確変」または「突確」である場合に大当り遊技状態が終了した後には、遊技状態が確変状態及び時短状態となる。小当り遊技状態が終了した後には、小当り遊技状態となる以前の遊技状態が継続する。ただし、可変表示結果が「小当り」となる特図ゲームが実行されたときに、時短状態における特図ゲームの実行回数が所定回数に達していれば、小当り遊技状態の終了後には、時短状態が終了して通常状態になることがある。
【００９０】
確変状態や時短状態では、通常状態よりも第２始動入賞口を遊技球が進入しやすい有利変化態様で、普通可変入賞球装置６Ｂを第１可変状態（開放状態または拡大開放状態）と第２可変状態（閉鎖状態または通常開放状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御（「高ベース制御」ともいう）と称される。こうした確変状態や時短状態に制御されることにより、次に可変表示結果が「大当り」となるまでの所要時間が短縮され、通常状態よりも遊技者にとって有利な特別遊技状態となる。
【００９１】
確変状態にて確変制御が行われるときでも、高開放制御が行われない場合があってもよい。例えば高開放制御が行われていないときに可変表示結果が「大当り」で大当り種別が「突確」となった場合には、大当り遊技状態の終了後に確変状態となり確変制御が行われるものの、高開放制御が行われないようにしてもよい。なお、可変表示結果が「大当り」で大当り種別が「突確」となる以前の遊技状態が確変状態や時短状態であって高開放制御を伴う時短制御が行われていたときには、大当り遊技状態の終了後も高開放制御を伴う時短制御が行われるようにしてもよい。
【００９２】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【００９３】
また、パチンコ遊技機１において付与可能となる遊技価値は、賞球となる遊技球の払出しや得点の付与に限定されず、例えば大当り遊技状態に制御することや、確変状態などの特別遊技状態に制御すること、大当り遊技状態にて実行可能なラウンド遊技の上限回数が第２ラウンド数（例えば「７」）よりも多い第１ラウンド数（例えば「１４」）となること、時短状態にて実行可能な可変表示の上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に繰り返し制御される回数である連チャン回数が第２連チャン数（例えば「５」）よりも多い第１連チャン数（例えば「１０」）となることの一部または全部といった、遊技者にとってより有利な遊技状況となることが含まれていてもよい。
【００９４】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示態様が所定のリーチ態様となることがある。
【００９５】
ここで、リーチ態様とは、画像表示装置５の表示領域にて停止表示された飾り図柄が大当り組合せの一部を構成しているときに未だ停止表示されていない飾り図柄（「リーチ変動図柄」ともいう）については変動が継続している表示態様、あるいは、全部または一部の飾り図柄が大当り組合せの全部または一部を構成しながら同期して変動している表示態様のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示態様、あるいは、「左」、「中」、「右」の飾り図柄表示エリア５Ｌ、５Ｃ、５Ｒにおける全部または一部で飾り図柄が大当り組合せの全部または一部を構成しながら同期して変動している表示態様である。
【００９６】
リーチ態様となったこと（以下では、「リーチが成立した」、「リーチ成立」などということがある。）に対応して、飾り図柄の変動速度を低下させたり、画像表示装置５の表示領域に飾り図柄とは異なるキャラクター画像（人物等を模した演出画像）を表示させたり、背景画像の表示態様を変化させたり、飾り図柄とは異なる動画像を再生表示させたり、飾り図柄の変動態様を変化させたりすることで、リーチ態様となる以前とは異なる演出動作が実行される場合がある。このような、飾り図柄の変動速度の低下、キャラクター画像の表示や背景画像の表示態様の変化、動画像の再生表示、飾り図柄の変動態様の変化といった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、含まれていてもよい。
【００９７】
飾り図柄の可変表示中には、リーチ演出とは異なり、飾り図柄の可変表示態様がリーチ態様となる可能性があることや、可変表示結果が「大当り」となる可能性があることなどを、飾り図柄の可変表示態様などにより遊技者に報知するための可変表示演出が実行される場合がある。この実施の形態では、「擬似連」という可変表示演出が実行可能である。「擬似連」の実行の有無は、例えば、主基板１１の側で変動パターンが決定されることなどに対応して実行するか否かが決定されればよい。
【００９８】
「擬似連」では、特図ゲームの第１開始条件と第２開始条件のいずれか一方が１回成立したことに対応して、飾り図柄の可変表示が開始されてから可変表示結果となる確定飾り図柄が導出表示されるなどする所定タイミングまでの期間に、「左」、「中」、「右」の飾り図柄表示エリア５Ｌ、５Ｃ、５Ｒにおける全部にて飾り図柄を一旦仮停止表示させた後、全部の飾り図柄表示エリア５Ｌ、５Ｃ、５Ｒにて飾り図柄を再び変動（擬似連変動）させる演出表示を、所定回（例えば最大２回まで）行う。擬似連変動の回数は、飾り図柄の可変表示が開始されてから全部の飾り図柄が最初に一旦仮停止するまでの初回変動を除く、「左」、「中」、「右」の飾り図柄表示エリア５Ｌ、５Ｃ、５Ｒにおける全部にて飾り図柄が再変動する回数である。
【００９９】
「擬似連」では、「左」、「中」、「右」の飾り図柄表示エリア５Ｌ、５Ｃ、５Ｒにて、例えば予め定められた複数種類の擬似連チャンス目のうちいずれかを構成する飾り図柄が、所定表示結果として一旦は仮停止表示される。その後に、擬似連変動（再可変表示）が行われる。この実施の形態では、「擬似連」において、擬似連変動（再変動）が１回〜２回行われることにより、第１開始条件あるいは第２開始条件が１回成立したことに基づき、飾り図柄の可変表示があたかも２回〜３回続けて開始されたかのように見せることができる。なお、「擬似連」の可変表示演出における擬似連変動（再変動）の回数は、例えば３回や４回といった、１回〜２回よりも多くの回数まで実行できるようにしてもよい。
【０１００】
なお、この実施の形態では、「擬似連」は、最初の可変表示の開始から最後の再可変表示の終了（確定飾り図柄の導出表示時）までの期間（なお、最後の再可変表示においてリーチ成立がある場合には、最初の可変表示の開始からリーチ成立までの期間）に実行される飾り図柄の可変表示演出をいうものとする。
【０１０１】
「擬似連」としては、飾り図柄の変動態様が互いに異なる複数種類のパターンが、予め用意されていればよい。この実施の形態では、「擬似連」として、擬似連ＡからＣが用意されている（図７、図１１などを参照）。
【０１０２】
擬似連Ａの実行中には、可変表示開始から１回目の飾り図柄の仮停止まで間において演出Ａ１が実行され、１回目の再可変表示の開始から２回目の飾り図柄の仮停止までの間において演出Ａ２が実行され、２回目の再可変表示の開始からリーチ成立までの間において演出Ａ３が実行される。演出Ａ１からＡ３は、それぞれが独立した演出であり、演出Ａ１からＡ３それぞれは、例えば、所定のキャラクター画像や動画像などを表示する演出である。なお、演出Ａ１からＡ３は、画像表示装置５における表示動作のみならず、スピーカ８Ｌ、８Ｒによる音声出力動作や、遊技効果ランプ９などの発光体における点灯動作（点滅動作）などを、所定の動作態様とすることが、含まれていてもよい。なお、演出Ａ１からＡ３は、登場キャラクターが共通しているなど、少なくとも一部が一定の関連性を有していても良い。
【０１０３】
擬似連Ｂの実行中には、可変表示開始から１回目の飾り図柄の仮停止まで間においてストーリーＢ１が実行され、１回目の再可変表示の開始から２回目の飾り図柄の仮停止までの間においてストーリーＢ２が実行され、２回目の再可変表示の開始からリーチ成立までの間においてストーリーＢ３が実行される。ストーリーＢ１からＢ３は、一連のストーリー（例えば、ストーリーＢ１で開始され、ストーリーＢ３で完結するか、その後に実行されるリーチ演出で完結するストーリー）を表す画像を画像表示装置５の表示領域に表示する演出である。なお、ストーリーＢ１からＢ３は、画像表示装置５における表示動作のみならず、スピーカ８Ｌ、８Ｒによる音声出力動作や、遊技効果ランプ９などの発光体における点灯動作（点滅動作）などを、所定の動作態様とすることが、含まれていてもよい。
【０１０４】
擬似連Ｃの実行中には、可変表示開始から１回目の飾り図柄の仮停止まで間において演出Ｃ１が実行され、１回目の再可変表示の開始から２回目の飾り図柄の仮停止までの間において演出Ｃ２が実行され、２回目の再可変表示の開始からリーチ成立までの間において演出Ｃ３が実行される。演出Ｃ１からＣ３は、それぞれが独立した演出であり、演出Ｃ１からＣ３それぞれは、例えば、所定のキャラクター画像や動画像などを表示する演出である。なお、演出Ｃ１からＣ３は、画像表示装置５における表示動作のみならず、スピーカ８Ｌ、８Ｒによる音声出力動作や、遊技効果ランプ９などの発光体における点灯動作（点滅動作）などを、所定の動作態様とすることが、含まれていてもよい。なお、演出Ｃ１からＣ３は、登場キャラクターが共通しているなど、少なくとも一部が一定の関連性を有していても良い。
【０１０５】
なお、各擬似連Ａ〜Ｃが１回目の再可変表示で終了する場合では、演出Ａ３、ストーリーＢ３、演出Ｃ３は実行されずに、擬似連が終了する（つまり、確定飾り図柄が導出表示されて、可変表示が終了する）ことになる。
【０１０６】
なお、各擬似連Ａ〜Ｃの実行中に実行される、上記演出Ａ１からＡ３、ストーリーＢ１からＢ３、演出Ｃ１からＣ３などの演出をリーチ前演出ということがある。また、非ストーリーの演出である、演出Ａ１からＡ３や演出Ｃ１からＣ３が実行される擬似連Ａ及びＣを非ストーリー擬似連といい、ストーリーを構成する演出であるストーリーＢ１からＢ３が実行される擬似連Ｂをストーリー擬似連ということがある。
【０１０７】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「期待度」あるいは「大当り期待度」ともいう）が異なる。すなわち、複数種類のリーチ演出のいずれが実行されるかに応じて、可変表示結果が「大当り」となる可能性を異ならせることができる。この実施の形態では、一例として、ノーマル、スーパーＡ、スーパーＢ、スーパーＣといったリーチ演出が予め設定されている。そして、スーパーＡからＣといったスーパーリーチのリーチ演出が実行された場合には、ノーマルのリーチ演出のみが実行された場合に比べて、可変表示結果が「大当り」となる可能性（大当り期待度）が高くなる。また、スーパーリーチのリーチ演出のうちでも、スーパーＣ、スーパーＢ、スーパーＡの順に、リーチ演出が実行された場合の大当り期待度が高い（つまり、スーパーＣが実行された場合の大当り期待度が一番高く、スーパーＡが実行された場合の大当り期待度が一番低い、）。なお、この実施の形態では、ノーマルのリーチ演出が実行された後に、スーパーＡ、スーパーＢ、スーパーＣといったスーパーリーチのリーチ演出が実行されることになる。なお、ノーマルが実行されたあとにスーパーＡ、スーパーＢ、スーパーＣが実行されることを、ノーマルのリーチ演出から各スーパーリーチのリーチ演出に「発展」したなどと表現することがある。
【０１０８】
大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝によって算出される（大当り期待度が「１」になる場合には、可変表示結果は必ず「大当り」になる。以下、大当り期待度について同じ。）。
【０１０９】
この実施の形態では、スーパーＡのリーチ演出は、２回の再可変表示が行われる擬似連Ａの実行後に実行され（つまり、擬似連Ａ、ノーマル、スーパーＡの順で演出が実行される）、スーパーＢのリーチ演出は、２回の再可変表示が行われる擬似連Ｂの実行後に実行され（つまり、擬似連Ｂ、ノーマル、スーパーＢの順で演出が実行される）、スーパーＣのリーチ演出は、２回の再可変表示が行われる擬似連Ｃの実行後に実行される（つまり、擬似連Ｃ、ノーマル、スーパーＣの順で演出が実行される）。また、２回の再可変表示が行われる擬似連Ｂの実行後には、ノーマルのリーチ演出が実行されることもある。なお、以下では、ノーマルからスーパーＡに発展するリーチ演出をまとめてスーパーリーチＡといい、ノーマルからスーパーＢに発展するリーチ演出をまとめてスーパーリーチＢといい、ノーマルからスーパーＣに発展するリーチ演出をまとめてスーパーリーチＣといい、ノーマルのリーチ演出（発展無し）をノーマルリーチということもある（図面も適宜同じ）。
【０１１０】
また、この実施の形態では、大当り遊技状態（この実施の形態では、第１特定遊技状態。示唆演出について同じ。）に制御される可能性（可変表示結果が「大当り」（特定表示結果）になる可能性）を示唆する示唆演出が、リーチ前演出やリーチ演出の実行中に実行されることがある。
【０１１１】
示唆演出は、例えば、この示唆演出を実行しない場合よりも実行した場合の方が、前記可能性が高いことを示唆する示唆演出である。詳しくは後述するが、この実施の形態における示唆演出には、リーチ前演出やリーチ演出が実行されることによって画像表示装置５の表示領域に表示される画像の少なくとも一部をシルエットや輪郭を変えることなく他の異なる態様の画像（例えば、色彩及び／又は柄を変更した、背景画像やキャラクター画像や物の画像）に変更して表示する演出や、リーチ前演出やリーチ演出が実行されることによって画像表示装置５の表示領域に表示されるキャラクターのセリフを他のセリフに変更して表示する演出などが含まれる。なお、示唆演出は、リーチ前演出やリーチ演出が実行されることによって画像表示装置５の表示領域に表示されるキャラクターを他のキャラクターに変更して表示する演出などであってもよい。また、示唆演出は、リーチ前演出やリーチ演出が実行されることによって画像表示装置５の表示領域に表示されるメッセージを他のメッセージに変更して表示する演出などであってもよい。また、示唆演出は、もとのセリフやメッセージに新たなセリフやメッセージを追加して表示する演出、もとのセリフやメッセージが無い状態で新たなセリフやメッセージを付加して表示する演出なども含まれる。
【０１１２】
また、示唆演出は、その他所定の表示画像をリーチ前演出やリーチ演出における通常のもの（つまり、変更の無いもの）から他の画像に変更して表示などする演出や、可動演出部材６０が退避位置から画像表示装置５における表示領域の前面（進出位置）に進出するなどして可動演出部材６０を動作させるとともに、スピーカ８Ｌ、８Ｒ及び遊技効果ランプ９や装飾用ＬＥＤといった演出用の電気部品による効果音の出力や発光体の点灯を行うものであってもよい。
【０１１３】
示唆演出は、画像表示装置５の表示領域への画像表示に加えて又は代えて、スピーカ８Ｌ、８Ｒ及び遊技効果ランプ９や装飾用ＬＥＤといった演出用の電気部品による効果音の出力や発光体の点灯を行うものであってもよい。示唆演出は、例えば、操作部３０への所定の操作を行うことによって実行される演出や、所定の画像を擬似連やリーチ演出に挿入する演出などであってもよい。
【０１１４】
示唆演出は、擬似連やリーチ演出などにおける演出態様の一部（画像を含む）を変更する（画像（セリフやメッセージの画像を含む。）の他の画像（セリフやメッセージの画像を含む。）への変更、可動演出部材６０の動作、画像（セリフやメッセージの画像を含む。）の挿入又は追加などを含む）ことで、大当り遊技状態に制御される可能性を示唆する演出とするとよい。
【０１１５】
示唆演出は、非ストーリー擬似連の実行中（つまり、非ストーリー擬似連とともに実行されるリーチ前演出（演出Ａ１からＡ３、演出Ｃ１からＣ３）の実行中）、スーパーリーチＡ、Ｂ、及び、Ｃの実行中に実行され、ストーリー擬似連である擬似連Ｂの実行中（つまり、ストーリーＢ１からＢ３のリーチ前演出の実行中）には実行されないものとなっている（図１１など参照）。ストーリーＢ１からＢ３で示唆演出を実行すると、示唆演出がストーリーＢ１からＢ３を邪魔してしまうので、ストーリーＢ１からＢ３のリーチ前演出の実行中には、示唆演出の実行が禁止されている。また、各示唆演出には、実行された場合に、大当り期待度が高い高示唆演出と、大当り期待度が低い低示唆演出とがあり、１つのタイミングで示唆演出が実行される場合には、いずれかの示唆演出が択一的に実行されることになる。
【０１１６】
特図ゲームにおける特別図柄の可変表示結果である特図表示結果が「大当り」となるときには、画像表示装置５の表示領域において、予め定められた大当り組合せ（特定表示結果）となる確定飾り図柄が導出表示される。一例として、大当り種別が「非確変」または「確変」となる場合には、「左」、「中」、「右」の飾り図柄表示エリア５Ｌ、５Ｃ、５Ｒにおける所定の有効ライン上に同一の飾り図柄が揃って停止表示されることにより、大当り組合せとなる確定飾り図柄が導出表示されればよい。一方、大当り種別が「突確」となる場合には、「左」、「中」、「右」の飾り図柄表示エリア５Ｌ、５Ｃ、５Ｒにおける所定の有効ライン上に所定の短期開放チャンス目を構成する飾り図柄が停止表示されることにより、特殊表示結果となる確定飾り図柄が導出表示されることがある。また、大当り種別が「突確」となる場合には、飾り図柄の可変表示態様がリーチ態様となった後に、所定のリーチ組合せ（「リーチハズレ組合せ」ともいう）となる確定飾り図柄が導出表示されることもある。特図表示結果が「小当り」となるときには、短期開放チャンス目を構成する飾り図柄が停止表示されることにより、特殊表示結果となる確定飾り図柄が導出表示される。
【０１１７】
大当り種別が「非確変」となる場合には、非確変大当り組合せとなる確定飾り図柄が導出されてもよい。非確変大当り組合せとなる確定飾り図柄は、例えば画像表示装置５における「左」、「中」、「右」の飾り図柄表示エリア５Ｌ、５Ｃ、５Ｒにて可変表示される図柄番号が「１」〜「８」の飾り図柄のうち、図柄番号が偶数「２」、「４」、「６」、「８」である飾り図柄のいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。このように非確変大当り組合せを構成する図柄番号が偶数「２」、「４」、「６」、「８」である飾り図柄は、非確変図柄（「通常図柄」ともいう）と称される。
【０１１８】
大当り種別が「確変」となる場合には、非確変大当り組合せとなる確定飾り図柄が導出されることもあれば、確変大当り組合せとなる確定飾り図柄が導出されることがあってもよい。確変大当り組合せとなる確定飾り図柄は、例えば画像表示装置５における「左」、「中」、「右」の飾り図柄表示エリア５Ｌ、５Ｃ、５Ｒにて可変表示される図柄番号が「１」〜「８」の飾り図柄のうち、図柄番号が奇数「１」、「３」、「５」、「７」である飾り図柄のいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。このように確変大当り組合せを構成する図柄番号が奇数「１」、「３」、「５」、「７」である飾り図柄は、確変図柄と称される。
【０１１９】
確定飾り図柄が非確変大当り組合せや確変大当り組合せとなる飾り図柄の可変表示中には、再抽選演出が実行されることがある。再抽選演出では、画像表示装置５における「左」、「中」、「右」の飾り図柄表示エリア５Ｌ、５Ｃ、５Ｒに非確変大当り組合せとなる飾り図柄を仮停止表示させた後に、例えば「左」、「中」、「右」の各飾り図柄表示エリア５Ｌ、５Ｃ、５Ｒにて同一の飾り図柄が揃った状態で再び変動させ、確変大当り組合せとなる飾り図柄（確変図柄）と、非確変大当り組合せとなる飾り図柄（非確変図柄）とのうち、いずれかを確定飾り図柄として停止表示（最終停止表示）させる。ここで、大当り種別が「非確変」である場合に再抽選演出が実行されるときには、その再抽選演出として、仮停止表示させた飾り図柄を再変動させた後に非確変大当り組合せとなる確定飾り図柄を導出表示する再抽選落選演出が行われる。これに対して、大当り種別が「確変」である場合に再抽選演出が実行されるときには、その再抽選演出として、仮停止表示させた飾り図柄を再変動させた後に確変大当り組合せとなる確定飾り図柄を停止表示する再抽選当選演出が実行されることもあれば、再抽選落選演出が実行されることもある。
【０１２０】
大当り種別が「確変」となる場合には、飾り図柄の可変表示中に非確変大当り組合せとなる飾り図柄が一旦表示されて、可変表示中に再抽選演出が実行されたり、その後の大当り遊技状態中や大当り遊技状態の終了時に大当り中昇格演出が実行されたりして、確変状態となる制御の開始が報知されてもよい。大当り中昇格演出は、大当り遊技状態の開始時や大当り遊技状態におけるラウンドの実行中、大当り遊技状態においていずれかのラウンドが終了してから次のラウンドが開始されるまでの期間、大当り遊技状態において最終のラウンドが終了してから次の可変表示ゲームが開始されるまでの期間などにて、確変状態に制御するか否かの確変報知を行う。なお、大当り中昇格演出と同様の報知演出が、大当り遊技状態の終了後における最初の可変表示ゲーム中などにて実行されてもよい。大当り遊技状態において最終のラウンドが終了してから実行される大当り中昇格演出を、特に「エンディング昇格演出」ということもある。これらの再抽選演出や大当り中昇格演出が実行されずに、確変状態となる制御の開始が報知されてもよい。
【０１２１】
特図表示結果が「ハズレ」となる場合には、飾り図柄の可変表示態様がリーチ態様とならずに、所定の非リーチ組合せを構成する飾り図柄が停止表示されることにより、非特定表示結果となる確定飾り図柄が導出表示されることがある。また、特図表示結果が「ハズレ」となる場合には、飾り図柄の可変表示態様がリーチ態様となった後に、所定のリーチ組合せ（「リーチハズレ組合せ」ともいう）を構成する飾り図柄が停止表示されることにより、非特定表示結果となる確定飾り図柄が導出表示されることもある。
【０１２２】
次に、本実施例におけるパチンコ遊技機１の主要な動作（作用）を説明する。
【０１２３】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０１２４】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、特別図柄プロセス処理、普通図柄プロセス処理、コマンド制御処理といった、パチンコ遊技機１における遊技の進行などを制御するための処理が含まれている。
【０１２５】
スイッチ処理は、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。
【０１２６】
遊技用乱数更新処理は、主基板１１の側で用いられる複数種類の遊技用乱数のうち、少なくとも一部をソフトウェアにより更新するための処理である。一例として、主基板１１の側で用いられる遊技用乱数には、特図表示結果決定用の乱数値ＭＲ１と、変動パターン決定用の乱数値ＭＲ２とが含まれていればよい。特図表示結果決定用の乱数値ＭＲ１は、特図ゲームにおける特別図柄などの可変表示結果を「大当り」として大当り遊技状態に制御するか否かの決定や、可変表示結果を「小当り」として小当り遊技状態に制御するか否かの決定に用いられる乱数値である。変動パターン決定用の乱数値ＭＲ２は、特別図柄や飾り図柄の可変表示における変動パターンを、予め用意された複数パターンのいずれかに決定するために用いられる乱数値である。
【０１２７】
遊技制御用タイマ割込処理に含まれる特別図柄プロセス処理では、ＲＡＭ１０２に設けられた特図プロセスフラグの値をパチンコ遊技機１における遊技の進行状況に応じて更新し、特別図柄表示装置４における表示動作の制御や、特別可変入賞球装置７における大入賞口の開閉動作設定などを、所定の手順で行うために、各種の処理が選択されて実行される。普通図柄プロセス処理は、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする処理である。
【０１２８】
コマンド制御処理は、主基板１１から演出制御基板１２などのサブ側の制御基板に対して制御コマンド（特に、下記で送信設定される各種の制御コマンド）を伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１２９】
図３は、特別図柄プロセス処理の一例を示すフローチャートである。この特別図柄プロセス処理において、ＣＰＵ１０３は、まず、始動入賞判定処理を実行する（ステップＳ１０１）。始動入賞判定処理では、第１始動口スイッチ２２Ａや第２始動口スイッチ２２Ｂがオンであるか否かが判定される。このとき、第１始動口スイッチ２２Ａがオンであれば、普通入賞球装置６Ａに形成された第１始動入賞口に遊技球が進入したことに基づいて、第１特図を用いた特図ゲームの保留記憶数である第１特図保留記憶数を更新するための第１始動入賞処理が行われる。一方、第２始動口スイッチ２２Ｂがオンであれば、普通可変入賞球装置６Ｂに形成された第２始動入賞口に遊技球が進入したことに基づいて、第２特図を用いた特図ゲームの保留記憶数である第２特図保留記憶数を更新するための第２始動入賞処理が行われる。
【０１３０】
一例として、第１始動入賞処理では、第１特図保留記憶数が所定の上限値（例えば「４」）となっているか否かを判定する。このとき第１特図保留記憶数が上限値に達していれば、第１始動入賞処理を終了する。一方、第１特図保留記憶数が上限値未満であれば、ＲＡＭ１０２の所定領域（例えば遊技制御カウンタ設定部）に設けられた第１保留記憶数カウンタの格納値である第１保留記憶数カウント値を１加算する。こうして、第１保留記憶数カウント値は、第１始動入賞口に遊技球が進入して第１特図を用いた特図ゲームに対応した第１始動条件が成立したときに、１増加（インクリメント）するように更新される。その後、始動入賞の発生に対応した所定の遊技用乱数を抽出して、ＲＡＭ１０２の所定領域（例えば第１特図保留記憶部）に保留データとして記憶させる。
【０１３１】
第２始動入賞処理では、第２特図保留記憶数が所定の上限値（例えば「４」）となっているか否かを判定する。このとき第２特図保留記憶数が上限値に達していれば、第２始動入賞処理を終了する。一方、第２特図保留記憶数が上限値未満であれば、ＲＡＭ１０２の所定領域（例えば遊技制御カウンタ設定部）に設けられた第２保留記憶数カウンタの格納値である第２保留記憶数カウント値を１加算する。こうして、第２保留記憶数カウント値は、第２始動入賞口に遊技球が進入して第２特図を用いた特図ゲームに対応した第２始動条件が成立したときに、１増加（インクリメント）するように更新される。その後、始動入賞の発生に対応した所定の遊技用乱数を抽出して、ＲＡＭ１０２の所定領域（例えば第２特図保留記憶部）に保留データとして記憶させる。
【０１３２】
図３に示すステップＳ１０１にて始動入賞判定処理を実行した後、ＣＰＵ１０３は、ＲＡＭ１０２の所定領域（例えば遊技制御フラグ設定部）に設けられた特図プロセスフラグの値に応じて、ステップＳ１１０〜Ｓ１２０の処理のいずれかを選択して実行する。
【０１３３】
ステップＳ１１０の特別図柄通常処理は、特図プロセスフラグの値が“０”（最初は“０”である。）のときに実行される。この特別図柄通常処理では、第１特図保留記憶部や第２特図保留記憶部といった、ＲＡＭ１０２の所定領域に記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」または「小当り」とするか否かを、その可変表示結果が導出表示される以前に決定（事前決定）する。このとき、可変表示結果が「大当り」に決定された場合には、大当り種別を「非確変」、「確変」、「突確」といった複数種別のいずれかに決定する。大当り種別の決定結果を示すデータがＲＡＭ１０２の所定領域（例えば遊技制御バッファ設定部）に設けられた大当り種別バッファに格納されることにより、大当り種別が記憶される。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄や小当り図柄、ハズレ図柄のいずれか）が設定される。特別図柄通常処理では、特別図柄の可変表示結果や大当り種別を事前決定したときに、特図プロセスフラグの値が“１”に更新される。
【０１３４】
ステップＳ１１１の変動パターン設定処理は、特図プロセスフラグの値が“１”のときに実行される。この変動パターン設定処理には、可変表示結果を「大当り」または「小当り」とするか否かの事前決定結果などに基づいて、変動パターンを複数種類のいずれかに決定（選択）する処理などが含まれている。特別図柄や飾り図柄の可変表示時間は、変動パターンに対応して予め設定されている。したがって、変動パターン設定処理にて変動パターンを決定することにより、特別図柄の可変表示を開始してから可変表示結果となる確定特別図柄を導出するまでの可変表示時間が決定される。また、変動パターンは、１回の飾り図柄の可変表示の内容（可変表示が開始されてから表示結果が導出表示するまでの間の内容）を示すものでもあるため、変動パターンの決定によって、飾り図柄の可変表示の内容も決まることになる。また、変動パターン設定処理は、可変表示結果が「ハズレ」となる場合に、飾り図柄の可変表示態様を「リーチ」とするか否かを決定する処理を含んでもよい。あるいは、変動パターン設定処理にて可変表示結果が「ハズレ」となる場合の変動パターンを所定割合で決定することにより、飾り図柄の可変表示態様を「リーチ」とするか否かが決定されてもよい。さらに、変動パターン設定処理は、特別図柄表示装置４Ａ又は４Ｂにおいて特別図柄の変動を開始させる処理を含んでもよい。変動パターン設定処理が実行されたときには、特図プロセスフラグの値が“２”に更新される。
【０１３５】
ステップＳ１１２の特別図柄変動処理は、特図プロセスフラグの値が“２”のときに実行される。この特別図柄変動処理には、特別図柄表示装置４において特別図柄を変動させる処理や、その特別図柄が変動を開始してからの経過時間を計測する処理などが含まれている。そして、特別図柄の変動を開始してからの経過時間が特図変動時間に達したときには、特図プロセスフラグの値が“３”に更新される。
【０１３６】
ステップＳ１１３の特別図柄停止処理は、特図プロセスフラグの値が“３”のときに実行される。この特別図柄停止処理には、特別図柄表示装置４にて特別図柄の変動を停止させ、特別図柄の可変表示結果となる確定特別図柄を停止表示させる処理が含まれている。そして、ＲＡＭ１０２の所定領域（例えば遊技制御フラグ設定部）に設けられた大当りフラグや小当りフラグがオンとなっているか否かの判定などが行われる。大当りフラグがオンである場合には、特図表示結果が「大当り」であることに基づく大当り遊技状態の開始を指定する当り開始指定コマンドの送信設定を行うとともに、特図プロセスフラグの値を“４”に更新する。小当りフラグがオンである場合には、特図表示結果が「小当り」であることに基づく小当り遊技状態の開始を指定する当り開始指定コマンドの送信設定を行うとともに、特図プロセスフラグの値を“８”に更新する。大当りフラグや小当りフラグがオフである場合には、特図プロセスフラグの値を“０”に更新する。
【０１３７】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンド遊技の実行を開始して大入賞口を開放状態とする処理などが含まれている。この処理では、例えば大当り種別が「非確変」、「確変」、「突確」のいずれであるかに対応して、大入賞口を開放状態とする期間の上限を設定するようにしてもよい。一例として、大当り種別が「非確変」または「確変」に対応して、大入賞口を開放状態とする期間の上限を「２９秒」に設定することにより、通常開放ラウンドが実行されるようにすればよい。一方、大当り種別が「突確」に対応して、大入賞口を開放状態とする期間の上限を「０．１秒」に設定することにより、短期開放ラウンドが実行されるようにすればよい。大当り開放前処理が実行されたときには、特図プロセスフラグの値が“５”に更新される。
【０１３８】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理や、大入賞口を開放状態（又は半開放状態）から閉鎖状態に戻すタイミングと判別した場合に大入賞口を閉鎖状態（又は半開放状態）に戻す処理などが含まれている。そして、大入賞口を閉鎖状態（又は半開放状態）に戻したときには、特図プロセスフラグの値が“６”に更新される。
【０１３９】
ステップＳ１１６の大当り開放後処理は、特図プロセスフラグの値が“６”のときに実行される。この大当り開放後処理には、大入賞口を開放状態とするラウンド遊技の実行回数が所定の上限回数に達したか否かを判定する処理や、上限回数に達していない場合に次回のラウンド遊技が開始されるまで待機する処理などが含まれている。そして、次回のラウンド遊技が開始されるときには、特図プロセスフラグの値が“４”に更新される一方、ラウンド遊技の実行回数が上限回数に達したときには、特図プロセスフラグの値が“７”に更新される。
【０１４０】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、確変制御条件の成否に対応して確変状態や時短状態に制御するための各種の設定を行う処理などが含まれている。そして、確変状態や時短状態に制御するための設定が行われたときには、特図プロセスフラグの値が“０”に更新される。
【０１４１】
大当り終了処理において、ＣＰＵ１０３は、ＲＡＭ１０２の所定領域から大当り種別バッファ値を読み出すことにより、大当り種別が「非確変」、「確変」または「突確」のいずれであったかを特定する。このとき特定された大当り種別が「確変」または「突確」である場合には、確変制御の開始により遊技状態を確変状態とするための設定を行う。例えば、ＲＡＭ１０２の所定領域（遊技制御フラグ設定部など）に設けられた確変フラグをオン状態にセットする。また、特定された大当り種別が「非確変」または「確変」である場合には、時短制御を開始するための設定を行う。例えば、ＲＡＭ１０２の所定領域（遊技制御フラグ設定部など）に設けられた時短フラグをオン状態にセットするとともに、ＲＡＭ１０２の所定領域（遊技制御カウンタ設定部など）に設けられた時短回数カウンタに所定のカウント初期値（例えば「１００」）を設定すればよい。時短回数カウンタは、時短制御が終了するまでに実行可能な特図ゲームの残り回数をカウントする。なお、大当り種別が「確変」であることに対応して、次に可変表示結果が「大当り」となるまで時短制御を継続させる場合には、時短回数カウンタのカウント初期値を設定せずに、確変フラグと時短フラグとをいずれもオン状態にセットすればよい。
【０１４２】
ステップＳ１１８の小当り開放前処理は、特図プロセスフラグの値が“８”のときに実行される。この小当り開放前処理には、可変表示結果が「小当り」となったことなどに基づき、小当り遊技状態において大入賞口を開放状態とする処理などが含まれている。一例として、可変表示結果が「大当り」で大当り種別が「突確」となったときと同様に、大入賞口を開放状態とする期間の上限を「０．１秒」に設定することにより、小当り遊技状態とする設定が行われればよい。このときには、特図プロセスフラグの値が“９”に更新される。
【０１４３】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態（又は半開放状態）から閉鎖状態に戻すタイミングとなったか否かを判定する処理、大入賞口を開放状態から閉鎖状態（又は半開放状態）に戻すタイミングと判別した場合に大入賞口を閉鎖状態（又は半開放状態）に戻す処理などが含まれている。そして、大入賞口を閉鎖状態（又は半開放状態）に戻したときには、開放回数が所定の上限回数に達したか否かを判定する処理や、上限回数に達していない場合に再び大入賞口を開放状態とするまで待機する処理などが実行される。大入賞口の開放回数が上限回数に達したときには、特図プロセスフラグの値が“１０”に更新される。
【０１４４】
ステップＳ１２０の小当り終了処理は、特図プロセスフラグの値が“１０”のときに実行される。この小当り終了処理には、画像表示装置５やスピーカ８Ｌ、８Ｒ、遊技効果ランプ９などといった演出装置により、小当り遊技状態の終了を報知する演出動作が実行される期間に対応した待ち時間が経過するまで待機する処理などが含まれている。ここで、小当り遊技状態が終了するときには、確変フラグや時短フラグの状態を変更しないようにして、小当り遊技状態となる以前のパチンコ遊技機１における遊技状態を継続させる。小当り遊技状態の終了時における待ち時間が経過したときには、特図プロセスフラグの値が“０”に更新される。
【０１４５】
図４は、特別図柄通常処理として、図３のステップＳ１１０にて実行される処理の一例を示すフローチャートである。図４に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。ＣＰＵ１０３は、第２保留記憶数カウント値を読み出し、その読出値が「０」であるか否かを判定すればよい。
【０１４６】
ステップＳ２３１にて第２特図保留記憶数が「０」以外であるときには（ステップＳ２３１；Ｎｏ）、例えば第２特図保留記憶部の先頭領域（例えば保留番号「１」に対応する記憶領域）といった、ＲＡＭ１０２の所定領域に記憶されている保留データ（最も過去に記憶された保留データ）として、所定の乱数値を示す数値データを読み出す（ステップＳ２３２）。これにより、図３に示すステップＳ１０１の始動入賞判定処理で第２始動入賞口における始動入賞（第２始動入賞）の発生に対応して抽出された遊技用乱数が読み出される。このとき読み出された数値データは、例えば変動用乱数バッファなどに格納されて、一時記憶されればよい。
【０１４７】
ステップＳ２３２の処理に続いて、例えば第２保留記憶数カウント値を１減算して更新することなどにより、第２特図保留記憶数を１減算させるように更新するとともに、第２特図保留記憶部における記憶内容をシフトさせる（ステップＳ２３３）。例えば、第２特図保留記憶部にて保留番号「１」より下位の記憶領域（保留番号「２」〜「４」に対応する記憶領域）に記憶された保留データを、１エントリずつ上位にシフトする。また、ステップＳ２３３の処理では、合計保留記憶数を１減算するように更新してもよい。そして、ＲＡＭ１０２の所定領域（例えば遊技制御バッファ設定部）に設けられた変動特図指定バッファの格納値である変動特図指定バッファ値を、「２」に更新する（ステップＳ２３４）。
【０１４８】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。ＣＰＵ１０３は、第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１４９】
なお、第２特図を用いた特図ゲームが第１特図を用いた特図ゲームよりも優先して実行されるものに限定されない。すなわち、第１始動入賞口であるか第２始動入賞口であるかにかかわらず、遊技球が始動入賞口を通過（進入）した順番で、特図ゲームが実行されるようにしてもよい。この場合には、第１始動入賞口と第２始動入賞口のいずれを遊技球が通過（進入）したかを示す始動口データを、保留データとともに、あるいは保留データとは別個に、保留番号と対応付けてＲＡＭ１０２の所定領域に記憶させておき、それぞれの保留データに対応する特図ゲームについて、始動条件が成立した順番を特定可能にすればよい。
【０１５０】
ステップＳ２３５にて第１特図保留記憶数が「０」以外であるときには（ステップＳ２３５；Ｎｏ）、例えば第１特図保留記憶部の先頭領域（例えば保留番号「１」に対応する記憶領域）といった、ＲＡＭ１０２の所定領域に記憶されている保留データ（最も過去に記憶された保留データ）として、所定の乱数値を示す数値データを読み出す（ステップＳ２３６）。これにより、図３に示すステップＳ１０１の始動入賞判定処理で第１始動入賞口における始動入賞（第１始動入賞）の発生に対応して抽出された遊技用乱数が読み出される。このとき読み出された数値データは、例えば変動用乱数バッファなどに格納されて、一時記憶されればよい。
【０１５１】
ステップＳ２３６の処理に続いて、例えば第１保留記憶数カウント値を１減算して更新することなどにより、第１特図保留記憶数を１減算させるように更新するとともに、第１特図保留記憶部における記憶内容をシフトさせる（ステップＳ２３７）。例えば、第１特図保留記憶部にて保留番号「１」より下位の記憶領域（保留番号「２」〜「４」に対応する記憶領域）に記憶された保留データを、１エントリずつ上位にシフトする。また、ステップＳ２３７の処理では、合計保留記憶数を１減算するように更新してもよい。そして、変動特図指定バッファ値を「１」に更新する（ステップＳ２３８）。
【０１５２】
ステップＳ２３４、Ｓ２３８の処理のいずれかを実行した後には、特別図柄の可変表示結果である特図表示結果を、「大当り」と「小当り」と「ハズレ」のいずれかに決定する（ステップＳ２３９）。一例として、ステップＳ２３９の処理では、予めＲＯＭ１０１の所定領域に記憶するなどして用意された特図表示結果決定テーブルを選択し、特図表示結果を決定するための使用テーブルに設定する。特図表示結果決定テーブルでは、特図表示結果決定用の乱数値ＭＲ１と比較される数値（決定値）が、特図表示結果を「大当り」と「小当り」と「ハズレ」のいずれとするかの決定結果に、割り当てられていればよい。ＣＰＵ１０３は、ステップS２３２又はS２３６で変動用乱数バッファに一時格納した遊技用乱数に含まれる特図表示結果決定用の乱数値ＭＲ１を示す数値データを変動用乱数バッファから読み出し、乱数値ＭＲ１を示す数値データに基づいて、特図表示結果決定テーブルを参照することにより、乱数値ＭＲ１に該当する決定値に割り当てられた「大当り」と「小当り」と「ハズレ」のいずれかの決定結果を特図表示結果として決定すればよい。
【０１５３】
図５（Ａ）は、ステップＳ２３９の処理による特図表示結果の決定例を示している。このように、特図表示結果を「大当り」、「小当り」、「ハズレ」のいずれとするかが、特図表示結果決定用の乱数値ＭＲ１を示す数値データや特図表示結果決定テーブルを用いて、所定割合で決定されればよい。図５（Ａ）に示す決定例では、確変状態における確変制御の有無に応じて、特図表示結果を「大当り」とするか否かの決定割合を異ならせている。ＣＰＵ１０３は、ＲＡＭ１０２の所定領域（例えば遊技制御フラグ設定部）に設けられた確変フラグがオンである場合に、確変制御が行われていると判定すればよい。
【０１５４】
図５（Ａ）に示すように、確変状態にて確変制御が行われているときには、通常状態や時短状態にて確変制御が行われていないときよりも高い割合で、特図表示結果が「大当り」に決定される。したがって、例えば図３に示すステップＳ１１７の大当り終了処理により、大当り種別が「確変」または「突確」であった場合に対応して確変フラグがオン状態にセットされたことなどに基づいて、確変制御が行われる確変状態であるときには、通常状態や時短状態にて確変制御が行われていないときよりも、特図表示結果が「大当り」になりやすく、大当り遊技状態になりやすい。また、図５（Ａ）に示す決定例では、変動特図が第１特図である場合に、所定割合で特図表示結果が「小当り」に決定される。一方、変動特図が第２特図である場合には、特図表示結果が「小当り」に決定されることがない。
【０１５５】
遊技状態が確変状態や時短状態であるときには、高開放制御が行われることにより、第２始動入賞口に遊技球が進入しやすい有利開放態様で、普通可変入賞装置６Ｂを第１可変状態（開放状態または拡大開放状態）と第２可変状態（閉鎖状態または通常開放状態）とに変化させることがある。こうした高開放制御が行われているときには、第２始動入賞口に遊技球が進入したことに基づいて特図表示結果が「小当り」に決定されないように制限することで、遊技の間延びによる遊技興趣の低下を防止できる。なお、変動特図が第２特図である場合には、変動特図が第１特図である場合よりも低い割合で、特図表示結果が「小当り」に決定されることがあってもよい。
【０１５６】
その後、ＣＰＵ１０３は、ステップＳ２３９の処理により決定された特図表示結果が「大当り」であるか否かを判定する（ステップＳ２４０）。特図表示結果が「大当り」に決定された場合には（ステップＳ２４０；Ｙｅｓ）、ＲＡＭ１０２の所定領域（例えば遊技制御フラグ設定部）に設けられた大当りフラグをオン状態にセットする（ステップＳ２４１）。また、大当り種別を複数種類のいずれかに決定する（ステップＳ２４２）。一例として、ステップＳ２４２の処理では、予めＲＯＭ１０１の所定領域に記憶するなどして用意された大当り種別決定テーブルを選択し、大当り種別を決定するための使用テーブルに設定する。大当り種別決定テーブルでは、変動特図が第１特図と第２特図のいずれであるかに応じて、大当り種別決定用の乱数値と比較される数値（決定値）が、大当り種別を複数種類（「確変」、「非確変」、「突確」）のいずれとするかの決定結果に、割り当てられていればよい。ＣＰＵ１０３は、ステップS２３２又はS２３６で変動用乱数バッファに一時格納した遊技用乱数に含まれる大当り種別決定用の乱数値を示す数値データを変動用乱数バッファから読み出す。さらに、ＣＰＵ１０３は、変動特図指定バッファ値に基づいて変動特図が第１特図と第２特図のいずれであるかを判定する（変動特図指定バッファ値が、「１」であれば変動特図は第１特図であり、「２」であれば変動特図は第２特図である。）。ＣＰＵ１０３は、変動特図が第１特図と第２特図のいずれであるかの判定結果と、変動用乱数バッファから読み出した大当り種別決定用の乱数値を示す数値データとに基づいて、大当り種別決定テーブルを参照することにより、判定結果に対応して大当り種別決定用の乱数値に該当する決定値に割り当てられた「確変」、「非確変」、「突確」のいずれかを大当り種別として決定すればよい。
【０１５７】
図５（Ｂ）は、ステップＳ２４２の処理による大当り種別の決定例を示している。この決定例では、変動特図が第１特図であるか第２特図であるかに応じて、大当り種別の決定割合を異ならせている。より具体的に、変動特図が第１特図である場合に、所定割合で大当り種別が「突確」に決定される。一方、変動特図が第２特図である場合には、大当り種別が「突確」には決定されない。すなわち、大当り種別が「突確」に決定されるのは、変動特図が第１特図のときだけになる。このように、特図ゲームにて可変表示される特別図柄に応じて、異なる大当り種別に決定されてもよい。また、大当り種別が「確変」に決定される割合は、変動特図が第１特図のときよりも、変動特図が第２特図のときに高くなる。このように、特図ゲームにて可変表示される特別図柄に応じて異なる割合で、所定の大当り種別に決定されてもよい。
【０１５８】
遊技状態が確変状態や時短状態であるときには、高開放制御が行われることにより、第２始動入賞口を遊技球が通過（進入）しやすい有利開放態様で、普通可変入賞装置６Ｂを第１可変状態（開放状態または拡大開放状態）と第２可変状態（閉鎖状態または通常開放状態）とに変化させることがある。こうした高開放制御が行われているときに、第２始動入賞口を遊技球が通過（進入）したことに基づいて特図表示結果が「大当り」に決定された場合には、大当り種別が「突確」に決定されないように制限することで、遊技の間延びによる遊技興趣の低下を防止できる。なお、変動特図が第２特図である場合には、変動特図が第１特図である場合よりも低い割合で、大当り種別が「突確」に決定されることがあってもよい。
【０１５９】
ステップＳ２４２の処理を実行した後には、大当り種別を記憶させる（ステップＳ２４３）。ＣＰＵ１０３は、ＲＡＭ１０２の所定領域（例えば遊技制御バッファ設定部）に設けられた大当り種別バッファに、大当り種別の決定結果を示すデータ（つまり、「突確」、「確変」、「非確変」のいずれかを示すデータ）を格納することにより、大当り種別を記憶させればよい。
【０１６０】
ステップＳ２４０にて特図表示結果が「大当り」ではない場合には（ステップＳ２４０；Ｎｏ）、その特図表示結果は「小当り」であるか否かを判定する（ステップＳ２４４）。このとき、特図表示結果が「小当り」である場合には（ステップＳ２４４；Ｙｅｓ）、ＲＡＭ１０２の所定領域（例えば遊技制御フラグ設定部）に設けられた小当りフラグをオン状態にセットする（ステップＳ２４５）。
【０１６１】
ステップＳ２４４にて特図表示結果が「小当り」ではない場合や（ステップＳ２４４；Ｎｏ）、ステップＳ２４３、Ｓ２４５の処理のいずれかを実行した後には、特図ゲームにおける特別図柄の可変表示結果となる確定特別図柄を決定する（ステップＳ２４６）。一例として、ステップＳ２４０、Ｓ２４４にて特図表示結果が「大当り」や「小当り」ではないと判定された場合には、ハズレ図柄として予め定められた特別図柄を確定特別図柄に決定する。一方、ステップＳ２４０にて特図表示結果が「大当り」であると判定された場合には、ステップＳ２４２における大当り種別の決定結果に応じて、複数種類の大当り図柄として予め定められた特別図柄のいずれかを確定特別図柄に決定すればよい。ステップＳ２４４にて特図表示結果が「小当り」であると判定された場合には、小当り図柄として予め定められた特別図柄を確定特別図柄に決定すればよい。
【０１６２】
ステップＳ２４６の処理を実行した後には、特図プロセスフラグの値を“１”に更新してから（ステップＳ２４７）、特別図柄通常処理を終了する。ステップＳ２４７にて特図プロセスフラグの値が“１”に更新されることにより、次回のタイマ割込みが発生したときには、図３に示すステップＳ１１１の変動パターン設定処理が実行される。
【０１６３】
ステップＳ２３５にて第１特図を用いた特図ゲームの保留記憶数が「０」である場合には（ステップＳ２３５；Ｙｅｓ）、所定のデモ表示設定を行ってから（ステップＳ２４８）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１６４】
図６は、変動パターン設定処理として、図３のステップＳ１１１にて実行される処理の一例を示すフローチャートである。図６に示す変動パターン設定処理において、ＣＰＵ１０３は、まず、大当りフラグがオンであるか否かを判定する（ステップＳ２６１）。そして、大当りフラグがオンである場合には（ステップＳ２６１；Ｙｅｓ）、特図表示結果が「大当り」となる大当り時に対応した変動パターンを決定する（ステップＳ２６２）。
【０１６５】
ステップＳ２６１にて大当りフラグがオフである場合には、小当りフラグがオンであるか否かを判定する（ステップＳ２６３）。そして、小当りフラグがオンである場合には（ステップＳ２６３；Ｙｅｓ）、特図表示結果が「小当り」となる小当り時に対応した変動パターンを決定する（ステップＳ２６４）。一方、小当りフラグがオフである場合には（ステップＳ２６３；Ｎｏ）、特図表示結果が「ハズレ」となるハズレ時に対応した変動パターンを決定する（ステップＳ２６５）。
【０１６６】
図７は、この実施の形態における変動パターンを示している。この実施の形態では、可変表示結果（特図表示結果）が「ハズレ」となる場合のうち、飾り図柄の可変表示態様がリーチ態様にはならない「非リーチ」である場合とリーチ態様になる「リーチ」である場合のそれぞれに対応して、また、可変表示結果（特図表示結果）が「大当り」や「小当り」となる場合などに対応して、複数の変動パターンが予め用意されている。
【０１６７】
図８（Ａ）は、大当り時における変動パターンの決定例を示している。例えば図６に示すステップＳ２６２の処理では、ＣＰＵ１０３は、ステップS２３２又はS２３６で変動用乱数バッファに一時格納した遊技用乱数に含まれる変動パターン決定用の乱数値ＭＲ２を変動用乱数バッファから読み出し、読み出した乱数値ＭＲ２に基づいて、ＲＯＭ１０１の所定領域に予め記憶されて用意された大当り変動パターン決定テーブルを参照することにより、図８（Ａ）に示すような決定割合（選択割合）で可変表示結果が「大当り」となる場合の変動パターンが決定（選択）されればよい。大当り変動パターン決定テーブルでは、大当り種別が「確変」又は「非確変」と「突確」とのいずれであるかに応じて乱数値ＭＲ２と比較される数値（決定値）が、変動パターンＰＡ３−１〜ＰＡ３−５及び変動パターンＰＣ１−１〜ＰＣ２ー１に、割り当てられていればよい。ＣＰＵ１０３は、大当り種別バッファ大当り種別の決定結果を示すデータを参照し、このデータが示す大当たり種別の決定結果が「確変」又は「非確変」と「突確」とのいずれであるかを判定する。ＣＰＵ１０３は、この判定結果と、変動用乱数バッファから読み出した乱数値ＭＲ２を示す数値データと、に基づいて、大当り変動パターン決定テーブルを参照することにより、判定結果に対応して乱数値ＭＲ２に該当する決定値に割り当てられた変動パターンＰＡ３−１〜ＰＡ３−５及び変動パターンＰＣ１−１〜ＰＣ２ー１のいずれかを大当り時における変動パターンとして選択（決定）すればよい。
【０１６８】
図８（Ｂ）は、小当り時における変動パターンの決定例を示している。例えば図６に示すステップＳ２６４の処理では、変動パターン決定用の乱数値ＭＲ２に基づいて、ＲＯＭ１０１の所定領域に予め記憶されて用意された小当り変動パターン決定テーブルを参照することにより、図８（Ｂ）に示すような決定割合（選択割合）で可変表示結果が「小当り」となる場合の変動パターンが決定（選択）されればよい。小当り変動パターン決定テーブルでは、乱数値ＭＲ２と比較される数値（決定値）が変動パターンＰＣ１−１のみに割り当てられていればよい。ＣＰＵ１０３は、変動用乱数バッファから読み出した乱数値ＭＲ２を示す数値データに基づいて、小当り変動パターン決定テーブルを参照することにより、乱数値ＭＲ２に該当する決定値に割り当てられた変動パターンを小当り時における変動パターンとして決定すればよい。この実施の形態では、決定値すべてが変動パターンＰＣ１−１に割り当てられており、ＣＰＵ１０３は、変動パターンをＰＣ１−１に選択（決定）する。
【０１６９】
図８（Ｃ）は、ハズレ時における変動パターンの決定例を示している。例えば図６に示すステップＳ２６５の処理では、変動パターン決定用の乱数値ＭＲ２に基づいて、ＲＯＭ１０１の所定領域に予め記憶されて用意されたハズレ変動パターン決定テーブルを参照することにより、図８（Ｃ）に示すような決定割合（選択割合）で可変表示結果が「ハズレ」となる場合の変動パターンが決定（選択）されればよい。ハズレ変動パターン決定テーブルでは、変動パターンＰＡ１−１〜ＰＡ１−３、変動パターンＰＢ１−１〜ＰＢ１ー２、変動パターンＰＡ２−１〜ＰＡ２−８に、割り当てられていればよい。ＣＰＵ１０３は、変動用乱数バッファから読み出した乱数値ＭＲ２を示す数値データに基づいて、ハズレ変動パターン決定テーブルを参照することにより、乱数値ＭＲ２に該当する決定値に割り当てられた変動パターンＰＡ１−１〜ＰＡ１−３、変動パターンＰＢ１−１〜ＰＢ１ー２、変動パターンＰＡ２−１〜ＰＡ２−８のいずれかをハズレ時における変動パターンとして選択（決定）すればよい。
【０１７０】
図７に示すように、各変動パターンＰＡ２−１、ＰＡ２−５〜ＰＡ２−８と、各変動パターンＰＡ３−１〜ＰＡ３−５とでは、内容が対応する変動パターン（例えば、ＰＡ２−１とＰＡ３−１、ＰＡ２−５とＰＡ３−２）それぞれの特図変動時間が共通している一方で、可変表示結果が「ハズレ」となるか「大当り」となるかが異なっている。また、再可変表示が１回で終わる擬似連が実行される変動パターンは、可変表示結果が「ハズレ」となる場合にのみ用意されている（ＰＡ２−２〜ＰＡ２−４）。このため、擬似連ＡからＣにおいて、再可変表示が１回で終わる場合には、可変表示結果は必ず「ハズレ」となる。また、再可変表示が１回で終わる擬似連が実行される変動パターンは、可変表示結果が「ハズレ」となる場合にのみ用意されている（ＰＡ２−２〜ＰＡ２−４）。
【０１７１】
図８（Ａ）に示す決定例では、大当り種別が「非確変」または「確変」の場合に、擬似連無しでノーマルリーチが実行される変動パターンＰＡ３−１、２回の再可変表示が行われる擬似連Ｂの後にノーマルリーチが実行される変動パターンＰＡ３−２、スーパーリーチＡが実行される変動パターンＰＡ３−３、スーパーリーチＢが実行される変動パターンＰＡ３−４、スーパーリーチＣが実行される変動パターンＰＡ３−５の順で決定割が高くなっていくように、決定割合が設定されている（ＰＡ３−１が最も低く、ＰＡ３−５が最も高い）。一方、図８（Ｃ）に示す決定例では、擬似連無しでノーマルリーチが実行される変動パターンＰＡ２−１、２回の再可変表示が行われる擬似連Ｂの後にノーマルリーチが実行される変動パターンＰＡ２−５、スーパーリーチＡが実行される変動パターンＰＡ２−６、スーパーリーチＢが実行される変動パターンＰＡ２−７、スーパーリーチＣが実行される変動パターンＰＡ２−８の順で決定割が低くなっていくように、決定割合が設定されている（ＰＡ２−１が最も高く、ＰＡ２−８が最も低い）。これらにより、可変表示結果が「大当り」となる可能性（大当り期待度）は、擬似連無しでノーマルリーチが実行される場合が最も低く、２回の再可変表示が行われる擬似連Ｂの後にノーマルリーチが実行される場合がその次に低く、２回の再可変表示が行われる擬似連Ａの後にスーパーリーチＡが実行される場合がその次に低く、２回の再可変表示が行われる擬似連Ｂの後にスーパーリーチＢが実行される場合がその次に低く、２回の再可変表示が行われる擬似連Ｃの後にスーパーリーチＣが実行される場合が一番高いことが分かる。
【０１７２】
大当り期待度は、上述のように、（大当り時にその演出が実行される確率）×（大当りになる確率）／｛（大当り時にその演出が実行される確率）×（大当りになる確率）＋（大当り時以外にその演出が実行される確率）×（大当りにならない確率）｝から算出される。例えば、スーパーリーチＡが実行された場合の大当り期待度（第１特図の可変表示で確変状態のとき）は、｛（２４／１００）×（１０／３４５）｝／｛（２４／１００）×（１０／３４５）＋（３／１００）×（３３５／３４５）｝＝約０．１９である。
【０１７３】
図６に示すステップＳ２６２、Ｓ２６４、Ｓ２６５の処理のいずれかを実行した後には、特別図柄の可変表示時間である特図変動時間を設定する（ステップＳ２６６）。特別図柄の可変表示時間となる特図変動時間は、特図ゲームにおいて特別図柄の変動を開始してから可変表示結果（特図表示結果）となる確定特別図柄が導出表示されるまでの所要時間である。特図変動時間は、図６に示すように、予め用意された複数の変動パターンに対応して、予め定められている。ＣＰＵ１０３は、特図変動時間を設定することにより、特別図柄や飾り図柄の可変表示結果が導出されるタイミングを設定できる。
【０１７４】
ステップＳ２６６の処理に続いて、第１特別図柄表示装置４Ａにおける第１特図を用いた特図ゲームと、第２特別図柄表示装置４Ｂにおける第２特図を用いた特図ゲームのうち、開始条件が成立したいずれかの特図ゲームを開始させるように、特別図柄の変動を開始させる（ステップＳ２６７）。一例として、変動特図指定バッファ値が「１」であれば、第１特別図柄表示装置４Ａにおける第１特図の表示を更新させる駆動信号を送信する。一方、変動特図指定バッファ値が「２」であれば、第２特別図柄表示装置４Ｂにおける第２特図の表示を更新させる駆動信号を送信する。
【０１７５】
ステップＳ２６７の処理を実行した後には、特別図柄の変動開始時におけるコマンドの送信設定が行われる（ステップＳ２６８）。例えば、変動特図指定バッファ値が「１」である場合に、ＣＰＵ１０３は、主基板１１から演出制御基板１２に対して第１変動開始コマンド、変動パターン指定コマンド、可変表示結果通知コマンド、第１保留記憶数通知コマンドを順次に送信するために、予め用意された第１変動開始用コマンドテーブルのＲＯＭ１０１における記憶アドレス（先頭アドレス）を指定する。他方、変動特図指定バッファ値が「２」である場合に、ＣＰＵ１０３は、主基板１１から演出制御基板１２に対して第２変動開始コマンド、変動パターン指定コマンド、可変表示結果通知コマンド、第２保留記憶数通知コマンドを順次に送信するために、予め用意された第２変動開始用コマンドテーブルのＲＯＭ１０１における記憶アドレスを指定する。
【０１７６】
第１変動開始コマンドや第２変動開始コマンドは、第１特別図柄表示装置４Ａにおける第１特図を用いた特図ゲームにおける変動開始や、第２特別図柄表示装置４Ｂにおける第２特図を用いた特図ゲームにおける変動開始を、指定する演出制御コマンドである。変動パターン指定コマンドは、ステップＳ２６２において選択された変動パターンの内容を指定する演出制御コマンドであり、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する演出制御コマンドである。可変表示結果通知コマンドは、ステップＳ２４６において決定された確定特別図柄に基づいて、特別図柄の可変表示結果（「大当り」、「ハズレ」、「小当り」のいずれであるかや、大当り種別が何であるかなど）を指定する演出制御コマンドである。第１保留記憶数通知コマンドや第２保留記憶数通知コマンドは、第１特図保留記憶数や第２特図保留記憶数を通知する演出制御コマンドである。
【０１７７】
ステップＳ２６８の処理を実行した後には、特図プロセスフラグの値を“２”に更新してから（ステップＳ２６９）、変動パターン設定処理を終了する。ステップＳ２６９にて特図プロセスフラグの値が“２”に更新されることにより、次回のタイマ割込みが発生したときには、図３に示すステップＳ１１２の特別図柄変動処理が実行される。
【０１７８】
次に、演出制御基板１２における動作を説明する。
【０１７９】
演出制御基板１２では、電源基板等から電源電圧の供給を受けると、演出制御用ＣＰＵ１２０が起動して、所定の演出制御メイン処理を実行する。演出制御メイン処理を開始すると、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０１８０】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１８１】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０１８２】
コマンド解析処理を実行した後には、演出制御プロセス処理を実行する。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった発光体における点灯動作、可動演出部材６０の所定動作（例えば揺動または移動）といった、各種の演出装置を用いた演出動作の制御内容について、主基板１１から送信された演出制御コマンド等に応じた判定や決定、設定などが行われる。演出制御プロセス処理に続いて、演出用乱数更新処理が実行され、演出制御に用いる各種の乱数値として、ＲＡＭ１２２のランダムカウンタによってカウントされる演出用乱数を示す数値データを、ソフトウェアにより更新する。
【０１８３】
図９は、演出制御プロセス処理の一例を示すフローチャートである。図９に示す演出制御プロセス処理において、演出制御用ＣＰＵ１２０は、ＲＡＭ１２２の所定領域（例えば演出制御フラグ設定部）に設けられた演出プロセスフラグの値に応じて、以下のようなステップＳ１７０〜Ｓ１７７の処理のいずれかを選択して実行する。
【０１８４】
ステップＳ１７０の可変表示開始待ち処理は、演出プロセスフラグの値が“０”のときに実行される処理である。この可変表示開始待ち処理は、主基板１１からの第１変動開始コマンドあるいは第２変動開始コマンドなどを受信したか否かに基づき、画像表示装置５における飾り図柄の可変表示を開始するか否かを判定する処理などを含んでいる。
【０１８５】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示や、その他の各種演出動作を行うために、特別図柄の変動パターンや表示結果の種類などに応じた確定飾り図柄や各種の演出制御パターンを決定する処理などを含んでいる。
【０１８６】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（例えば演出制御タイマ設定部）に設けられた演出制御プロセスタイマにおけるタイマ値に対応して、演出制御パターンから各種の制御データを読み出し、飾り図柄の可変表示中における各種の演出制御を行う。こうした演出制御を行った後、例えば特図変動時演出制御パターンから飾り図柄の可変表示終了を示す終了コードが読み出されたこと、あるいは、主基板１１から伝送される図柄確定コマンドを受信したことなどに対応して、飾り図柄の可変表示結果となる最終停止図柄としての確定飾り図柄を完全停止表示させる。確定飾り図柄を完全停止表示したときには、演出プロセスフラグの値が“３”に更新される。
【０１８７】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、その当り開始指定コマンドが小当り遊技状態の開始を指定するものであれば、演出プロセスフラグの値を小当り中演出処理に対応した値である“４”に更新する。これに対して、当り開始指定コマンドを受信したときに、その当り開始指定コマンドが大当り遊技状態の開始を指定するものであれば、演出プロセスフラグの値を大当り中演出処理に対応した値である“６”に更新する。また、当り開始指定コマンドを受信せずに、演出制御プロセスタイマがタイムアウトしたときには、特図ゲームにおける特図表示結果が「ハズレ」であったと判断して、演出プロセスフラグの値を初期値である“０”に更新する。
【０１８８】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態における各種の演出制御を実行する。また、小当り中演出処理では、例えば主基板１１からの当り終了指定コマンドを受信したことに対応して、演出プロセスフラグの値を小当り終了演出に対応した値である“５”に更新する。
【０１８９】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態の終了時における各種の演出制御を実行する。その後、演出プロセスフラグの値を初期値である“０”に更新する。
【０１９０】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１からの当り終了指定コマンドを受信したことに対応して、演出制御プロセスフラグの値をエンディング演出処理に対応した値である“７”に更新する。
【０１９１】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく演出画像を画像表示装置５の表示領域に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグの値を初期値である“０”に更新する。
【０１９２】
図１０は、可変表示開始設定処理として、図９のステップＳ１７１にて実行される処理の一例を示すフローチャートである。図１０に示す可変表示開始設定処理において、演出制御用ＣＰＵ１２０は、まず、例えば主基板１１から伝送された可変表示結果通知コマンドなどに基づいて、特図表示結果が「ハズレ」となるか否かを判定する（ステップＳ５０１）。特図表示結果が「ハズレ」となる旨の判定がなされたときには（ステップＳ５０１；Ｙｅｓ）、例えば主基板１１から伝送された変動パターン指定コマンドにより指定された変動パターンが、飾り図柄の可変表示態様をリーチ態様としない「非リーチ」の場合に対応した非リーチ変動パターン（例えば、ＰＡ１−１〜ＰＡ１−３、ＰＢ１−１〜ＰＢ１−２、ＰＡ２−２〜ＰＡ２−４）であるか否かを判定する（ステップＳ５０２）。
【０１９３】
ステップＳ５０２にて非リーチ変動パターンであると判定された場合には（ステップＳ５０２；Ｙｅｓ）、非リーチ組合せを構成する最終停止図柄となる確定飾り図柄の組合せを決定する（ステップＳ５０３）。一例として、ステップＳ５０３の処理では、まず、乱数回路１２４またはＲＡＭ１２２の所定領域（例えば演出制御カウンタ設定部）に設けられた演出用ランダムカウンタ等により更新される左確定図柄決定用の乱数値を示す数値データを抽出し、ＲＯＭ１２１に予め記憶されて用意された左確定図柄決定テーブル（左確定図柄決定用の乱数値と比較される数値（決定値）が各左確定図柄に割り当てられたもの（以下、他の確定図柄決定テーブルなどについても適宜同様。））を参照することなどにより、確定飾り図柄のうち画像表示装置５の表示領域における「左」の飾り図柄表示エリア５Ｌに停止表示される左確定飾り図柄を決定する（例えば、左確定図柄決定用の乱数値に該当する決定値に割り当てられた飾り図柄を左確定図柄として決定（選択）する（以下、他の確定図柄の決定についても適宜同様。））。
【０１９４】
次に、乱数回路１２４または演出用ランダムカウンタ等により更新される右確定図柄決定用の乱数値を示す数値データを抽出し、ＲＯＭ１２１に予め記憶されて用意された右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃに停止表示される中確定飾り図柄を決定する。
【０１９５】
ステップＳ５０２にて非リーチ変動パターンではないと判定された場合（例えば、変動パターンがＰＡ２−１、ＰＡ２−５〜ＰＡ２−８である場合）には（ステップＳ５０２；Ｎｏ）、リーチ組合せを構成する最終停止図柄となる確定飾り図柄の組合せを決定する（ステップＳ５０４）。一例として、ステップＳ５０４の処理では、まず、乱数回路１２４または演出用ランダムカウンタ等により更新される左右確定図柄決定用の乱数値を示す数値データを抽出し、ＲＯＭ１２１に予め記憶されて用意された左右確定図柄決定テーブルを参照することなどにより、確定飾り図柄のうち画像表示装置５の表示領域における「左」と「右」の飾り図柄表示エリア５Ｌ、５Ｒにて揃って停止表示される図柄番号が同一の飾り図柄を決定する。さらに、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０１９６】
ステップＳ５０１にて特図表示結果が「ハズレ」ではないと判定されたときには（ステップＳ５０１；Ｎｏ）、例えば主基板１１から伝送された可変表示結果通知コマンドなどに基づいて、特図表示結果が「大当り」で大当り種別が「突確」である場合、または、特図表示結果が「小当り」である場合であるか、これら以外の場合であるかを判定する（ステップＳ５０５）。特図表示結果が「大当り」となる場合の大当り種別は、例えば主基板１１から伝送された可変表示結果通知コマンドを読み取ることなどにより、演出制御用ＣＰＵ１２０によって特定されればよい。「突確」または「小当り」であると判定されたときには（ステップＳ５０５；Ｙｅｓ）、例えば短期開放チャンス目といった、「突確」の場合や「小当り」の場合に対応した飾り図柄の可変表示結果となる確定飾り図柄の組合せを決定する（ステップＳ５０６）。
【０１９７】
ステップＳ５０６における処理の一例として、変動パターン指定コマンドにより変動パターンＰＣ１−１が指定された場合に、複数種類の短期開放チャンス目のうち、いずれかを構成する最終停止図柄となる確定飾り図柄の組合せを決定する。この場合には、乱数回路１２４または演出用ランダムカウンタ等により更新されるチャンス目決定用の乱数値を示す数値データを抽出し、ＲＯＭ１２１に予め記憶されて用意された所定のチャンス目決定テーブル（チャンス目決定用の乱数値と比較される数値（決定値）が各チャンス目に割り当てられたもの）を参照することなどにより、チャンス目決定用の乱数値に該当する決定値に割り当てられたチャンス目を短期開放チャンス目を構成する確定飾り図柄の組合せとして決定すればよい。
【０１９８】
ステップＳ５０６における処理の他の一例として、変動パターン指定コマンドにより変動パターンＰＣ２−１が指定された場合に、例えばステップＳ５０４と同様の処理を実行することにより、リーチ組合せを構成する最終停止図柄となる確定飾り図柄の組合せを決定すればよい。あるいは、変動パターンＰＣ２−１が指定された場合に、ステップＳ５０４と同様の処理を実行することにより「左」と「右」の飾り図柄表示エリア５Ｌ、５Ｒにて揃って停止表示される同一の飾り図柄を決定する一方で、ステップＳ５０４とは異なる処理を実行することにより、「中」の飾り図柄表示エリア５Ｃにて通常時における飾り図柄の可変表示では使用されない特殊な飾り図柄（短期開放チャンス図柄）を停止表示することに決定してもよい。こうした短期開放チャンス図柄を含むリーチ組合せの確定飾り図柄は、短期開放チャンス目に含まれてもよい。
【０１９９】
なお、変動パターンＰＣ２−１が指定されて飾り図柄の可変表示態様がリーチ態様となる場合でも、例えば「左」と「右」の飾り図柄表示エリア５Ｌ、５Ｒにて同一の飾り図柄が揃って仮停止表示されることによりリーチ態様となった後に、「右」の飾り図柄可変表示エリア５Ｒにて飾り図柄を再び変動させることにより仮停止表示した飾り図柄を変更させる「滑り」の可変表示演出を行うとともに、「中」の飾り図柄表示エリア５Ｃにて所定の飾り図柄を停止表示させることで、短期開放チャンス目のいずれかを構成する飾り図柄の組合せが導出表示されるようにしてもよい。この場合、ステップＳ５０６の処理では、変動パターンＰＣ２−１が指定された場合でも、短期開放チャンス目のいずれかを構成する確定飾り図柄の組合せを決定すればよい。
【０２００】
ステップＳ５０５にて「突確」または「小当り」以外の「非確変」または「確変」であると判定されたときには（ステップＳ５０５；Ｎｏ）、大当り組合せを構成する最終停止図柄となる確定飾り図柄の組合せを決定する（ステップＳ５０７）。一例として、ステップＳ５０７の処理では、まず、乱数回路１２４または演出用ランダムカウンタ等により更新される大当り確定図柄決定用の乱数値を示す数値データを抽出する。続いて、ＲＯＭ１２１に予め記憶されて用意された大当り確定図柄決定テーブル（大当り種別が「確変」又は「非確変」であるかに応じて、大当り確定図柄決定用の乱数値と比較される数値（決定値）が、大当り確定図柄（例えば、「確変」の場合には、「１」、「３」、「５」、「７」であり、「非確変」の場合には、「２」、「４」、「６」、「８」など）に割り当てられたもの）を参照することなどにより、大当り確定図柄決定用の乱数値に該当する決定値が大当り種別が「確変」又は「非確変」であるかに応じて割り当てられている図柄を、画像表示装置５の表示領域における「左」、「中」、「右」の飾り図柄表示エリア５Ｌ、５Ｃ、５Ｒに揃って停止表示される図柄番号が同一の飾り図柄（大当り確定図柄）として決定する。
【０２０１】
ステップＳ５０３、Ｓ５０４、Ｓ５０６、Ｓ５０７の処理のいずれかを実行した後には、示唆演出の実行の有無や、実行する場合の示唆演出の内容などを決定する示唆演出決定処理を実行する（ステップＳ５０８）。
【０２０２】
この実施の形態では、演出Ａ１からＡ３及びスーパーリーチＡと、演出Ｃ１からＣ３及びスーパーリーチＣと、は、登場キャラクターが異なるだけで内容が略同じになっている。例えば、図２１及び２２が、演出Ｃ１からＣ３及びスーパーリーチＣにおいて表示される画像を示すが、演出Ａ１からＡ３及びスーパーリーチＡでは、（１−ｂ）、（１−ｅ）などで登場する男の子のキャラクターが異なるキャラクターに変更されているだけで、他の演出内容は演出Ｃ１からＣ３及びスーパーリーチＣが実行される場合と同じである。このため、この実施の形態において、演出Ａ１からＡ３及びスーパーリーチＡと、演出Ｃ１からＣ３及びスーパーリーチＣと、で略同様の示唆演出がなされる。なお、演出Ａ１からＡ３及びスーパーリーチＡと、演出Ｃ１からＣ３及びスーパーリーチＣと、は、全く異なる内容であっても良く、示唆演出も異なるものであってもよい。
【０２０３】
示唆演出は、この実施の形態では、擬似連Ａ又はＣとともに実行されるリーチ前演出（演出Ａ１から演出Ａ３、演出Ｃ１からＣ３）の実行中（図１１（Ａ）及び（Ｃ）の第１示唆演出期間）において３回実行可能であり（示唆演出ＡからＣ）、スーパーリーチＡ又はＣの実行中（図１１（Ａ）及び（Ｃ）の第２示唆演出期間）において１回実行可能であり（示唆演出Ｄ）、スーパーリーチＢの実行中（図１１（Ｂ）の第３示唆演出期間）に３回実行可能である（示唆演出ＥからＧ）。なお、示唆演出の実行可能回数は適宜変更可能である。例えば、第２示唆演出期間にて実行される示唆演出は複数であってもよい。
【０２０４】
示唆演出は、図１２（Ａ）に示すように、演出Ａ１からＡ３（変動パターンＰＡ２−６、ＰＡ３−３）、演出Ｃ１からＣ３（変動パターンＰＡ２−８、ＰＡ３−５）の実行中（第１示唆演出期間）においては、演出Ａ１からＡ３又は演出Ｃ１からＣ３それぞれの実行期間中に設けられた、示唆演出Ａ実行期間、示唆演出Ｂ実行期間、示唆演出Ｃ実行期間のそれぞれにおいて、示唆演出Ａ、示唆演出Ｂ、示唆演出Ｃとして実行される。示唆演出は、図１３（Ａ）に示すように、スーパーリーチＡ（変動パターンＰＡ２−６、ＰＡ３−３）、スーパーリーチＣ（変動パターンＰＡ２−８、ＰＡ３−５）の実行中においては、スーパーリーチＣの実行期間中に設けられた示唆演出Ｄ実行期間において、示唆演出Ｄとして実行される。示唆演出は、図１４（Ａ）に示すように、スーパーリーチＢ（変動パターンＰＡ２−７、ＰＡ３−５）の実行中においては、スーパーリーチＢの実行期間中に設けられた、示唆演出Ｅ実行期間、示唆演出Ｆ実行期間、示唆演出Ｇ実行期間のそれぞれにおいて、示唆演出Ｅ、示唆演出Ｆ、示唆演出Ｇとして実行される。
【０２０５】
各示唆演出ＡからＧは、実行された場合の大当り期待度が低示唆演出よりも高い高示唆演出と、実行された場合の大当り期待度が高示唆演出よりも低い低示唆演出とを含み、各示唆演出実行期間では、示唆演出が実行されないか、高示唆演出が実行されるか、低示唆演出が実行される。
【０２０６】
示唆演出決定処理では、示唆演出ＡからＧについて、実行の有無や実行する場合の示唆演出の内容（高示唆演出を実行するか又は低示唆演出を実行するかなど）が決定される。
【０２０７】
示唆演出Ａ実行期間（擬似連Ａ又はＣの最初の可変表示の期間に設けられている。）において実行される示唆演出Ａには、高示唆演出として、画像表示装置５の表示領域に表示されるキャラクターのセリフをセリフ２に変更した画像を表示する示唆演出（適宜、セリフ２の示唆演出という。）があり、低示唆演出として、画像表示装置５の表示領域に表示されるキャラクターのセリフをセリフ１に変更した画像を表示する示唆演出（適宜、セリフ１の示唆演出という。）がある（図１２（Ｂ））の「セリフ２」、「セリフ１」参照）。例えば、この実施の形態では、擬似連Ｃとともに演出Ｃ１からＣ３が実行されたときに画像表示装置５の表示領域において表示される画像が、図２１に示す画像であり（正確にはリーチが成立した画像である（１−ｉ）は除かれる。）、スーパーリーチＣが実行されたときに画像表示装置５の表示領域において表示される画像が、図２３に示す画像であるが、この場合、（１−ｂ）の段階において示唆演出Ａが実行される可能性がある。そして、高示唆演出として、図２５の（Ｂ）のような、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０２０８】
示唆演出Ｂ実行期間（擬似連Ａ又はＣの１回目の再可変表示の期間内に設けられている。）において実行される示唆演出Ｂには、示唆演出Ａと同様に、高示唆演出として、セリフ２の示唆演出があり、低示唆演出として、セリフ１の示唆演出がある（図１２（Ｂ））の「セリフ２」、「セリフ１」参照）。例えば、図２１の（１−ｅ）の段階において示唆演出Ｂが実行される可能性がある。そして、高示唆演出として、図２５の（Ｂ）のような、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０２０９】
示唆演出Ｃ実行期間（擬似連Ａ又はＣの２回目の再可変表示の期間内に設けられている。）において実行される示唆演出Ｃには、示唆演出ＡやＢと同様に、高示唆演出として、セリフ２の示唆演出があり、低示唆演出として、セリフ１の示唆演出がある（図１２（Ｂ））の「セリフ２」、「セリフ１」参照）。例えば、図２１の（１−ｈ）の段階において示唆演出Ｃが実行される可能性がある。そして、高示唆演出として、図２５の（Ｂ）のような、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０２１０】
示唆演出Ｄ実行期間（スーパーリーチＡ又はＣの実行期間中に設けられている。）において実行される示唆演出Ｄには、高示唆演出として、画像表示装置５の表示領域に表示される画像の少なくとも一部を桜柄にした画像を表示する示唆演出（適宜、桜柄の示唆演出という。）があり、低示唆演出として、画像表示装置５の表示領域に表示される画像の少なくとも一部を赤色にした画像を表示する示唆演出（適宜、赤色の示唆演出という。）がある（図１３（Ｂ）の「桜」、「赤」参照）。例えば、図２２の（１−ｍ）の段階において示唆演出Ｄが実行される可能性がある。この場合、高示唆演出として、図２５の（Ｄ）に示す、帯状の画像（「うおー！」と表示されている画像）の背景を桜柄に変更した画像の表示が実行される。また、低示唆演出として、図２５の（Ｃ）に示す、帯状の画像の背景を赤色（赤色はハッチングで表した。以下、赤色について同じ）に変更した画像の表示が実行される。
【０２１１】
示唆演出Ｅ実行期間（スーパーリーチＢの実行期間中に設けられている。）において実行される示唆演出Ｅには、桜柄の示唆演出があり、低示唆演出として、赤色の示唆演出がある（図１４（Ｂ））の「桜」、「赤」参照）。例えば、この実施の形態では、擬似連Ｂとともに演出Ｂ１からＢ３が実行されたときに画像表示装置５の表示領域において表示される画像が、図２３に示す画像であり（正確にはリーチが成立した画像である（２−ｉ）は除かれる。）、スーパーリーチＢが実行されたときに画像表示装置５の表示領域において表示される画像が、図２４に示す画像であるが、この場合、（２−ｋ）の段階において示唆演出Ｅが実行される可能性がある。そして、高示唆演出として、図２５の（Ｆ）のような、背景を桜柄に変更した画像の表示が実行される。また、低示唆演出として、図２５の（Ｅ）のような、背景を赤色に変更した画像の表示が実行される。
【０２１２】
示唆演出Ｆ実行期間（スーパーリーチＢの実行期間中に設けられている。）において実行される示唆演出Ｆには、高示唆演出として、桜柄の示唆演出があり、低示唆演出として、赤色の示唆演出がある（図１４（Ｂ）の「桜」、「赤」参照）。例えば、図２４の（２−ｌ）の段階において示唆演出Ｆが実行される可能性がある。この場合、高示唆演出として、図２５の（Ｈ）に示す、岩の画像を桜柄に変更した画像の表示が実行される。また、低示唆演出として、図２５の（Ｇ）に示す、岩の画像を赤色に変更した画像の表示が実行される。
【０２１３】
示唆演出Ｇ実行期間（スーパーリーチＢの実行期間中に設けられている。）において実行される示唆演出Ｇには、高示唆演出として、桜柄の示唆演出があり、低示唆演出として、赤色の示唆演出がある（図１４（Ｂ）の「桜」、「赤」参照）。例えば、図２４の（２−ｍ）の段階において示唆演出Ｇが実行される可能性がある。この場合、高示唆演出として、図２５の（Ｊ）に示す、帯状の画像（「どりゃー！」と表示されている画像）の背景を桜柄に変更した画像の表示が実行される。また、低示唆演出として、図２５の（Ｉ）に示す、帯状の画像（「どりゃー！」と表示されている画像）の背景を赤色に変更した画像の表示が実行される。
【０２１４】
図１５は、示唆演出決定処理として、図１０のステップＳ５０８にて実行される処理の一例を示すフローチャートである。図１５に示す示唆演出決定処理において、演出制御用ＣＰＵ１２０は、変動パターンが、再可変表示が１回の擬似連Ａ又は擬似連Ｃを実行するものであるか否かを判定する（ステップＳ６０１）。演出制御用ＣＰＵ１２０は、例えば主基板１１から伝送された変動パターン指定コマンドにより指定された変動パターンが、ＰＡ２−２〜ＰＡ２−４のいずれかであるか否かを判定することで、上記判定を行う。
【０２１５】
伝送された変動パターン指定コマンドにより指定された変動パターンがＰＡ２−２〜ＰＡ２−４のいずれかであることなどによって、演出制御用ＣＰＵ１２０は、変動パターンが、再可変表示が１回の擬似連Ａ又は擬似連Ｃを実行するものであると判定した場合には（ステップＳ６０１；Ｙｅｓ）、示唆演出ＡからＢの実行内容を決定し（ステップＳ６０２）、示唆演出決定処理を終了する。
【０２１６】
演出制御用ＣＰＵ１２０は、ステップＳ６０２では、一例として、まず、乱数回路１２４またはＲＡＭ１２２の所定領域（例えば演出制御カウンタ設定部）に設けられた演出用ランダムカウンタ等により更新される、示唆演出ＡからＢの実行内容決定用の乱数値ＳＲ１を示す数値データを抽出する。演出制御用ＣＰＵ１２０は、抽出した数値データに基づいて、ＲＯＭ１２１に予め記憶されて用意された示唆演出実行内容決定テーブルＡ（乱数値ＳＲ１と比較される数値（決定値）が、示唆演出の実行パターン（示唆演出ＡからＢの実行内容を示すパターン）に割り当てられたもの）を参照することによって、示唆演出ＡからＢの実行内容を決定する。
【０２１７】
具体的には、例えば、演出制御用ＣＰＵ１２０は、抽出した数値データに基づいて、示唆演出実行内容決定テーブルＡを参照し、示唆演出ＡからＢの実行内容を決定（選択）する。さらに具体的には、演出制御用ＣＰＵ１２０は、例えば、示唆演出実行内容決定テーブルＡにおいて、乱数値ＳＲ１に該当する決定値に割り当てられた示唆演出の実行パターンを、示唆演出ＡからＢの実行内容とする。
【０２１８】
図１６は、ステップＳ６０２における示唆演出ＡからＢの実行内容（示唆演出の実行パターン）の決定例を示している。演出制御用ＣＰＵ１２０は、図１６に示すような決定割合で、示唆演出の実行パターンを決定すればよい。なお、図１６において、「無」は、示唆演出が行われないことを示す。図１６において、示唆演出ＡとＢが共に「無」の場合（パターン１−１）には、示唆演出が１回も実行されないことを示す。つまり、示唆演出の実行パターンには、示唆演出が実行されないパターンも含まれている。図１６において、「セリフ１」は、セリフ１の示唆演出が実行されること（つまり、低示唆演出が実行されること）を示し、「セリフ２」は、セリフ２の示唆演出が実行されること（つまり、高示唆演出が実行されること）を示す。
【０２１９】
図１６に示すように、この実施の形態では、示唆演出ＡからＢの実行内容、すなわち、示唆演出ＡからＢの実行パターンが複数用意され（パターン１ー１から１−６）、そのうちの１つが示唆演出ＡからＢの実行内容として決定されることになる。この実施の形態では、擬似連の再可変表示が１回の場合には、可変表示結果がハズレになる。このため、図１６のように、この実施の形態では、擬似連の再可変表示が１回の場合には、示唆演出が実行されない示唆演出の実行パターンが選ばれやすくなっており、示唆演出が実行されにくくなっている。
【０２２０】
伝送された変動パターン指定コマンドにより指定された変動パターンがＰＡ２−２〜ＰＡ２−４のいずれかでないことなどによって、演出制御用ＣＰＵ１２０は、変動パターンが、再可変表示が１回の擬似連Ａ又は擬似連Ｃを実行するものでないと判定した場合には（ステップＳ６０１；Ｎｏ）、変動パターンが、再可変表示が２回の擬似連ＡからスーパーリーチＡを実行するもの、又は、再可変表示が２回の擬似連ＣからスーパーリーチＣを実行するものであるか否かを判定する（ステップＳ６０３）。演出制御用ＣＰＵ１２０は、例えば主基板１１から伝送された変動パターン指定コマンドにより指定された変動パターンが、ＰＡ２−６、ＰＡ２−８、ＰＡ３−３、ＰＡ３−５のいずれかであるか否かを判定することで、上記判定を行う。
【０２２１】
伝送された変動パターン指定コマンドにより指定された変動パターンがＰＡ２−６、ＰＡ２−８、ＰＡ３−３、ＰＡ３−５のいずれかであることなどによって、演出制御用ＣＰＵ１２０は、変動パターンが、再可変表示が２回の擬似連ＡからスーパーリーチＡを実行するもの、又は、再可変表示が２回の擬似連ＣからスーパーリーチＣを実行するものであると判定した場合には（ステップＳ６０３；Ｙｅｓ）、示唆演出ＡからＣの実行内容を決定し（ステップＳ６０４）、示唆演出Ｄの実行内容を決定し（ステップＳ６０５）、示唆演出決定処理を終了する。なお、この実施の形態では、擬似連Ａ（演出Ａ１からＡ３）やスーパーリーチＡを実行する場合と、擬似連Ｃ（演出Ｃ１からＣ３）やスーパーリーチＣを実行する場合とで、共通の方法（つまり、共通のテーブルや乱数値を用いる方法）で示唆演出ＡからＤの実行内容を決定するものとするが、それぞれ異なる方法で示唆演出ＡからＤの実行内容を決定してもよい。
【０２２２】
演出制御用ＣＰＵ１２０は、ステップＳ６０４では、一例として、まず、乱数回路１２４またはＲＡＭ１２２の所定領域（例えば演出制御カウンタ設定部）に設けられた演出用ランダムカウンタ等により更新される、示唆演出ＡからＣの実行内容決定用の乱数値ＳＲ２を示す数値データを抽出する。演出制御用ＣＰＵ１２０は、抽出した数値データに基づいて、ＲＯＭ１２１に予め記憶されて用意された示唆演出実行内容決定テーブルＢ（乱数値ＳＲ２と比較される数値（決定値）が、可変表示結果が「大当り」である場合と「ハズレ」である場合とに応じて示唆演出の実行パターン（示唆演出ＡからＣの実行内容を示すパターン）に割り当てられたもの）を参照することによって、示唆演出ＡからＣの実行内容を決定する。
【０２２３】
具体的には、例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、示唆演出実行内容決定テーブルＢを参照し、示唆演出ＡからＣの実行内容を決定（選択）する。さらに具体的には、演出制御用ＣＰＵ１２０は、例えば、示唆演出実行内容決定テーブルＢにおいて、乱数値ＳＲ２に該当する決定値に、判定結果（「大当り」か「ハズレ」か）に対応して割り当てられた示唆演出の実行パターンを、示唆演出ＡからＣの実行内容とする。
【０２２４】
図１７は、ステップＳ６０４における示唆演出ＡからＣの実行内容（示唆演出の実行パターン）の決定例を示している。演出制御用ＣＰＵ１２０は、図１７に示すような決定割合で、示唆演出の実行パターンを決定すればよい。なお、図１７における、「無」、「セリフ１」、「セリフ２」についての説明は図１６と同様である。図１７におけるパターン２ー１のように、示唆演出ＡからＣが全て「無」の場合には、示唆演出が１回も実行されないことを示す。つまり、示唆演出の実行パターンには、示唆演出が１回も実行されないパターンも含まれている。
【０２２５】
図１７に示すように、この実施の形態では、示唆演出ＡからＣの実行内容、すなわち、示唆演出ＡからＣの実行パターンが複数用意され（パターン２−１から２−９）、そのうちの１つが示唆演出ＡからＣの実行内容として決定されることになる。この実施の形態では、図１７のように、可変表示結果が「大当り」及び「ハズレ」のときにおいて共通の実行パターン（パターン２−１から２−９）が用意されている。
【０２２６】
図１７に示すように、この実施の形態では、可変表示結果が「大当り」の場合において、示唆演出ＡからＣについて示唆演出が実行されない実行パターンであるパターン２−１の決定割合が最も低く、示唆演出ＡからＣについて低示唆演出（セリフ１の示唆演出）が少なくとも１回実行され、高示唆演出（セリフ２の示唆演出）が実行されない実行パターンであるパターン２−２から２−４の決定割合が次に低く、示唆演出ＡからＣについて高示唆演出が少なくとも１回実行される実行パターンであるパターン２−５から２−９の決定割合が最も高くなっている。一方で、可変表示結果が「ハズレ」の場合の、上記各決定割合の大小関係は、「大当り」のときと逆になっている。これらによって、示唆演出が１回も実行されない場合よりも、低示唆演出が少なくとも１回実行されて高示唆演出が実行されない場合の方が、大当り期待度は高く、低示唆演出が少なくとも１回実行されて高示唆演出が実行されない場合よりも、高示唆演出が少なくとも実行された場合の方が、大当り期待度が高くなる。
【０２２７】
なお、パターン２−２から２−４では、大当り期待度は共通しており、パターン２−５から２−９でも大当り期待度は共通している。このため、各示唆演出実行期間において実行される示唆演出が低示唆演出のみであるときは、低示唆演出の実行回数に関わらず大当り期待度が同じになっている。また、各示唆演出実行期間において実行される示唆演出が高示唆演出を含むときには、高示唆演出の実行回数（及び低示唆演出の実行回数）に関わらず大当り期待度が同じになっている。このように、ここでは、低示唆演出や高示唆演出の実行回数ではなく、低示唆演出や高示唆演出が実行されたか否かによって、大当り期待度が異なるようになっている。
【０２２８】
また、高示唆演出が実行されるパターン２−５から２−９には、第１のタイミング（例えば、示唆演出Ａ実行期間又は示唆演出Ｂ実行期間）にて高示唆演出が実行されたあとに、第１のタイミングよりも後の第２のタイミング（例えば、示唆演出Ｂ実行期間又は示唆演出Ｃ実行期間）にて低示唆演出が実行されるパターンが含まれていない。つまり、示唆演出ＡからＣでは、高示唆演出が実行された後に低示唆演出が実行されることが禁止されている。
【０２２９】
また、高示唆演出が実行されるパターン２−５から２−９には、第１のタイミング（例えば、示唆演出Ａ実行期間又は示唆演出Ｂ実行期間）にて示唆演出が実行されたあとに、第１のタイミングよりも後の第２のタイミング（例えば、示唆演出Ｂ実行期間又は示唆演出Ｃ実行期間）にて示唆演出が実行されないパターンが含まれていない。つまり、示唆演出ＡからＣでは、示唆演出が実行された後に示唆演出が実行されないことが禁止されている。つまり、示唆演出が実行されたあとには、必ず示唆演出が実行されることになる。
【０２３０】
また、演出制御用ＣＰＵ１２０は、ステップＳ６０５では、一例として、まず、乱数回路１２４またはＲＡＭ１２２の所定領域（例えば演出制御カウンタ設定部）に設けられた演出用ランダムカウンタ等により更新される、示唆演出Ｄの実行内容決定用の乱数値ＳＲ３を示す数値データを抽出する。
【０２３１】
さらに、演出制御用ＣＰＵ１２０は、抽出した数値データに基づいて、ＲＯＭ１２１に予め記憶されて用意された示唆演出実行内容決定テーブルＣ（乱数値ＳＲ３と比較される数値（決定値）が、可変表示結果が「大当り」である場合と「ハズレ」である場合とに応じて示唆演出の実行パターン（示唆演出Ｄの実行内容を示すパターン）に割り当てられたもの）を参照することによって、示唆演出Ｄの実行内容を決定する。
【０２３２】
例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、示唆演出実行内容決定テーブルＣを参照し、示唆演出Ｄの実行内容を決定（選択）する。さらに具体的には、演出制御用ＣＰＵ１２０は、例えば、示唆演出実行内容決定テーブルＣにおいて、乱数値ＳＲ３に該当する決定値に、判定結果（「大当り」か「ハズレ」か）に対応して割り当てられた示唆演出の実行パターンを、示唆演出Ｄの実行内容とする。
【０２３３】
図１８は、ステップＳ６０４での示唆演出Ｄの実行内容（示唆演出の実行パターン）の決定例を示している。演出制御用ＣＰＵ１２０は、図１８に示すような決定割合で、示唆演出の実行パターン（ここでは、示唆演出の実行タイミングが１回なので、示唆演出Ｄの実行無し、示唆演出Ｄとして低示唆演出を実行、示唆演出Ｄとして高示唆演出を実行のいずれかを特定するもの）を決定すればよい。
【０２３４】
なお、図１８において、「無」は、示唆演出が行われないことを示す。図１８において、「桜」は、桜柄の示唆演出が実行されること（つまり、高示唆演出が実行されること）を示し、「赤」は、赤色の示唆演出が実行されること（つまり、低示唆演出が実行されること）を示す。
【０２３５】
図１８に示すように、この実施の形態では、示唆演出Ｄの実行内容が複数用意され（実行無しか、桜柄の示唆演出を実行するか、赤色の示唆演出を実行するか）、そのうちの１つが示唆演出Ｄの実行内容として決定されることになる。
【０２３６】
図１８に示すように、この実施の形態では、可変表示結果が「大当り」の場合において、示唆演出Ｄが、実行無しの決定割合が最も高く、高示唆演出の決定割合が次に高く、低示唆演出の決定割合が最も低くなっている。また、一方で、可変表示結果が「ハズレ」の場合において、示唆演出Ｄが、実行無しの決定割合が最も高く、低示唆演出の決定割合が次に高く、高示唆演出の決定割合が最も低くなっている。大当り期待度は、示唆演出を実行しない場合が最も低く、高示唆演出が実行される場合が最も高くなる。これらによって、大当り期待度は、示唆演出を実行しない場合の方が、高示唆演出が実行される場合よりも低くなる。
【０２３７】
伝送された変動パターン指定コマンドにより指定された変動パターンがＰＡ２−６、ＰＡ２−８、ＰＡ３−３、ＰＡ３−５のいずれかでないことなどによって、演出制御用ＣＰＵ１２０は、変動パターンが、再可変表示が２回の擬似連ＡからスーパーリーチＡを実行するもの、又は、再可変表示が２回の擬似連ＣからスーパーリーチＣを実行するもののいずれでもないと判定した場合には（ステップＳ６０３；Ｎｏ）、変動パターンが、再可変表示が２回の擬似連ＢからスーパーリーチＢを実行するものであるか否かを判定する（ステップＳ６０８）。演出制御用ＣＰＵ１２０は、例えば主基板１１から伝送された変動パターン指定コマンドにより指定された変動パターンが、ＰＡ２−７、ＰＡ３−５のいずれかであるか否かを判定することで、上記判定を行う。
【０２３８】
伝送された変動パターン指定コマンドにより指定された変動パターンがＰＡ２−７、ＰＡ３−５のいずれかであることなどによって、演出制御用ＣＰＵ１２０は、変動パターンが、再可変表示が２回の擬似連ＢからスーパーリーチＢを実行するものであると判定した場合には（ステップＳ６０８；Ｙｅｓ）、示唆演出ＥからＧの実行内容を決定し（ステップＳ６０９）、示唆演出決定処理を終了する。また、伝送された変動パターン指定コマンドにより指定された変動パターンがＰＡ２−７、ＰＡ３−５のいずれかでないことなどによって、演出制御用ＣＰＵ１２０は、変動パターンが、再可変表示が２回の擬似連ＢからスーパーリーチＢを実行するものでないと判定した場合にも（ステップＳ６０８；Ｎｏ）、示唆演出決定処理を終了する。
【０２３９】
演出制御用ＣＰＵ１２０は、ステップＳ６０４では、一例として、まず、乱数回路１２４またはＲＡＭ１２２の所定領域（例えば演出制御カウンタ設定部）に設けられた演出用ランダムカウンタ等により更新される、示唆演出ＥからＧの実行内容決定用の乱数値ＳＲ４を示す数値データを抽出する。演出制御用ＣＰＵ１２０は、抽出した数値データに基づいて、ＲＯＭ１２１に予め記憶されて用意された示唆演出実行内容決定テーブルＥ（乱数値ＳＲ４と比較される数値（決定値）が、可変表示結果が「大当り」である場合と「ハズレ」である場合とに応じて示唆演出の実行パターン（示唆演出ＥからＧの実行内容を示すパターン）に割り当てられたもの）を参照することによって、示唆演出ＥからＧの実行内容を決定する。
【０２４０】
具体的には、例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、示唆演出実行内容決定テーブルＥを参照し、示唆演出ＥからＧの実行内容を決定（選択）する。さらに具体的には、演出制御用ＣＰＵ１２０は、例えば、示唆演出実行内容決定テーブルＥにおいて、乱数値ＳＲ４に該当する決定値に、判定結果（「大当り」か「ハズレ」か）に対応して割り当てられた示唆演出の実行パターンを、示唆演出ＥからＧの実行内容とする。
【０２４１】
図１９は、ステップＳ６０９における示唆演出ＥからＧの実行内容（示唆演出の実行パターン）の決定例を示している。演出制御用ＣＰＵ１２０は、図１９に示すような決定割合で、示唆演出の実行パターンを決定すればよい。なお、図１９において、「無」は、示唆演出が実行されないことを示す。図１９におけるパターン３ー１のように、示唆演出ＥからＧが全て「無」の場合には、示唆演出が１回も実行されないことを示す。つまり、示唆演出の実行パターンには、示唆演出が１回も実行されないパターンも含まれている。図１９において、「赤」は、赤色の示唆演出が実行されること（つまり、低示唆演出が実行されること）を示し、「桜」は、桜柄の示唆演出が実行されること（つまり、高示唆演出が実行されること）を示す。
【０２４２】
図１９に示すように、この実施の形態では、示唆演出ＥからＧの実行内容、すなわち、示唆演出ＥからＧの実行パターンが複数用意され（パターン３−１から３−９）、そのうちの１つが示唆演出ＥからＧの実行内容として決定されることになる。この実施の形態では、図１９のように、可変表示結果が「大当り」及び「ハズレ」のときにおいて共通の実行パターン（パターン３−１から３−９）が用意されている。
【０２４３】
図１９に示すように、この実施の形態では、可変表示結果が「大当り」の場合において、示唆演出ＥからＧについて示唆演出が実行されない実行パターンであるパターン３−１の決定割合がパターン３−１から３−８のうちで最も低く、示唆演出ＥからＧについて低示唆演出（赤色の示唆演出）が少なくとも１回実行され、高示唆演出（桜柄の示唆演出）が実行されない実行パターンであるパターン３−２から３−４の決定割合が次に低く、示唆演出ＥからＧについて高示唆演出が少なくとも１回実行される実行パターンであるパターン３−５から３−８の決定割合が最も高くなっている。一方で、可変表示結果が「ハズレ」の場合の、上記各決定割合の大小関係は、「大当り」のときと逆になっている。さらに、高示唆演出が実行される実行パターンであるパターン３−９の決定割合は他のパターンよりも小さくなっているが、パターン３−９の決定割合はパターン３−５から３−８と同様に、可変表結果が「ハズレ」のときよりも「大当り」のときの方が高い。これらによって、示唆演出が１回も実行されない場合よりも、低示唆演出が少なくとも１回実行されて高示唆演出が実行されない場合の方が、大当り期待度は高く、低示唆演出が少なくとも１回実行されて高示唆演出が実行されない場合よりも、高示唆演出が少なくとも実行された場合の方が、大当り期待度が高くなることが分かる。
【０２４４】
なお、パターン３−２から３−４では、大当り期待度は共通しており、パターン３−５から３−８でも大当り期待度は共通している。このため、各示唆演出実行期間において実行される示唆演出が低示唆演出のみであるときは、低示唆演出の実行回数に関わらず大当り期待度が同じになっている。また、各示唆演出実行期間において実行される示唆演出が高示唆演出を含むときには、高示唆演出の実行回数（及び低示唆演出の実行回数）に関わらず大当り期待度が複数の実行パターンにおいて同じになっている。このように、ここでは、主に、低示唆演出や高示唆演出の実行回数ではなく、低示唆演出や高示唆演出が実行されたか否かによって、大当り期待度が異なるようになっている。
【０２４５】
また、図１９に示すように、この実施の形態では、所定の実行パターン（パターン３−９）は、可変表示結果が「大当り」及び「ハズレ」のときの決定割合がパターン３−１から３−８よりも小さくなっている（３／１００及び１／１００）。このため、パターン３−９は、パターン３−１から３−８に比べ、実行される可能性が少ない。ここで、パターン３−９では、高示唆演出が示唆演出Ａ実行期間において実行されたあとに、低示唆演出が示唆演出Ａ実行期間よりも遅いタイミングで到来する示唆演出Ｂ実行期間において実行される。さらに、示唆演出Ｂ実行期間で低示唆演出が実行されたあとに、示唆演出Ａ実行期間よりも遅いタイミングで到来する示唆演出Ｃ実行期間において示唆演出が実行されない。つまり、パターン３−９は、第１のタイミングで高示唆演出を実行し、第１のタイミングよりも後の第２のタイミングで低示唆演出を実行するパターンになっている。さらに、パターン３−９はあるタイミングで示唆演出を実行し、あるタイミングよりも後のタイミングで示唆演出を実行しないパターンになっている。しかし、パターン３−９よりも実行されやすいパターン３−１から３−８ではそうはなっていない。このように、この実施の形態では、示唆演出の実行において、第１のタイミングで高示唆演出が実行された場合には、第１のタイミングよりも後の第２のタイミングで低示唆演出が実行されにくいようになっている。さらに、示唆演出の実行において、あるタイミングで示唆演出（特に高示唆演出）が実行された場合には、前記あるタイミングよりも後のタイミングで示唆演出が実行されやすいようになっている。
【０２４６】
なお、図１８及び図１９の各決定例を参照すると、スーパーリーチＡ及びＣの実行時において示唆演出が実行される可能性（必ず実行される場合を「１」とする。以下同じ。）は、図１８の場合に、「大当り」のときには６０／１００＝０．６０（示唆演出が実行される実行パターンの決定割合）で、「ハズレ」のときには３０／１００＝０．３０（示唆演出が実行される実行パターンの決定割合）である。一方で、スーパーリーチＢの実行時において示唆演出が実行される可能性は、「大当り」のときには９３／１００＝０．９３（示唆演出が実行される実行パターンの決定割合）で、「ハズレ」のときには５７／１００＝０．５７（示唆演出が実行される実行パターンの決定割合）である。このように、可変表示結果が「大当り」及び「ハズレ」のときに、示唆演出が実行される可能性は、スーパーリーチＡ又はＣの実行時よりもスーパーリーチＢの実行時の方が高くなっている。
【０２４７】
ステップＳ５０８にて示唆演出決定処理を行った後には、演出制御用ＣＰＵ１２０は、使用パターンとなる演出制御パターンを、予め用意された複数パターンのうちから選択する（ステップＳ５０９）。演出制御用ＣＰＵ１２０は、例えば変動パターン指定コマンドにより指定された変動パターンや、示唆演出決定処理で決定した示唆演出の内容などに対応して、ＲＯＭ１２１に予め記憶されて用意された複数の演出制御パターンのいずれかを選択し、使用パターンとしてセットすればよい。このようなセットによって、可変表示中の演出の制御内容（つまり、リーチ演出や示唆演出などを適宜含む演出の演出態様）が決定される。続いて、例えば変動パターン指定コマンドにより指定された変動パターンに対応して、演出制御タイマ設定部１９２に設けられた演出制御プロセスタイマの初期値を設定する（ステップＳ５１０）。
【０２４８】
そして、画像表示装置５における飾り図柄などの変動を開始させる設定を行う（ステップＳ５１１）。このときには、例えばステップＳ５１０にて使用パターンとして決定された演出制御パターンに含まれる表示制御データが指定する表示制御指令を表示制御部１２３のＶＤＰ等に対して伝送させることなどにより、画像表示装置５の表示領域に設けられた「左」、「中」、「右」の各飾り図柄表示エリア５Ｌ、５Ｃ、５Ｒにて飾り図柄の変動を開始させればよい。その後、演出プロセスフラグの値を可変表示中演出処理に対応した値である“２”に更新してから（ステップＳ５１２）、可変表示開始設定処理を終了する。
【０２４９】
図２０は、可変表示中演出処理として、図８のステップＳ１７２にて実行される処理の一例を示すフローチャートである。図２０に示す可変表示中演出処理において、演出制御用ＣＰＵ１２０は、まず、例えば演出制御プロセスタイマ値などに基づいて、変動パターンに対応した可変表示時間が経過したか否かを判定する（ステップＳ５２１）。一例として、ステップＳ５２１の処理では、演出制御プロセスタイマ値を更新（例えば１減算）し、更新後の演出制御プロセスタイマ値に対応して演出制御パターンから終了コードが読み出されたときなどに、可変表示時間が経過したと判定すればよい。
【０２５０】
ステップＳ５２１にて可変表示時間が経過していない場合には（ステップＳ５２１；Ｎｏ）、現在がリーチ前演出（演出Ａ１からＡ３など）を実行するためのリーチ前演出実行期間であるか否かを判定する（ステップＳ５２２）。リーチ前演出実行期間は、例えば変動パターンに応じて選択された演出制御パターンにおいて、予め定められていればよい。リーチ前演出実行期間である場合（ステップＳ５２２；Ｙｅｓ）、演出制御用ＣＰＵ１２０は、現在が示唆演出を実行するための示唆演出実行期間（示唆演出Ａ実行期間など）であるか否かを判定する（ステップＳ５２３）。示唆演出実行期間は、例えば示唆演出を実行することに対応して選択された演出制御パターンにおいて、予め定められていればよい。示唆演出実行期間であるときには（ステップＳ５２３；Ｙｅｓ）、リーチ前演出及び示唆演出を実行するための演出動作制御を行う（ステップＳ５２４）。
【０２５１】
一例として、ステップＳ５２４の処理では、演出制御パターンなどから読み出した演出制御実行データ（例えば表示制御データなど）に応じて、所定の演出態様によるリーチ演出及び示唆演出を実行するために、各種指令を作成して表示制御部１２３などに対して伝送させればよい。これによって、演出制御用ＣＰＵ１２０は、各装置を制御し、リーチ前演出及び示唆演出を実行する。
【０２５２】
現在が示唆演出実行期間でないときには（ステップＳ５２３；Ｎｏ）、演出制御用ＣＰＵ１２０は、リーチ前演出を実行するための演出動作制御を行う（ステップＳ５２５）。一例として、ステップＳ５２５の処理では、演出制御パターンなどから読み出した演出制御実行データ（例えば表示制御データなど）に応じて、所定の演出態様によるリーチ前演出を実行するために、各種指令を作成して表示制御部１２３などに対して伝送させればよい。これによって、演出制御用ＣＰＵ１２０は、各装置を制御し、リーチ前演出を実行する。
【０２５３】
現在がリーチ演出前実行期間ではないときや（ステップＳ５２２；Ｎｏ）、ステップＳ５２４又はステップＳ５２５の処理を実行した後には、例えば、現在がリーチ演出を実行するためのリーチ演出実行期間であるか否かを判定する（ステップＳ５２６）。リーチ演出実行期間は、例えば変動パターンに応じて選択された演出制御パターンにおいて、予め定められていればよい。リーチ演出実行期間である場合（ステップＳ５２６；Ｙｅｓ）、演出制御用ＣＰＵ１２０は、現在が示唆演出を実行するための示唆演出実行期間（示唆演出Ｄ実行期間など）であるか否かを判定する（ステップＳ５２７）。示唆演出実行期間は、例えば示唆演出を実行することに対応して選択された演出制御パターンにおいて、予め定められていればよい。示唆演出実行期間であるときには（ステップＳ５２７；Ｙｅｓ）、リーチ演出及び示唆演出を実行するための演出動作制御を行う（ステップＳ５２８）。
【０２５４】
一例として、ステップＳ５２８の処理では、演出制御パターンなどから読み出した演出制御実行データ（例えば表示制御データなど）に応じて、所定の演出態様によるリーチ演出及び示唆演出を実行するために、各種指令を作成して表示制御部１２３などに対して伝送させればよい。これによって、演出制御用ＣＰＵ１２０は、各装置を制御し、リーチ演出及び示唆演出を実行する。
【０２５５】
現在が示唆演出実行期間でないときには（ステップＳ５２７；Ｎｏ）、演出制御用ＣＰＵ１２０は、リーチ演出を実行するための演出動作制御を行う（ステップＳ５２９）。一例として、ステップＳ５２９の処理では、演出制御パターンなどから読み出した演出制御実行データ（例えば表示制御データなど）に応じて、所定の演出態様によるリーチ演出を実行するために、各種指令を作成して表示制御部１２３などに対して伝送させればよい。これによって、演出制御用ＣＰＵ１２０は、各装置を制御し、リーチ演出を実行する。
【０２５６】
現在がリーチ演出実行期間ではないときや（ステップＳ５２６；Ｎｏ）、ステップＳ５２８又はステップＳ５２９の処理を実行した後には、例えば変動パターンに対応して選択された演出制御パターンにおける設定などに基づいて、その他、飾り図柄の可変表示動作を含めた演出動作制御を行ってから（ステップＳ５３０）、可変表示中演出処理を終了する。
【０２５７】
一方、可変表示時間が経過した場合には（ステップＳ５２１；Ｙｅｓ）、主基板１１から伝送される図柄確定コマンドの受信があったか否かを判定する（ステップＳ５３１）。このとき、図柄確定コマンドの受信がなければ（ステップＳ５３１；Ｎｏ）、可変表示中演出処理を終了して待機する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０２５８】
ステップＳ５２９にて図柄確定コマンドの受信があった場合には（ステップＳ５３１；Ｙｅｓ）、例えば表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ５３２）。また、当り開始指定コマンド受信待ち時間として予め定められた一定時間を設定する（ステップＳ５３３）。そして、演出プロセスフラグの値を特図当り待ち処理に対応した値である“３”に更新してから（ステップＳ５３４）、可変表示中演出処理を終了する。
【０２５９】
上記で説明した一連の処理によって実行される演出Ｃ１からＣ３、スーパーリーチＣ、及び、示唆演出ＡからＤの例について説明する。例えば、変動パターンとしてＰＡ２−８又はＰＡ３−５が選択された場合、可変表示中において擬似連Cが実行されたあとにリーチ成立し、その後にスーパーリーチＣが実行される。この場合、例えば、画像表示装置５の表示領域には、図２１から図２２のような画像が表示される。図２１の画像は、変動パターンＰＡ２−８又はＰＡ３−５に基づいて表示される画像のうち、演出Ｃ１からＣ３が実行され、その後にリーチが成立するまでの期間において表示される代表的な画像である。また、図２２の画像は、変動パターンＰＡ２−８又はＰＡ３−５に基づいて表示される画像のうち、スーパーリーチＣにおいて表示される代表的な画像である。
【０２６０】
図２１（１−ｃ）以降に１回目の再可変表示が開始され、図２１（１−ｆ）以降に２回目の再可変表示が開始され、図２１（１−ｉ）でリーチが成立し、その後にスーパーリーチＣが実行される。図２２（１−ｊ）までは、ノーマルのリーチ演出が実行され、図２２（１−ｊ）でノーマルのリーチ演出が発展し、スーパーＣのリーチ演出が実行される。変動パターンとしてＰＡ２−８が選択された場合には、可変表示結果は「ハズレ」になるので、画像は図２２（１ーｍ）から、（１−ｐ）、（１−ｑ）に遷移する。変動パターンとしてＰＡ３−５が選択された場合には、可変表示結果は「大当り」になるので、画像は図１８（１−ｍ）から、（１−ｎ）、（１−ｏ）に遷移する。図２１のように、演出Ｃ１からＣ３それぞれにおいて、（１−ｂ）、（１−ｅ）、（１−ｈ）それぞれが表示されるが、これらは、キャラクターが共通しているものの、演出Ｃ１からＣ３では一連のストーリーを構成する画像を表示しない。
【０２６１】
また、示唆演出の実行内容（実行パターン）が決定されている場合には、決定された実行パターンに従って示唆演出ＡからＤが適宜実行される。
【０２６２】
図２１（１−ｂ）の段階（最初の可変表示の実行期間に設けられた示唆演出Ａ実行期間）において示唆演出Ａが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０２６３】
図２１の（１−ｅ）の段階（１回目の再可変表示の実行期間に設けられた示唆演出Ｂ実行期間）において示唆演出Ｂが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０２６４】
図２１の（１−ｈ）の段階（２回目の再可変表示の実行期間かつリーチ成立前に設けられた示唆演出Ｃ実行期間）において示唆演出Ｃが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０２６５】
図２２の（１−ｍ）の段階（スーパーリーチＣの実行期間に設けられた示唆演出Ｄ実行期間）において示唆演出Ｄが実行される可能性がある。この場合、高示唆演出として、図２５の（Ｄ）に示す、帯状の画像（「うおー！」と表示されている画像）の背景を桜柄に変更した画像の表示が実行される。また、低示唆演出として、図２５の（Ｃ）に示す、帯状の画像の背景を赤色に変更した画像の表示が実行される。
【０２６６】
上記で説明した一連の処理によって実行されるストーリーＢ１からＢ３、スーパーリーチＢ、及び、示唆演出ＥからＧの例について説明する。例えば、変動パターンとしてＰＡ２−７又はＰＡ３−４が選択された場合、可変表示中において擬似連Ｂが実行されたあとにリーチ成立し、その後にスーパーリーチＢが実行される。この場合、例えば、画像表示装置５の表示領域には、図２３から図２４のような画像が表示される。図２３の画像は、変動パターンＰＡ２−７又はＰＡ３−４に基づいて表示される画像のうち、ストーリーＢ１からＢ３が実行され、その後にリーチが成立するまでの期間において表示される代表的な画像である。また、図２４の画像は、変動パターンＰＡ２−７又はＰＡ３−４に基づいて表示される画像のうち、スーパーリーチＢにおいて表示される代表的な画像である。
【０２６７】
図２３（２−ｃ）以降に１回目の再可変表示が開始され、図２３（２−ｆ）以降に２回目の再可変表示が開始され、図２１（２−ｉ）でリーチが成立し、その後にスーパーリーチＣが実行される。図２２（２−ｊ）までは、ノーマルのリーチ演出が実行され、図２２（２−ｊ）でノーマルのリーチ演出が発展し、スーパーＣのリーチ演出が実行される。変動パターンとしてＰＡ２−７が選択された場合には、可変表示結果は「ハズレ」になるので、画像は図２２（２ーｍ）から、（２−ｐ）、（２−ｑ）に遷移する。変動パターンとしてＰＡ３−４が選択された場合には、可変表示結果は「大当り」になるので、画像は図２２（２−ｍ）から、（２−ｎ）、（２−ｏ）に遷移する。また、図２３のように、ストーリーＢ１からＢ３それぞれにおいて、（２−ｂ）、（２−ｅ）、（２−ｈ）それぞれが表示されるが、これらは、一連のストーリーを構成する画像となっている。
【０２６８】
また、示唆演出の実行内容（実行パターン）が決定されている場合には、決定された実行パターンに従って示唆演出ＥからＧが適宜実行される。
【０２６９】
図２４の（２−ｋ）の段階（スーパーリーチＢの実行期間に設けられた示唆演出Ｅ実行期間）において示唆演出Ｅが実行される可能性がある。そして、高示唆演出として、図２５の（Ｆ）に示す、背景を桜柄に変更した画像の表示が実行される。また、低示唆演出として、図２５の（Ｅ）に示す、背景を赤色に変更した画像の表示が実行される。
【０２７０】
図２４の（２−ｌ）の段階（スーパーリーチＢの実行期間に設けられた示唆演出Ｆ実行期間）において示唆演出Ｆが実行される可能性がある。この場合、高示唆演出として、図２５の（Ｈ）に示す、岩の画像を桜柄に変更した画像の表示が実行される。また、低示唆演出として、図２５の（Ｇ）に示す、岩の画像を赤色に変更した画像の表示が実行される。
【０２７１】
図２４の（２−ｍ）の段階（スーパーリーチＢの実行期間に設けられた示唆演出Ｇ実行期間）において示唆演出Ｇが実行される可能性がある。この場合、高示唆演出として、図２５の（Ｊ）に示す、帯状の画像（「どりゃー！」と表示されている画像）の背景を桜柄に変更した画像の表示が実行される。また、低示唆演出として、図２５の（Ｉ）に示す、帯状の画像（「どりゃー！」と表示されている画像）の背景を赤色に変更した画像の表示が実行される。
【０２７２】
この実施の形態では、上記のような構成によって、飾り図柄の可変表示を実行して可変表示結果を導出表示する画像表示装置５を備え、画像表示装置５によって予め定められた大当り組合せとなる確定飾り図柄が導出表示されたときに遊技者にとって有利な大当り遊技状態（特に、第１特定遊技状態）に制御するパチンコ機１が実現される。そして、このパチンコ機１は、大当り遊技状態に制御するか否かを可変表示結果の導出表示前に事前決定し、可変表示を開始してから表示結果が導出表示されるまでの間に特定表示結果とは異なる非特定表示結果を仮停止表示してから可変表示を再度実行する再可変表示を１回以上行って（擬似連を行って）その後に可変表示がリーチ状態になる変動パターンＰＡ２−６から２−８及びＰＡ３−３から３−５などを含む複数の変動パターンのうちのいずれかの変動パターンを選択する。そして、パチンコ機１は、画像表示装置５に、前記で選択した変動パターンにて飾り図柄の可変表示を実行させる。また、パチンコ機１は、事前決定の決定結果に基づいて、大当り遊技状態に制御するか否かの可能性を示唆する示唆演出ＡからＧを実行可能である。さらに、前記の再可変表示パターンには、識別情報の可変表示がリーチ状態になる前である第１示唆演出実行期間と後である第２示唆演出実行期間において示唆演出ＡからＤを実行可能な第１の変動パターン（例えば、演出Ａ１からＡ３の後にスーパーリーチＡが実行される変動パターンＰＡ２−６、ＰＡ３−５や、演出Ｃ１からＣ３の後にスーパーリーチＣが実行されるＰＡ２−８、ＰＡ３−５など）と、識別情報の可変表示がリーチ状態になった後である第３示唆演出実行期間のみにおいて示唆演出を実行可能な第２の変動パターン（例えば、ストーリーＢ１からＢ３の後にスーパーリーチＢが実行される変動パターンＰＡ２−７、ＰＡ３−４など）と、が含まれる。さらに、パチンコ遊技機１は、第２示唆演出実行期間にて示唆演出Ｄを実行するよりも第３示唆演出実行期間の方が高い割合で示唆演出ＥからＧの少なくともいずれかを実行する。
【０２７３】
このような構成によって、この実施の形態では、第２示唆演出実行期間（つまり、スーパーリーチＡやＣの実行期間）よりも、第３示唆演出実行期間（つまり、スーパーリーチＢの実行期間）の方が、大当り遊技状態に制御される期待感を煽りやすいので、示唆演出の実行ができない所定の演出（ストーリーＢ１からＢ３）が実行された場合であっても（つまり、示唆演出が実行できない期間があったとしても）、スーパーリーチＡやＣよりもスーパーリーチＢにおいて前記期待感を煽りやすく、例えば、示唆演出の実行ができる演出（演出Ａ１からＡ３、Ｃ１からＣ３）が実行された場合と同様に大当り遊技状態に制御される期待感を煽ることができるので、遊技への興趣の低下を軽減又は防止できる。第２示唆演出実行期間にて示唆演出Ｄを実行するよりも第３示唆演出実行期間の方が高い割合で示唆演出ＥからＧの少なくともいずれかを実行するとは、例えば、大当り遊技状態に制御される場合又はされない場合であるかに関わらず、示唆演出ＥからＧの少なくともいずれかを実行する確率が示唆演出Ｄを実行する確率よりも高いものであればよい。なお、第２示唆演出実行期間や第３示唆演出期間にて示唆演出を実行可能なポイントが複数の場合には、前記確率は、例えば、複数のポイントの少なくともいずれかで示唆演出を実行する確率（１回以上示唆演出を実行する確率）であってもよい。
【０２７４】
また、この実施の形態では、上記のような構成によって、第２の変動パターンＰＡ２−８、ＰＡ３−５を選択した場合の大当り期待度は、変動パターンＰＡ２−７、ＰＡ３−４を選択した場合の大当り期待度よりも高い。このため、スーパーリーチＣの大当り期待度がスーパーリーチＢよりも高い状況において、スーパーリーチＢが実行されたとしても、スーパーリーチＢの方が示唆演出は実行されやすいので、スーパーリーチＢが実行された場合にも大当り遊技状態に制御される期待感を煽ることができる。
【０２７５】
また、この実施の形態では、上記のような構成によって、擬似連Ａ及びＣと、擬似連Ｂとで、同じ回数の再可変表示が行われており、この場合に、スーパーリーチＢにおいて示唆演出が実行される可能性が高くなっている。これによって、上記と同様に、遊技への興趣の低下を軽減又は防止できる。なお、後にスーパーリーチが実行される複数種の擬似連（擬似連ＡからＣ）で、互いに異なる回数の再可変表示が実行可能としてもよく、この場合に、同じ回数の擬似連が実行されるときに、スーパーリーチＢ（第３示唆演出期間）で示唆演出を実行する方が、スーパーリーチＡ又はＣ（第３示唆演出期間）で示唆演出を実行するよりも、示唆演出が実行される可能性が高くなるようにしてもよく、この場合であっても、上記と同様に、遊技への興趣の低下を軽減又は防止できる。
【０２７６】
また、この実施の形態では、上記のように、スーパーリーチＡ及びＣ（第２示唆演出期間）において示唆演出が実行される可能性があるタイミング（ここでは、示唆演出実行期間）は１回であり（示唆演出Ｄ）、スーパーリーチＢ（第３示唆演出期間）において示唆演出が実行される可能性があるタイミング（ここでは、示唆演出実行期間）は３回である（示唆演出ＥからＧ）。このように、第２示唆演出期間よりも、第３示唆演出期間の方が、示唆演出が実行される可能性があるタイミングが多いことによって、大当り遊技状態に制御される期待感を煽るポイントが多くなり、例えば、示唆演出の実行ができる演出（演出Ａ１からＡ３、Ｃ１からＣ３）が実行された場合と同様に、大当り遊技状態に制御される期待感を煽ることができ、遊技への興趣の低下を軽減又は防止できる。
【０２７７】
また、この実施の形態では、上記のような構成によって、第１のタイミング（示唆演出Ｅ実行期間など）にて、高示唆演出と、低示唆演出と、のうちのいずれかを実行可能であり、第１のタイミングよりも遅い第２のタイミング（示唆演出Ｆ実行期間など）にて、高示唆演出と、低示唆演出と、のうちのいずれかを実行可能であり、第１のタイミングで高示唆演出を実行した場合には、第２のタイミングで低示唆演出を実行しにくくなっている。また、上記のような構成によって、第１のタイミング（示唆演出Ａ実行期間など）にて、高示唆演出と、低示唆演出と、のうちのいずれかを実行可能であり、第１のタイミングよりも遅い第２のタイミング（示唆演出Ｂ実行期間など）にて、高示唆演出と、低示唆演出と、のうちのいずれかを実行可能であり、第１のタイミングで高示唆演出を実行した場合には、第２のタイミングで低示唆演出を実行しないようになっている。なお、例えば、各タイミングで実行される高示唆演出同士や、低示唆演出同士は、実行された場合に特定遊技状態に制御される可能性が異なってもよい（例えば、前記可能性（大当り期待度）が０．１から０．３など、幅を持つ場合には一部重複していてもよい。詳しくは後述する）。上記によれば、大当り期待度が第１のタイミングにおいて比較的高い示唆演出が実行されたあとに、大当り期待度が第２のタイミングにおいて比較的低い示唆演出が実行されたことによる、特定遊技状態に制御される期待感が損なわれにくくすることができ、遊技への興趣の低下を防止又は軽減できる。なお、第２のタイミングにて低示唆演出が実行されにくいとは、第１のタイミングにて高示唆演出が実行されたときの方が、第１のタイミングにて高示唆演出が実行されなかったときよりも、第２のタイミングで低示唆演出が実行される確率が低いことを意味し、例えば、大当り遊技状態に制御される場合又はされない場合を考えたときに、それぞれにおいて、又は、少なくとも一方において、第１のタイミングにて高示唆演出が実行されたときの方が、第１のタイミングにて高示唆演出が実行されなかったときよりも、第２のタイミングで低示唆演出が実行される確率が低いことを意味する。
【０２７８】
さらに、この実施の形態では、上記のような構成によって、第１のタイミング（示唆演出Ｆ実行期間など）で示唆演出を実行した場合には、第２のタイミング（示唆演出Ｇ実行期間など）で示唆演出が実行されやすいようになっている。また、第１のタイミング（示唆演出Ａ実行期間など）で示唆演出実行した場合には、第２のタイミング（示唆演出Ｂ実行期間など）で示唆演出を必ず実行するようになっている。上記によれば、大当り期待度が第１のタイミングにおいて示唆演出が実行されたあとに、大当り期待度が第２のタイミングにおいて示唆演出が実行されないことによる、特定遊技状態に制御される期待感が損なわれにくくすることができ、遊技への興趣の低下を防止又は軽減できる。なお、第２のタイミングにて示唆演出が実行されやすいとは、第１のタイミングにて示唆演出が実行されたときの方が、第１のタイミングにて示唆演出が実行されなかったときよりも、第２のタイミングで示唆演出が実行される確率が高いことを意味し、例えば、大当り遊技状態に制御される場合又はされない場合を考えたときに、それぞれにおいて、又は、少なくとも一方において、第１のタイミングにて示唆演出が実行されたときの方が、第１のタイミングにて示唆演出が実行されなかったときよりも、第２のタイミングで示唆演出が実行される確率が高いことを意味する。
【０２７９】
この発明は、上記実施の形態などに限定されず、上記実施の形態などについて様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。以下に上記実施の形態の変形例を例示するが、各変形例は適宜組み合わせることができる。
【０２８０】
（変形例１）
高示唆演出や低示唆演出の決定割合や実行された場合の大当り期待度は、適宜変更可能である。また、高示唆演出や低示唆演出の実行された場合の大当り期待度は、１０％から２０％など、幅を持つものであってもよい。また、各示唆演出実行期間で実行される高示唆演出同士や、低示唆演出同士は、異なる大当り期待度（幅を持つ場合には一部重複していてもよい。）を有していても良い。これに関連して、一の示唆演出実行期間で実行される高示唆演出の大当り期待度は、他の示唆演出実行期間で実行される低示唆演出の大当り期待度よりも低かったり、低い部分があったりしてもよい。また、同じ示唆演出実行期間で実行される高示唆演出と低示唆演出とでは、大当り期待度が一部重複してもよい（この場合、大当り期待度の上限又は中央の値が、高示唆演出よりも低示唆演出の方が大きくなるようにする。）。
【０２８１】
上記では、示唆演出として高示唆演出と低示唆演出との２段階の示唆演出を用意したが、示唆演出として３以上の段階の示唆演出を用意してもよいし、１つの示唆演出を用意してもよい。高示唆演出は同じタイミングで択一的に実行可能な複数の示唆演出のうちで、一番大当り期待度が高いもの、及び／又は、一番大当り期待度が高いことを示唆する演出であることが望ましい。これによって、高示唆演出の実行によって、遊技者の期待感を煽ることができる。また、複数回の示唆演出が実行される場合には、示唆演出の実際の実行回数によって、大当り期待度を異ならせてもよい。例えば、高示唆演出や低示唆演出の実行回数が多くなると大当り期待度が高くなるようにしてもよい。このようにすることによって、示唆演出の注目度も上がり、遊技への興趣が向上する。
【０２８２】
リーチ前演出やリーチ演出中に示唆演出が実行された場合の大当り期待度は、示唆演出が実行されなかった場合の他のリーチ前演出やリーチ演出の大当り期待度よりも高くなってもよいし、低いままであってもよい。なお、スーパーリーチＢ（第２の変動パターンにて実行される演出）において、示唆演出（特に高示唆演出）が実行された場合の大当り期待度を、スーパーリーチＣが実行された場合の大当り期待度よりも高くすることによって、スーパーリーチＢが実行された場合であっても、示唆演出の実行を期待することで、大当り遊技状態に制御されることを期待することができ、遊技への興趣が向上する。
【０２８３】
また、示唆演出は、ステップアップ演出などであってもよい。ステップアップ演出とは、例えば、段階的に演出が発展するものであり、キャラクターの登場数や動作が異なる複数の段階の演出があって、大当り期待度によって、どの段階まで実行されるかが異なる演出である。例えば、第１段階では、キャラクターＡが登場し、第２段階では、第１段階のあとにキャラクターＢが登場し、第３段階では、第２段階のあとでキャラクターＡ及びＢがともに登場するような演出がステップアップ演出である。この場合、第１段階で終了するものが、大当り期待度が最も低く、第２段階まで発展するものが、それよりも大当り期待度が高く、第３段階まで発展するものが、それよりも大当り期待度が高い。なお、演出Ａ１からＡ３や、演出Ｃ１からＣ３をこのような３段階のステップアップ演出としてもよい。
【０２８４】
さらに、上記の実施形態では、示唆演出ＡからＣについて、第１のタイミングで高示唆演出が実行された場合には、第２のタイミングで低示唆演出が実行されないようにしているが、示唆演出ＡからＣについて、示唆演出ＥからＧと同様に、第１のタイミングで高示唆演出が実行された場合には、第２のタイミングで低示唆演出が実行されにくいようにしてもよい。逆に、示唆演出ＥからＧについて、第１のタイミングで高示唆演出が実行された場合には、第２のタイミングで低示唆演出が実行されにくいようにしているが、示唆演出ＥからＧについて、示唆演出ＡからＣと同様に、第１のタイミングで高示唆演出が実行された場合には、第２のタイミングで低示唆演出が実行されないようにしてもよい。また、示唆演出ＡからＣについて、第１のタイミングで示唆演出が実行された場合には、第２のタイミングで示唆演出が必ず実行されるようにしているが、示唆演出ＡからＣについて、示唆演出ＥからＧと同様に、第１のタイミングで示唆演出が実行された場合には、第２のタイミングで示唆演出が実行されやすいようにしてもよい。逆に、示唆演出ＥからＧについて、第１のタイミングで示唆演出が実行された場合には、第２のタイミングで示唆演出を実行しやすくしているが、示唆演出ＥからＧについて、示唆演出ＡからＣと同様に、第１のタイミングで示唆演出が実行された場合には、第２のタイミングで示唆演出が必ず実行されるようにしてもよい。
【０２８５】
さらに、上記第１から第３示唆演出期間のいずれかにおいて、示唆演出を実行可能なタイミングが複数の場合には、いずれかのタイミングで示唆演出（特に高示唆演出）が実行されたときに、他のタイミングで示唆演出を実行しないように、示唆演出の実行を制限してもよい。
【０２８６】
（変形例２）
上記高示唆演出又は低示唆演出は、操作部３０への所定操作（例えば、ボタンを必要回数連打する操作など）が入力されたことを条件として実行されるようにしてもよく、この場合に、所定操作が行われなかった場合に、他の示唆演出実行期間において、実行されなかった示唆演出を実行するようにしてもよい。このような場合を図面を参照して説明する。
【０２８７】
例えば、図２７に示すように、示唆演出Ｅ実行期間内に、所定操作を受け付ける操作受付期間が設けられ、この操作受付期間内に所定操作を受け付けたことを条件として示唆演出Ｅが実行されるとすると、操作受付期間内に所定操作を受け付けなかった場合には、示唆演出Ｅを実行せずに、示唆演出Ｅ実行期間よりも後のタイミング（期間）である示唆演出Ｆ実行期間又は示唆演出Ｇ実行期間において、示唆演出を実行する。例えば、本来示唆演出が実行されない示唆演出Ｆ実行期間及び示唆演出Ｇ実行期間のいずれかにおいて、示唆演出を示唆演出Ｆ又は示唆演出Ｇとして実行してもよい。また、所定操作に応じて実行される示唆演出が高示唆演出であった場合にのみ、本来低示唆演出が実行される示唆演出Ｆ実行期間又は示唆演出Ｇ実行期間のいずれかにおいて、低示唆演出を高示唆演出に変更するようにしてもよいし、本来示唆演出が実行されない示唆演出Ｆ実行期間又は示唆演出Ｇ実行期間のいずれかにおいて、高示唆演出を実行するようにしてもよい。なお、このようなことは、第１示唆演出期間や第２示唆演出期間などで実行される示唆演出について行っても良い。
【０２８８】
演出制御用ＣＰＵ１２０は、例えば、ステップＳ５２８において図２６に示すフローを実行する。演出制御用ＣＰＵ１２０は、まず、ステップＳ６２１の処理において、例えばステップＳ５２８で動作制御される対象の示唆演出が、所定操作が行われたことを条件として実行されるものであるかを判定する。示唆演出が、所定操作が行われたことを条件として実行されるものであるか否かは、例えば示唆演出を実行することに対応して選択された演出制御パターンにおいて、予め定められていればよい。
【０２８９】
次に、演出制御用ＣＰＵ１２０は、前記所定操作がすでに行われたかを判定する（ステップＳ６２２）。例えば、演出制御用ＣＰＵ１２０は、ＲＡＭ１２２の所定領域に設けられた所定の操作フラグ（所定操作が行われた場合にオンになるフラグ）がオフであった場合に、所定操作がすでに行われていないと判定し（ステップＳ６２２；Ｎｏ）、操作受付期間が経過しているかを判定する（ステップＳ６２３）。操作受付期間は、例えば示唆演出を実行することに対応して選択された演出制御パターンにおいて、予め定められていればよい。
【０２９０】
操作受付期間が経過していない場合には（ステップＳ６２３；Ｎｏ）、所定操作があったか否かを判定する（ステップＳ６２４）。例えば、演出制御用ＣＰＵ１２０は、操作受付期間中に、操作検出スイッチ３１から供給される操作検出信号に基づいて、操作内容を特定し、操作内容が所定操作に該当した場合に、所定操作があったと判定する（ステップＳ６２４；Ｙｅｓ）。この場合、示唆演出の実行の条件が整ったことになるので、示唆演出を実行するために、リーチ演出及び示唆演出を実行するための演出動作制御を行う（ステップＳ６２５）。一例として、ステップＳ６２５の処理では、演出制御パターンなどから読み出した演出制御実行データ（例えば表示制御データなど）に応じて、所定の演出態様によるリーチ演出及び示唆演出を実行するために、各種指令を作成して表示制御部１２３などに対して伝送させればよい。これによって、演出制御用ＣＰＵ１２０は、各装置を制御し、リーチ演出及び示唆演出を実行する。なお、最初のステップＳ６２５においては、操作フラグもオンにされ、これ以降、ステップＳ６２２で所定操作済みと判定され（ステップＳ６２２；Ｙｅｓ）、ステップＳ６２５の処理が示唆演出実行期間内において実行され、リーチ演出及び示唆演出が実行される。なお、今回実行している示唆演出の実行が終了した場合（示唆演出実行期間が経過した場合など）には、演出制御用ＣＰＵ１２０は、操作フラグをオフに戻す。
【０２９１】
なお、ステップＳ６２１の処理において、ステップＳ５２８で動作制御される対象の示唆演出が、所定操作が行われたことを条件として実行されるものでないと判定された場合には、示唆演出の実行に関して操作を受け付ける必要がないので、そのまま、ステップＳ６２５の処理が行われる。また、ステップＳ６２４において所定操作がないと判定すると（ステップＳ６２４；Ｎｏ）、示唆演出を実行することができないので、ステップＳ５２９の処理を行うようにする。なお、これ以降、操作受付期間が経過するか、操作フラグがオンとなるまでは、演出制御用ＣＰＵ１２０は、新たな演出制御パターンをセットし、画像表示装置５の表示領域に所定操作を受け付けている旨の表示を行うとよい。
【０２９２】
ステップＳ６２３で操作受付期間が経過していると判定された場合には（ステップＳ６２３；Ｙｅｓ）、所定操作が未だ行われないで、操作受付期間が終了したことになる。この場合には、演出制御用ＣＰＵ１２０は、ステップＳ６２６の処理において、実行予定の示唆演出が高示唆演出であるかを判定し（ステップＳ６２６）、高示唆演出でなければ（ステップＳ６２６；Ｎｏ）、そのまま、ステップＳ５２９の処理に進む。一方で、実行予定の示唆演出が高示唆演出である場合には（ステップＳ６２６；Ｙｅｓ）、大当り期待度が高くなっていることを示唆するために、示唆演出の実行スケジュールを変更し（ステップＳ６２７）、ステップＳ５２９の処理に進む。
【０２９３】
一例として、ステップＳ６２７では、演出制御用ＣＰＵ１２０は、ステップＳ６０４で決定された実行パターンを参照するなどして、演出後の示唆演出実行期間において、示唆演出が実行されるか、及び、実行される場合には高示唆演出と低示唆演出とのいずれかが実行されるかを特定し、示唆演出が実行されない示唆演出実行期間や、低示唆演出が実行される示唆演出実行期間において、高示唆演出が実行されるように、現在セットしている演出制御パターンの内容を変更する（例えば、新たな演出制御パターンをセットし直す。）。なお、示唆演出が実行されない示唆演出実行期間や、低示唆演出が実行される示唆演出実行期間が複数ある場合には、直近の示唆演出実行期間などの予め定められた示唆演出実行期間又は乱数値などで決定された示唆演出実行期間に高示唆演出を実行するように、演出制御パターンの内容を変更する。このような処理によって、高示唆演出は、所定操作が無くて実行されなかった場合には、後のタイミングで実行されるようになる（図２７参照）。
【０２９４】
この変形例のように、所定のタイミング（例えば、示唆演出Ｅ実行期間）にて操作部３０が遊技者からの所定操作を受け付けたことに応答して示唆演出を実行可能であり、所定のタイミングにて操作部３０が遊技者からの所定操作を受け付けなかった場合には、所定のタイミングの後のタイミング（例えば、示唆演出Ｆ実行期間又は示唆演出Ｇ実行期間）で示唆演出（特に高示唆演出）を実行可能とすることによって、所定操作が行われなかったことによって示唆演出が実行されない場合であっても、示唆演出の実行機会が確保されるので、特典が付与されることへの期待感を煽る機会を別途設けることができ、遊技への興趣が向上する。特に、実行されない示唆演出が高示唆演出で、後のタイミングで高示唆演出が実行可能になることよって、特典が付与されることへの期待感を比較的大きく煽る機会を別途設けることができ、遊技への興趣が向上する。
【０２９５】
（変形例３）
また、上記実施形態では、示唆演出ＥからＧの実行パターンを、テーブルを参照して一括で決定していたが、示唆演出ＥからＧそれぞれの示唆演出を個別に決定してもよい（示唆演出ＡからＣについても同様）。以下、このような変形例について説明する。図２８は、示唆演出決定処理として、図９のステップＳ５０８にて実行される処理の他の例を示すフローチャートである。図２８に示す示唆演出決定処理において、演出制御用ＣＰＵ１２０は、示唆演出Ｇの実行内容を決定し（ステップＳ７０１）、示唆演出Ｆの実行内容を決定し（ステップＳ７０２）、示唆演出Ｇの実行内容を決定する（ステップＳ７０３）。
【０２９６】
演出制御用ＣＰＵ１２０は、ステップＳ７０１では、一例として、まず、乱数回路１２４またはＲＡＭ１２２の所定領域（例えば演出制御カウンタ設定部）に設けられた演出用ランダムカウンタ等により更新される、示唆演出Ｇの実行内容決定用の乱数値ＳＲ１１を示す数値データを抽出する。演出制御用ＣＰＵ１２０は、抽出した数値データに基づいて、ＲＯＭ１２１に予め記憶されて用意された示唆演出実行内容決定テーブルＰ（乱数値ＳＲ１１と比較される数値（決定値）が、可変表示結果が「大当り」である場合と「ハズレ」である場合とに応じて示唆演出Ｇの実行内容に割り当てられたもの）を参照することによって、示唆演出Ｇの実行内容を決定する。
【０２９７】
例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、示唆演出実行内容決定テーブルＰを参照し、示唆演出Ｇの実行内容を決定（選択）する。さらに具体的には、演出制御用ＣＰＵ１２０は、例えば、示唆演出実行内容決定テーブルＰにおいて、乱数値ＳＲ１１に該当する決定値に、判定結果（「大当り」か「ハズレ」か）に対応して割り当てられた示唆演出の実行内容を、示唆演出Ｇの実行内容とする。
【０２９８】
図２９（Ａ）は、ステップＳ７０１での示唆演出Ｇの実行内容の決定例を示している。演出制御用ＣＰＵ１２０は、図２９（Ａ）に示すような決定割合で、示唆演出Ｇの実行内容を決定すればよい。なお、図２９（Ａ）から（Ｆ）において、「無」は、示唆演出が行われないことを示す。「桜」は、桜柄の示唆演出が実行されること（つまり、高示唆演出が実行されること）を示し、「赤」は、赤色の示唆演出が実行されること（つまり、低示唆演出が実行されること）を示す。
【０２９９】
図２９（Ａ）に示すように、示唆演出Ｇの実行内容が複数用意され（実行無しか、桜柄の示唆演出を実行するか、赤色の示唆演出を実行するか）、そのうちの１つが示唆演出Ｄの実行内容として決定されることになる。図２９（Ａ）に示すように、大当り期待度は、示唆演出を実行しない場合が最も低く、高示唆演出が実行される場合が最も高くなる。
【０３００】
演出制御用ＣＰＵ１２０は、ステップＳ７０２では、一例として、まず、乱数回路１２４またはＲＡＭ１２２の所定領域（例えば演出制御カウンタ設定部）に設けられた演出用ランダムカウンタ等により更新される、示唆演出Ｆの実行内容決定用の乱数値ＳＲ１２を示す数値データを抽出する。
【０３０１】
さらに、演出制御用ＣＰＵ１２０は、ステップＳ７０１で決定した示唆演出の実行内容がどの示唆演出を実行するものであるかを判定し、示唆演出を実行するものでない場合には、抽出した数値データに基づいて、ＲＯＭ１２１に予め記憶されて用意された示唆演出実行内容決定テーブルＱ（乱数値ＳＲ１２と比較される数値（決定値）が、可変表示結果が「大当り」である場合と「ハズレ」である場合とに応じて示唆演出の実行内容に割り当てられたもの）を参照することによって、示唆演出Ｆの実行内容を決定する。
【０３０２】
演出制御用ＣＰＵ１２０は、低示唆演出を実行するものであると判別した場合には、抽出した数値データに基づいて、ＲＯＭ１２１に予め記憶されて用意された示唆演出実行内容決定テーブルＲ（乱数値ＳＲ１２と比較される数値（決定値）が、可変表示結果が「大当り」である場合と「ハズレ」である場合とに応じて示唆演出の実行内容に割り当てられたもの）を参照することによって、示唆演出Ｆの実行内容を決定する。
【０３０３】
演出制御用ＣＰＵ１２０は、高示唆演出を実行するものであると判別した場合には、抽出した数値データに基づいて、ＲＯＭ１２１に予め記憶されて用意された示唆演出実行内容決定テーブルＳ（乱数値ＳＲ１２と比較される数値（決定値）が、可変表示結果が「大当り」である場合と「ハズレ」である場合とに応じて示唆演出の実行内容に割り当てられたもの）を参照することによって、示唆演出Ｆの実行内容を決定する。
【０３０４】
例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、上記実行内容がどの示唆演出を実行するものであるかの判定結果に応じて、示唆演出実行内容決定テーブルＱ、示唆演出実行内容決定テーブルＲ、又は、示唆演出実行内容決定テーブルＳを参照し、示唆演出Ｆの実行内容を決定（選択）する。さらに具体的には、演出制御用ＣＰＵ１２０は、例えば、示唆演出実行内容決定テーブルＱ、示唆演出実行内容決定テーブルＲ、又は、示唆演出実行内容決定テーブルＳにおいて、乱数値ＳＲ１２に該当する決定値に、判定結果（「大当り」か「ハズレ」か）に対応して割り当てられた示唆演出の実行内容を、示唆演出Ｆの実行内容とする。
【０３０５】
図２９（Ｂ）は、示唆演出実行内容決定テーブルＱを参照した場合（つまり、示唆演出Ｇの実行がない場合）における、ステップＳ７０２での示唆演出Ｆの実行内容の決定例を示している。図２９（Ｃ）は、示唆演出実行内容決定テーブルＲを参照した場合（つまり、示唆演出Ｇの実行内容が低示唆演出の実行である場合）における、ステップＳ７０２での示唆演出Ｆの実行内容の決定例を示している。図２９（Ｄ）は、示唆演出実行内容決定テーブルＳを参照した場合（つまり、示唆演出Ｇの実行内容が高示唆演出の実行である場合）における、ステップＳ７０２での示唆演出Ｆの実行内容の決定例を示している。演出制御用ＣＰＵ１２０は、図２９（Ｂ）から（Ｄ）に示すような決定割合で、示唆演出の実行内容を決定すればよい。
【０３０６】
図２９（Ｂ）から（Ｄ）に示すように、示唆演出Ｆの実行内容が複数用意され（実行無しか、桜柄の示唆演出を実行するか、赤色の示唆演出を実行するか）、そのうちの１つが示唆演出Ｆの実行内容として決定されることになる。図２９（Ｂ）に示すように、示唆演出Ｇの実行がない場合には、示唆演出Ｆの実行もないことになる。図２９（Ｃ）のように、示唆演出Ｇとして低示唆演出が実行される場合には、示唆演出Ｆは実行されないか、示唆演出Ｆとして低示唆演出が実行される。図２９（Ｄ）のように、示唆演出Ｇとして高示唆演出が実行される場合には、示唆演出Ｆは実行されないか、示唆演出Ｆとして低示唆演出又は高示唆演出が実行される。なお、図２９（Ｄ）では、大当り期待度は、示唆演出を実行しない場合が最も低く、低示唆演出が実行される場合が次に低く、高示唆演出が実行される場合が最も高くなる。なお、図２９（Ｃ）では、大当り期待度は、示唆演出を実行しない場合の方が低くなる。
【０３０７】
演出制御用ＣＰＵ１２０は、ステップＳ７０３では、一例として、まず、乱数回路１２４またはＲＡＭ１２２の所定領域（例えば演出制御カウンタ設定部）に設けられた演出用ランダムカウンタ等により更新される、示唆演出Ｅの実行内容決定用の乱数値ＳＲ１３を示す数値データを抽出する。
【０３０８】
さらに、演出制御用ＣＰＵ１２０は、ステップＳ７０２で決定した示唆演出の実行内容がどの示唆演出を実行するものであるかを判定し、示唆演出を実行するものでない場合には、抽出した数値データに基づいて、ＲＯＭ１２１に予め記憶されて用意された示唆演出実行内容決定テーブルＬ（乱数値ＳＲ１３と比較される数値（決定値）が、可変表示結果が「大当り」である場合と「ハズレ」である場合とに応じて示唆演出の実行内容に割り当てられたもの）を参照することによって、示唆演出Ｅの実行内容を決定する。
【０３０９】
演出制御用ＣＰＵ１２０は、低示唆演出を実行するものであると判別した場合には、抽出した数値データに基づいて、ＲＯＭ１２１に予め記憶されて用意された示唆演出実行内容決定テーブルＭ（乱数値ＳＲ１３と比較される数値（決定値）が、可変表示結果が「大当り」である場合と「ハズレ」である場合とに応じて示唆演出の実行内容に割り当てられたもの）を参照することによって、示唆演出Ｅの実行内容を決定する。
【０３１０】
演出制御用ＣＰＵ１２０は、高示唆演出を実行するものであると判別した場合には、抽出した数値データに基づいて、ＲＯＭ１２１に予め記憶されて用意された示唆演出実行内容決定テーブルＮ（乱数値ＳＲ１３と比較される数値（決定値）が、可変表示結果が「大当り」である場合と「ハズレ」である場合とに応じて示唆演出の実行内容に割り当てられたもの）を参照することによって、示唆演出Ｅの実行内容を決定する。
【０３１１】
例えば、演出制御用ＣＰＵ１２０は、主基板１１から伝送された可変表示結果通知コマンドなどに基づいて、可変表示結果が「大当り」か「ハズレ」かを判定し、判定結果と抽出した数値データとに基づいて、上記実行パターンが低示唆演出を実行するものであるかの判定結果に応じて、示唆演出実行内容決定テーブルＬ、示唆演出実行内容決定テーブルＭ、又は、示唆演出実行内容決定テーブルＮを参照し、示唆演出Ｅの実行内容を決定（選択）する。さらに具体的には、演出制御用ＣＰＵ１２０は、例えば、示唆演出実行内容決定テーブルＬ、示唆演出実行内容決定テーブルＭ、又は、示唆演出実行内容決定テーブルＮにおいて、乱数値ＳＲ１３に該当する決定値に、判定結果（「大当り」か「ハズレ」か）に対応して割り当てられた示唆演出の実行内容を、示唆演出Ｅの実行内容とする。
【０３１２】
図２９（Ｅ）は、示唆演出実行内容決定テーブルＬを参照した場合（つまり、示唆演出Ｆの実行がない場合）における、ステップＳ７０３での示唆演出Ｅの実行内容の決定例を示している。図２９（Ｆ）は、示唆演出実行内容決定テーブルＭを参照した場合（つまり、示唆演出Ｆの実行内容が低示唆演出の実行である場合）における、ステップＳ７０３での示唆演出Ｅの実行内容の決定例を示している。図２９（Ｇ）は、示唆演出実行内容決定テーブルＮを参照した場合（つまり、示唆演出Ｆの実行内容が高示唆演出の実行である場合）における、ステップＳ７０３での示唆演出Ｅの実行内容の決定例を示している。演出制御用ＣＰＵ１２０は、図２９（Ｅ）から（Ｇ）に示すような決定割合で、示唆演出の実行内容を決定すればよい。
【０３１３】
図２９（Ｅ）から（Ｇ）に示すように、示唆演出Ｆの実行内容が複数用意され（実行無しか、桜柄の示唆演出を実行するか、赤色の示唆演出を実行するか）、そのうちの１つが示唆演出Ｅの実行内容として決定されることになる。図２９（Ｇ）では、大当り期待度は、示唆演出を実行しない場合が最も低く、低示唆演出が実行される場合が次に低く、高示唆演出が実行される場合が最も高くなる。図２９（Ｆ）では、大当り期待度は、示唆演出を実行しない場合の方が低くなる。
【０３１４】
また、図２９に示すように、この実施の形態では、先のステップにおいて、示唆演出の実行内容が低示唆演出を実行するものと決定された場合には、後のステップにおいて、示唆演出の実行内容を、高示唆演出を実行するものと決定しないようになっている。このような変形例によれば、第１のタイミング（例えば、示唆演出Ｅ実行期間）にて、高示唆演出と、低示唆演出と、のいずれかを実行可能であり、第１のタイミングよりも後に第２のタイミング（例えば、示唆演出Ｆ実行期間）にて、高示唆演出と、低示唆演出と、を別途実行可能であり、第１のタイミングで高示唆演出を実行した場合には、第２のタイミングで低示唆演出を実行しないものとしている。上記構成によれば、大当り期待値が第１のタイミングにおいて比較的高い示唆演出が実行されたあとに、実行された場合に大当り期待値が第２のタイミングにおいて比較的低い示唆演出が実行されることがないので、大当り期待値が第１のタイミングにおいて比較的高い示唆演出が実行されたあとに、大当り期待値が第２のタイミングにおいて比較的低い示唆演出が実行されたことによって、特定遊技状態に制御される期待感が損なわれることを防止でき、遊技への興趣の低下を防止又は軽減できる。
【０３１５】
また、図２９に示すように、この実施の形態では、先のステップにおいて、示唆演出の実行内容が示唆演出を実行するものと決定された場合には、後のステップにおいて、示唆演出の実行内容を、示唆演出を実行しないものと決定しないようになっている。このような変形例によれば、第１のタイミングで示唆演出を実行した場合には、第２のタイミングで示唆演出をかならず実行するものとしている。上記構成によれば、示唆演出が実行されたあとに、示唆演出が実行されないことによって、特定遊技状態に制御される期待感が損なわれることを防止でき、遊技への興趣の低下を防止又は軽減できる。
【０３１６】
なお、示唆演出ＥからＧの各内容は、例えば、示唆演出Ｅ、示唆演出Ｆ、示唆演出Ｇのような順序で決めてもよいし、他の順序で決めても良い。
【０３１７】
（変形例４）
また、上記実施の形態では、リーチ前演出及びリーチ後演出を１回の可変表示中に実行していたが、これら演出を複数の可変表示にわたって実行するようにしもてよい。すなわち、例えば、図３０及び３１のように、上記実施の形態における再可変表示前の可変表示を１回の可変表示とし、上記実施の形態における各再可変表示も１回の可変表示とする。なお、図３０及び３１では、上記実施の形態における演出Ａ１からＡ３が演出Ｄ１からＤ３に代わっており（演出内容は略同じである。）、ストーリーＢ１からＢ３がストーリーＥ１からＥ３に代わっており（演出内容は略同じである。）、演出Ｃ１からＣ３が演出Ｆ１からＦ３に代わっている（演出内容は略同じである。）が、第１から第３示唆演出期間、示唆演出、示唆演出実行期間など、他の構成については、上記実施の形態の構成（特に、示唆演出の扱いなど）を適宜採用できる。以下、この変形例について、上記実施の形態からの変更点を中心に説明する。なお、上記演出Ｄ１からＤ３及びスーパーリーチＡ、ストーリーＥ１からＥ３及びスーパーリーチＢ、演出Ｆ１からＦ３及びスーパーリーチＣなどの複数回の変動にわたって実行される演出それぞれを連続演出ということがある。
【０３１８】
この変形例では、所謂保留記憶の先読みが行われ、複数回の変動にわたる演出の内容が予め設定されてから、各演出が行われる。
【０３１９】
図３２は、この変形例で使用される変動パターンを示している。この変形例では、上記実施形態と比べ、変動パターンの内容が適宜変更されている。特に、上記の実施の形態における擬似連が実行される変動パターンの代わりに、擬似連無しのスーパーリーチＡからＣそれぞれの変動パターンが設定され（ＰＡ２−２〜ＰＡ２−４、ＰＡ３−２〜ＰＡ３−４）、さらに、連続演出用の変動パターン（ＰＡ１−４）が設定されている。連続演出用の変動パターンが選択されると、所定の場合には連続演出が実行されることになる（詳しくは後述する。）。変動パターンの決定は、上記の実施形態と同様である。
【０３２０】
図３３（Ａ）から（Ｃ）は、変動パターンの決定例を示している。ＣＰＵ１０３は、図３３（Ａ）から（Ｃ）の決定割合になるように、変動パターンを選択する。なお、図３３（Ａ）から（Ｃ）にあるように、大当り期待度は、スーパーリーチＣが一番高く、スーパーリーチＢ、スーパーリーチＡ、ノーマルリーチの順で低くなっている。
【０３２１】
ＣＰＵ１０３は、上記実施の形態で説明した処理の他、保留記憶の先読みのための処理を行う。例えば、ＣＰＵ１０３は、図３４の入賞時乱数値判定処理を実行する。この処理は、図３のステップＳ１０１の処理中に行われ、新たな始動入賞があった場合に行われる。
【０３２２】
図３４の入賞時乱数値判定処理において、ＣＰＵ１０３は、まず、例えばＲＡＭ１０２の所定領域（遊技制御フラグ設定部など）に設けられた時短フラグや確変フラグの状態を確認することなどにより、パチンコ遊技機１における現在の遊技状態を特定する（ステップＳ４０１）。より具体的には、確変フラグがオンであるときには遊技状態が確変状態であること、確変フラグがオフで時短フラグがオンであるときには遊技状態が時短状態であること、確変フラグと時短フラグがともにオフであるときには通常状態であることを、それぞれ特定すればよい。
【０３２３】
ステップＳ４０１の処理に続いて、大当り判定範囲を設定する（ステップＳ４０２）。例えば、予めＲＯＭ１０１の所定領域に記憶するなどして用意された特図表示結果決定テーブルを構成するテーブルデータから、現在の遊技状態に対応して特図表示結果の決定に用いられるデータ（特図表示結果決定用テーブルデータ）を選択する。この特図表示結果決定用テーブルデータにおいて、特図表示結果が「大当り」に割り当てられた決定値の範囲が、大当り判定範囲として設定されればよい。
【０３２４】
その後、特図表示結果決定用の乱数値ＭＲ１を示す数値データと、ステップＳ４０２の処理により設定された大当り判定範囲とを比較する（ステップＳ４０３）。これにより、乱数値ＭＲ１が大当り判定範囲内であるか否かを判定する（ステップＳ４０４）。
【０３２５】
ステップＳ４０４にて大当り判定範囲内であると判定された場合（つまり、特図表示結果が「大当り」になると判定された場合）には（ステップＳ４０４；Ｙｅｓ）、大当り用の特定パターン共通範囲を設定する（ステップＳ４０５）。一方、ステップＳ４０４にて大当り判定範囲内ではないと判定された場合（つまり、特図表示結果が「ハズレ」になると判定された場合）には（ステップＳ４０４；Ｎｏ）、ハズレ用の特定パターン共通範囲を設定する（ステップＳ４０６）。
【０３２６】
大当り用となる特定パターン共通範囲は、例えば大当り種別が「非確変」であるか「確変」であるかにかかわらず、スーパーリーチのリーチ演出を伴う変動パターンに決定することができる乱数値（変動パターン決定用の乱数値ＭＲ２）の範囲として、予め定められていればよい。大当り用となる特定パターン共通範囲は、スーパーリーチＡからＣのリーチ演出を伴う変動パターン（ＰＡ３−２からＰＡ３−４）それぞれについて設定される。すなわち、ここで設定される、大当り用となる特定パターン共通範囲としては、スーパーリーチＡ共通範囲、スーパーリーチＢ共通範囲、スーパーリーチＣ共通範囲が設定される。
【０３２７】
なお、この変形例では、大当り種別が「非確変」であるか「確変」であるかにかかわらず、同じ乱数値では同じ変動パターンが選択されるので、大当り種別が「非確変」であるときのスーパーリーチのリーチ演出を伴う変動パターンに決定することができる乱数値ＭＲ２の範囲と、大当り種別が「確変」であるときのスーパーリーチのリーチ演出を伴う変動パターンに決定することができる乱数値ＭＲ２の範囲と、は同じ範囲になり、大当り用となる特定パターン共通範囲とも同じ範囲になるが、大当り種別が「非確変」であるか「確変」であるかに応じて変動パターンに割り当てられた決定値の範囲を変更するなどしている場合には、大当り種別が「非確変」であるときのスーパーリーチのリーチ演出を伴う変動パターンに決定することができる乱数値ＭＲ２の範囲と、大当り種別が「確変」であるときのスーパーリーチのリーチ演出を伴う変動パターンに決定することができる乱数値ＭＲ２の範囲との共通範囲が、大当り用となる特定パターン共通範囲となる。
【０３２８】
ハズレ用となる特定パターン共通範囲は、例えば合計保留記憶数にかかわらず、スーパーリーチのリーチ演出を伴う変動パターンに決定することができる乱数値の範囲、連続演出用の変動パターンに決定することができる乱数値の範囲、として、予め定められていればよい。ハズレ用となる特定パターン共通範囲は、スーパーリーチＡからＣのリーチ演出を伴う変動パターン（ＰＡ２−２からＰＡ２−４）それぞれについて設定され、かつ、連続演出用の変動パターン（ＰＡ１−４）について設定される。すなわち、ここで設定される、ハズレ用となる特定パターン共通範囲としては、スーパーリーチＡ共通範囲、スーパーリーチＢ共通範囲、スーパーリーチＣ共通範囲、連続演出用共通範囲が設定される。なお、ハズレ用の特定パターン共通範囲を、遊技状態が通常状態となる通常時であるか、確変状態や時短状態において時短制御が行われる時短中であるかに応じて、異なる範囲に設定してもよい。
【０３２９】
その後、変動パターン決定用の乱数値ＭＲ２を示す数値データと、ステップＳ４０５またはステップＳ４０６の処理により設定された各種の特定パターン共通範囲とを比較する（ステップＳ４０７）。これにより、乱数値ＭＲ２がどの特定パターン共通範囲内であるか否かが判定される。
【０３３０】
ステップＳ４０７の処理に続き、ステップＳ４０３やステップＳ４０７の処理による判定結果や比較結果に応じて、入賞時判定結果指定コマンドを送信するための送信設定を行ってから（ステップＳ４０８）、入賞時乱数値判定処理を終了する。入賞時判定結果指定コマンドは、次のコマンド制御処理で演出制御基板１２に対して伝送される。
【０３３１】
この変形例では、入賞時判定結果指定コマンドとして、入賞時判定結果に応じた複数種類の演出制御コマンドが、予め用意されている。例えば、図３５に示すように、コマンド１から８が用意されている。ＣＰＵ１０３は、ステップＳ４０３やステップＳ４０７の処理による判定結果や比較結果を入賞時判定結果として指定する下記のコマンドのいずれかをステップＳ４０８で送信設定する。
【０３３２】
コマンド１は、特図表示結果が「ハズレ」になるとの判定結果と、乱数値ＭＲ２が連続演出用共通範囲内であるという比較結果と、を通知する演出制御コマンドである。
コマンド２は、特図表示結果が「ハズレ」になるとの判定結果と、乱数値ＭＲ２がスーパーリーチＡ共通範囲内であるという比較結果と、を通知する演出制御コマンドである。
コマンド３は、特図表示結果が「ハズレ」になるとの判定結果と、乱数値ＭＲ２がスーパーリーチＢ共通範囲内であるという比較結果と、を通知する演出制御コマンドである。
コマンド４は、特図表示結果が「ハズレ」になるとの判定結果と、乱数値ＭＲ２がスーパーリーチＣ共通範囲内であるという比較結果と、を通知する演出制御コマンドである。
コマンド５は、特図表示結果が「大当り」になるとの判定結果と、乱数値ＭＲ２がスーパーリーチＡ共通範囲内であるという比較結果と、を通知する演出制御コマンドである。
コマンド６は、特図表示結果が「大当り」になるとの判定結果と、乱数値ＭＲ２がスーパーリーチＢ共通範囲内であるという比較結果と、を通知する演出制御コマンドである。
コマンド７は、特図表示結果が「大当り」になるとの判定結果と、乱数値ＭＲ２がスーパーリーチＣ共通範囲内であるという比較結果と、を通知する演出制御コマンドである。
コマンド７は、入賞時判定結果として、乱数値ＭＲ２がいずれの特定パターン共通範囲内にもないことを通知する演出制御コマンドである。
【０３３３】
演出制御用ＣＰＵ１２０は、例えば、コマンド解析処理において、第１保留記憶数通知コマンドとともに入賞時判定結果指定コマンドを受信したときには、ＲＡＭ１２２の所定領域に設けられた第１保留情報バッファにおける空き領域のうちで、保留番号が最も小さい格納領域（第１保留記憶数通知コマンドで通知された第１特図保留記憶数と同一の保留番号に対応した格納領域）に、入賞時判定結果指定コマンドにより指定（通知）された入賞時判定結果を示すデータ（保留情報）を記憶させる（図３６（Ａ）参照）。一方、第２保留記憶数通知コマンドとともに入賞時判定結果指定コマンドを受信したときには、ＲＡＭ１２２の所定領域に設けられた第２保留情報バッファにおける空き領域のうちで、保留番号が最も小さい格納領域（第２保留記憶数通知コマンドで通知された第２特図保留記憶数と同一の保留番号に対応した格納領域）に、入賞時判定結果指定コマンドにより指定（通知）された入賞時判定結果を示すデータ（保留情報）を記憶させる（図３６（Ｂ）参照）。
【０３３４】
図３６（Ａ）に示す第１保留情報バッファでは、保留番号「１」から「３」に対応する格納領域に、入賞時判定結果を示すデータ（保留情報）が記憶されている。図３６（Ｂ）に示す第２保留情報バッファでは、保留番号「１」から「２」に対応する格納領域に、入賞時判定結果を示すデータ（保留情報）が記憶されている。第１保留情報バッファや第２保留情報バッファに格納されている保留情報は、対応する特別図柄を用いた特図ゲームが開始されるごとに、１つ目の格納領域（保留番号「１」に対応した領域）に格納されているものが読み出され（消化され）、以降の記憶内容がシフトされる。例えば図３６（Ａ）に示す格納状態において第１特図を用いた特図ゲームの開始に対応して新たな飾り図柄の可変表示が開始された場合には、保留番号「１」に格納されている保留情報が読み出され（消化され）、保留番号「２」及び「３」に対応した領域にて格納されている保留情報が、それぞれ、保留番号「１」及び「２」に対応した領域にシフトされる。なお、この変形例では、第２保留情報バッファに格納された保留情報が優先的に消化される（図４参照）。
【０３３５】
演出制御用ＣＰＵ１２０は、演出制御プロセス処理として、例えば、図３７に示すフローを実行する。なお、このフローにおけるステップＳ１７０からＳ１７７までの処理は、上記実施の形態と同じなので、詳しい説明を省略する。演出制御用ＣＰＵ１２０は、演出制御プロセス処理を開始すると、連続演出決定処理を実行する（ステップＳ１６１）。
【０３３６】
図３８（Ａ）は、図１７のステップＳ１６１にて実行される連続演出決定処理の一例を示すフローチャートである。図３８（Ａ）に示す連続演出決定処理において、演出制御用ＣＰＵ１２０は、まず、例えば第１保留情報バッファや第２保留情報バッファといった、保留情報バッファにおける記憶内容をチェックする（ステップＳ６５１）。
【０３３７】
ステップＳ６５１の処理によるチェック結果に基づいて、演出制御用ＣＰＵ１２０は、新たな始動入賞があったか否かを判定する（ステップＳ６５２）。例えば、第１保留情報バッファや第２保留情報バッファにおいて、新たな保留情報が記憶されたかによって前記判定を行う（新たな保留情報が記憶されていれば、新たな始動入賞があったことなる。）。
【０３３８】
ステップＳ６５２にて新たな始動入賞がないと判定された場合には（ステップＳ６５２；Ｎｏ）、連続演出決定処理を終了する。一方、新たな始動入賞があったと判定された場合には（ステップＳ６５２；Ｙｅｓ）、演出制御用ＣＰＵ１２０は、保留情報が特定条件を満たすか否かを判定する（ステップＳ６５３）。
【０３３９】
一例として、ステップＳ６５３の処理では、第２保留情報バッファに最後に格納された保留情報（第２保留情報バッファに格納された保留情報のうちで最後に消化される保留情報であり、ここではターゲットという。）が、スーパーリーチＡ共通範囲内、スーパーリーチＢ共通範囲内、スーパーリーチＣ共通範囲内のいずれかの判定結果を表しており、第２保留情報バッファにおいてターゲットの前二つの保留番号に対応する保留情報（ターゲットの１回前及び２回前の可変表示（変動）で消費される保留情報）が両方とも連続演出用パターン共通範囲内という判定結果を表している場合（図３８（Ｂ））、この三つの保留情報が特定条件を満たすと判定する。上記のように保留情報は、第２保留情報バッファに格納されたものから優先的に消化されるので、第２保留情報バッファに新たな保留情報が格納された場合には、保留情報の消化順序が変更されてしまう場合がある。このため、上記のように、第２保留情報バッファの保留情報にのみ着目することで、保留情報の消化順序の変更によって、後から特定条件が満たされなくなってしまうことを防止できる。
【０３４０】
なお、第１特図保留記憶部といったＲＡＭ１０２の所定領域に記憶されている保留データと、第２特図保留記憶部といったＲＡＭ１０２の所定領域に記憶されている保留データと、を保留データの記憶順で使用して特図ゲームを行うようにしてもよい。この場合、例えば、保留情報は、第１と第２の区別なく共通の保留番号（保留情報の格納順序を表す番号でもあり、例えば、「１」から「８」）に対応させて保留情報バッファに格納順に格納するようにする。そして、ステップＳ６５３の処理では、すべての保留情報のうちで、最後に格納された保留情報（ターゲット）が、スーパーリーチＡ共通範囲内、スーパーリーチＢ共通範囲内、スーパーリーチＣ共通範囲内のいずれかの判定結果を表しており、ターゲットの前二つの保留番号に対応する保留情報（ターゲットの１回前及び２回前の可変表示（変動）で消費される保留情報）が両方とも連続演出用パターン共通範囲内という判定結果を表している場合（図３８（Ｂ））、この三つの保留情報が特定条件を満たすと判定する。
【０３４１】
演出制御用ＣＰＵ１２０は、保留情報が特定条件を満たす場合には（ステップＳ６５３；Ｙｅｓ）、連続演出の設定を行い（ステップＳ６５４）、示唆演出の設定を行い（ステップＳ６５５）、連続演出決定処理を終了する。保留情報が特定条件を満たさない場合には（ステップＳ６５３；Ｎｏ）、連続演出決定処理を終了する。なお、保留情報が特定条件を満たすと判定されたあとは、特定条件を満たす保留情報が全て消化されるまで、ステップＳ６５３では保留情報が特定条件を満たさないと判定する。
【０３４２】
演出制御用ＣＰＵ１２０は、ステップＳ６５４において、例えば、特定条件を満たす保留情報を消化する可変表示が行われるときに、連続演出を実行するための演出制御パターンを選択するような設定を行う。
【０３４３】
一例として、演出制御用ＣＰＵ１２０は、第２保留情報バッファなどに格納されている保留情報のうち、特定条件を満たす保留情報それぞれに対応付けて、連続演出を指定するデータを第２保留情報バッファなどに格納する。
【０３４４】
例えば、ターゲットが、「ハズレ」になるとの判定結果とスーパーリーチＡ共通範囲内の判定結果とを示す場合には、前記の前二つの保留番号に対応する保留情報（連続演出用共通範囲内を示す保留情報）のうち、二つ前の保留情報には、演出Ｄ１を指定するデータを対応付けて格納し、一つ前の保留情報には、演出Ｄ２を指定するデータを対応付けて格納し、ターゲットには、演出Ｄ３からのスーパーリーチＡ（可変表示結果は「ハズレ」となるもの）を指定するデータを対応付けて格納する。
【０３４５】
例えば、ターゲットが、「大当り」になるとの判定結果とスーパーリーチＢ共通範囲内の判定結果とを示す場合には、前記の前二つの保留番号に対応する保留情報（連続演出用共通範囲内を示す保留情報）のうち、二つ前の保留情報には、ストーリーＥ１を指定するデータを対応付けて格納し、一つ前の保留情報には、ストーリーＥ２を指定するデータを対応付けて格納し、ターゲットには、ストーリーＥ３からのスーパーリーチＢ（可変表示結果は「大当り」となるもの）を指定するデータを対応付けて格納する。
【０３４６】
例えば、ターゲットが、「ハズレ」になるとの判定結果とスーパーリーチＣ共通範囲内の判定結果とを示す場合には、前記の前二つの保留番号に対応する保留情報（連続演出用共通範囲内を示す保留情報）のうち、二つ前の保留情報には、演出Ｆ１を指定するデータを対応付けて格納し、一つ前の保留情報には、演出Ｆ２を指定するデータを対応付けて格納し、ターゲットには、演出Ｆ３からのスーパーリーチＣ（可変表示結果は「ハズレ」となるもの）を指定するデータを対応付けて格納する。
【０３４７】
図３９は、ステップＳ６５５の示唆演出の設定処理の一例を示すフローチャートである。演出制御用ＣＰＵ１２０は、まず、ターゲットがスーパーリーチＡ共通範囲内の判定結果又はスーパーリーチＣ共通範囲内の判定結果を示すものであるかを判定し（ステップＳ６７１）、ターゲットがスーパーリーチＡ共通範囲内の判定結果又はスーパーリーチＣ共通範囲内の判定結果を示すものである場合（ステップＳ６７１；Ｙｅｓ）、示唆演出ＡからＣの実行内容を決定し（決定方法は、ステップＳ６０４などと同じ。）、決定した実行内容を設定する（ステップＳ６７２）。続いて、演出制御用ＣＰＵ１２０は、示唆演出Ｄの実行内容を決定し（決定方法は、ステップＳ６０５などと同じ。）、決定した実行内容を設定する（ステップＳ６７３）。
【０３４８】
演出制御用ＣＰＵ１２０は、ターゲットがスーパーリーチＡ共通範囲内の判定結果又はスーパーリーチＣ共通範囲内の判定結果を示すものでない場合（ステップＳ６７１；Ｎｏ）、つまり、ターゲットがスーパーリーチＢ共通範囲内の判定結果を示すものである場合、示唆演出ＥからＧの実行内容を決定し（決定方法は、ステップＳ６０９などと同じ。）、決定した実行内容を設定する（ステップＳ６７９）。演出制御用ＣＰＵ１２０は、ステップＳ６７３、Ｓ６７９の実行後に示唆演出の設定処理を終了する。
【０３４９】
上記各示唆演出の実行内容の設定では、決定した実行内容にしたがって、示唆演出を実行するか、実行する示唆演出は低示唆演出であるか高示唆演出であるかなどを特定するデータを、保留情報に対応付けて格納された前記連続演出を指定するデータに対応付けて、ＲＡＭ１２２の第２保留情報バッファなどに格納する。
【０３５０】
例えば、高示唆演出を示唆演出Ａとして実行する場合、高示唆演出を示唆演出Ａとして実行することを特定するデータを演出Ｄ１を指定するデータに対応付けて格納する。
【０３５１】
例えば、示唆演出Ｃを実行しない場合、示唆演出Ｃを実行しないことを特定するデータを演出Ｄ３からのスーパーリーチＡを指定するデータに対応付けて格納する。
【０３５２】
例えば、低示唆演出を示唆演出Ｆとして実行する場合、低示唆演出を示唆演出Ｆとして実行することを特定するデータをストーリーＥ３からのスーパーリーチＢを指定するデータに対応付けて格納する。
【０３５３】
ステップＳ５０９において、演出制御用ＣＰＵ１２０は、例えば変動パターン指定コマンドにより指定された変動パターンや、今回の可変表示で消化される保留情報が前記各種データに対応付けられていた場合には、前記各種データが指定する連続演出や示唆演出の実行内容などに対応して、ＲＯＭ１２１に予め記憶されて用意された複数の演出制御パターンのいずれかを選択し、使用パターンとしてセットすればよい。例えは、変動パターンが連続演出用のＰＡ１−４で、前記データが演出Ｄ１、及び、低示唆演出を示唆演出Ａとして実行することを指定する場合、演出Ｄ１及び示唆演出Ａ実行期間において低示唆演出を実行する演出制御パターンを選択して使用パターンとしてセットする。例えは、変動パターンがスーパーリーチＢを実行するＰＡ３−３で、前記データがストーリーＥ３からのスーパーリーチＢ、及び、示唆演出Ｆとして低示唆演出を実行して示唆演出Ｇとして高示唆演出を実行することを指定する場合、ストーリーＥ３からのスーパーリーチＢを実行するとともに、示唆演出Ｆ実行期間において低示唆演出を実行して示唆演出Ｇ実行期間において高示唆演出を実行する演出制御パターンを選択して使用パターンとしてセットする。
【０３５４】
なお、今回の可変表示で消化される保留情報が前記各種データに対応付けられていない場合には、演出制御用ＣＰＵ１２０は、変動パターン指定コマンドにより指定された変動パターンに応じて、演出制御パターン（特に、連続演出用とは異なるもの）を選択する。例えば、変動パターンＰＡ１−４に対応して、連続演出とは異なる内容の演出制御パターン（例えば、非リーチの演出を実行するパターンなど）を用意し、今回の可変表示で消化される保留情報が前記各種データに対応付けられておらず、変動パターンがＰＡ１−４である場合には、前記の連続演出とは異なる内容の演出制御パターンを選択する。例えば、変動パターンＰＡ３−２からＰＡ３−４、ＰＡ２−２からＰＡ２−４それぞれに対応して、連続演出とは異なるスーパーリーチの演出制御パターンを用意し、今回の可変表示で消化される保留情報が前記各種データに対応付けられておらず、変動パターンがＰＡ３−２からＰＡ３−４、ＰＡ２−２からＰＡ２−４のいずれかである場合には、前記の連続演出とは異なるスーパーリーチの演出制御パターンを選択する。
【０３５５】
この変形例で画像表示装置５の表示領域に表示される演出Ｆ１からＦ３、スーパーリーチＣ、及び、示唆演出ＡからＤの例について説明する。例えば、１回目の可変表示において演出Ｆ１が実行され、２回目の可変表示において演出Ｆ２が実行され、３回目の可変表示において演出Ｆ３及びスーパーリーチＣが実行される。この場合、例えば、画像表示装置５の表示領域には、演出Ｆ１として、図２１（１−ｂ）の画像が表示され、演出Ｆ２として、図２１（１−ｅ）の画像が表示され、演出Ｆ３として、図２１（１−ｈ）の画像が表示され、スーパーリーチＣとして、図２２の（１−ｉ）から（１−ｏ）の画像が表示され（可変表示結果が「大当り」の場合）、又は、図２２の（１−ｉ）から（１−ｍ）、（１−ｐ）から（１−ｑ）の画像が表示される（可変表示結果が「ハズレ」の場合）。
【０３５６】
また、示唆演出の実行内容（実行パターン）が決定されている場合には、決定された実行パターンに従って示唆演出ＡからＤが適宜実行される。
【０３５７】
図２１（１−ｂ）の段階（最初の可変表示の実行期間に設けられた示唆演出Ａ実行期間）において示唆演出Ａが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０３５８】
図２１の（１−ｅ）の段階（２回目の可変表示の実行期間に設けられた示唆演出Ｂ実行期間）において示唆演出Ｂが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０３５９】
図２１の（１−ｈ）の段階（３回目の可変表示の実行期間かつリーチ成立前に設けられた示唆演出Ｃ実行期間）において示唆演出Ｃが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０３６０】
図２２の（１−ｍ）の段階（３回目の可変表示におけるスーパーリーチＣの実行期間に設けられた示唆演出Ｄ実行期間）において示唆演出Ｄが実行される可能性がある。この場合、高示唆演出として、図２５の（Ｄ）に示す、帯状の画像（「うおー！」と表示されている画像）の背景を桜柄に変更した画像の表示が実行される。また、低示唆演出として、図２５の（Ｃ）に示す、帯状の画像の背景を赤色に変更した画像の表示が実行される。
【０３６１】
この変形例で画像表示装置５の表示領域に表示されるストーリーＥ１からＥ３、スーパーリーチＢ、及び、示唆演出ＥからＧの例について説明する。例えば、１回目の可変表示においてストーリーＥ１が実行され、２回目の可変表示においてストーリーＥ２が実行され、３回目の可変表示においてストーリーＥ３及びスーパーリーチＢが実行される。この場合、例えば、画像表示装置５の表示領域には、ストーリーＥ１として、図２３（２−ｂ）の画像が表示され、ストーリーＥ２として、図２３（２−ｅ）の画像が表示され、ストーリーＥ３として、図２３（２−ｈ）の画像が表示され、スーパーリーチＢとして、図２４の（２−ｉ）から（２−ｏ）の画像が表示され（可変表示結果が「大当り」の場合）、又は、図２２の（２−ｉ）から（２−ｍ）、（２−ｐ）から（２−ｑ）の画像が表示される（可変表示結果が「ハズレ」の場合）。
【０３６２】
また、示唆演出の実行内容（実行パターン）が決定されている場合には、決定された実行パターンに従って示唆演出ＥからＧが適宜実行される。
【０３６３】
図２４の（２−ｋ）の段階（３回目の可変表示におけるスーパーリーチＢの実行期間に設けられた示唆演出Ｅ実行期間）において示唆演出Ｅが実行される可能性がある。そして、高示唆演出として、図２５の（Ｆ）に示す、背景を桜柄に変更した画像の表示が実行される。また、低示唆演出として、図２５の（Ｅ）に示す、背景を赤色に変更した画像の表示が実行される。
【０３６４】
図２４の（２−ｌ）の段階（３回目の可変表示におけるスーパーリーチＢの実行期間に設けられた示唆演出Ｆ実行期間）において示唆演出Ｆが実行される可能性がある。この場合、高示唆演出として、図２５の（Ｈ）に示す、岩の画像を桜柄に変更した画像の表示が実行される。また、低示唆演出として、図２５の（Ｇ）に示す、岩の画像を赤色に変更した画像の表示が実行される。
【０３６５】
図２４の（２−ｍ）の段階（３回目の可変表示におけるスーパーリーチＢの実行期間に設けられた示唆演出Ｇ実行期間）において示唆演出Ｇが実行される可能性がある。この場合、高示唆演出として、図２５の（Ｊ）に示す、帯状の画像（「どりゃー！」と表示されている画像）の背景を桜柄に変更した画像の表示が実行される。また、低示唆演出として、図２５の（Ｉ）に示す、帯状の画像（「どりゃー！」と表示されている画像）の背景を赤色に変更した画像の表示が実行される。
【０３６６】
この変形例では、パチンコ遊技機１は、遊技の進行に応じて、遊技者に特典（ここでは、大当り遊技状態）を付与する遊技機であって、遊技者に特典を付与するか否かを決定し、前記の決定結果に基づいて各々を識別可能な複数種類の飾り図柄の可変表示を実行し、前記の決定結果に基づいて複数回の可変表示に亘って第１の特定演出（例えば、演出Ｄ１からＤ３、演出Ｆ１からＦ３など）または第１の特定演出とは異なる第２の特定演出（例えば、ストーリーＥ１からＥ３など）を実行可能であり、特典が付与されるか否かの可能性を示唆する示唆演出を前記の決定結果に基づいて実行する。そして、第１の特定演出が実行されているときは示唆演出を実行可能であり、第２の特定演出が実行されているときは示唆演出を実行不可能である。さらに、第１の特定演出の実行終了直後から始まる第１の期間（ここでは、スーパーリーチＡ又はＣの実行期間（第２示唆演出期間）など）中よりも第２の特定演出の実行終了直後から始まる第２の期間（ここでは、スーパーリーチＢの実行期間（第３示唆演出期間）など）中の方が高い割合で示唆演出を実行する。第１の特定演出は、例えば、可変表示ごとに一定の関連性を有している演出（登場キャラクターが同じなど）が集まったものであればよく、内容が連続している演出でなくてもよい。第１の特定演出は、例えば、可変表示ごとに個々に独立した演出であってもよい。
【０３６７】
上記構成によれば、第１期間よりも第２期間の方が、特典が付与される期待感を煽りやすいので、第２の特定演出が実行された場合であっても（つまり、示唆演出が実行できない期間があったとしても）、例えば、第１の特定演出が実行された場合（示唆演出が実行できない期間がない場合）と同様に前記期待感を煽ることができるので、遊技への興趣の低下を軽減又は防止できる。第１の期間中よりも第２の期間中の方が高い割合で示唆演出を実行するとは、例えば、大当り遊技状態に制御される場合（特典が付与される場合）又はされない場合（特典が付与されない場合）であるかに関わらず、示唆演出ＥからＧの少なくともいずれかを実行する確率が示唆演出Ｄを実行する確率よりも高いものであればよい。なお、第１の期間や第２の期間にて示唆演出を実行可能なポイントが複数の場合には、前記確率は、例えば、複数のポイントの少なくともいずれかで示唆演出を実行する確率（１回以上示唆演出を実行する確率）であってもよい。
【０３６８】
また、この変形例のように、第１の特定演出としての演出Ｆ１からＦ３の大当り期待度は、第２の特定演出としてのストーリーＥ１からＥ３の大当り期待度よりも高くなすることで、第２の特定演出が実行されている場合に、特典が付与されると決定されている可能性が低くなるが、その後の第２の期間では、示唆演出は実行されやすいので、第２の特定演出が実行された場合の第２の期間にも特典の付与への期待感を煽ることができる。
【０３６９】
また、この変形例のように、第１の特定演出及び第２の特定演出が実行されるときの可変表示の回数が同じであるときに、第１の期間中よりも第２の期間中の方が高い割合で示唆演出を実行するので、上記と同様に、遊技への興趣の低下を軽減又は防止できる。
【０３７０】
また、この変形例のように、第１の期間中よりも前記第２の期間中の方が、示唆演出が実行されることが可能なタイミングの数が多いことによって、特典の付与への期待感を煽るポイントが多くなり、例えば、第１の特定演出が実行された場合と同様に、特典の付与への期待感を煽ることができ、遊技への興趣の低下を軽減又は防止できる。
【０３７１】
（変形例５）
なお、上記実施の形態と変形例４とを組み合わせてもよい。例えば、前記第１の特定演出又は第２の特定演出のうちのいずれかを、再可変表示が行われる１回の可変表示中（例えば、擬似連中）に実行される演出（例えば、演出Ａ１からＡ３、ストーリーＢ１からＢ３、演出Ｃ１からＣ３など）としてもよい。つまり、前記第１の特定演出又は第２の特定演出のうちのいずれかを、可変表示を開始してから表示結果が導出表示されるまでの間に特定表示結果とは異なる非特定表示結果を仮停止表示してから可変表示を再度実行する再可変表示を１回以上行って（擬似連を行って）その後に可変表示がリーチ状態になる可変表示において、可変表示開始からリーチ状態になるまでの間に可変表示及び１回以上の再可変表示にわたって行われる演出としてもよい。このような変形例であっても、上記と同様の効果が適宜得られる。
【０３７２】
（変形例６）
また、擬似連において、可変表示開始から再可変表示開始までに実行される演出（演出Ａ１、Ｃ１、ストーリーＢ１などの擬似連演出）における、可変表示開始からの所定期間の演出と、擬似連以外の変動パターン（例えば、ＰＡ２−１、ＰＡ３−１など）に基づいて実行される演出（非擬似連演出）における可変表示開始からの所定期間の演出と、を共通の演出態様にするとよい。
【０３７３】
演出Ａ１、Ｃ１、ストーリーＢ１などの擬似連演出が実行されても、その後に再可変表示が実行されない変動パターン（非擬似連演出の変動パターン）などを設けることによって、非擬似連演出としても演出Ａ１、Ｃ１、ストーリーＢ１などを用意し、非擬似連演出と擬似連演出とで共通の、演出Ａ１、Ｃ１、ストーリーＢ１が実行されうるようにしてもよい。
【０３７４】
また、非擬似連演出と擬似連演出とで共通の演出を用意し、演出Ａ１、Ｃ１、ストーリーＢ１以降の演出は、１回目以降の再可変表示から順次実行するようにしもてよい。
【０３７５】
このように、ＰＡ２−１、ＰＡ３−１などの非再可変表示パターン（ここでは、ＰＡ２−１、ＰＡ３−１など）を選択可能とし、非再可変表示パターンにて実行する可変表示における可変表示開始からの所定期間と、再可変表示パターン（ここでは、ＰＡ２−２から２−４、ＰＡ３−２から３−４）にて実行する可変表示における可変表示開始からの所定期間であって再可変表示前の所定期間と、で共通の態様の可変表示を実行することで、所定期間において共通の態様の演出が実行されるので、共通の態様の演出の実行時において、後に再可変表示が実行されることなどを遊技者は期待でき、遊技への興趣が向上する。
【０３７６】
（変形例７）
また、変形例４のように、複数回の可変表示にわたって、第１の特定演出や第２の特定演出が実行される場合、第１の特定演出や第２の特定演出に含まれる最初の連続演出における、可変表示開始から所定期間の演出と、１回の可変表示で終了する非連続演出（例えば、図３２のＰＡ１−４に基づいて、かつ、連続演出でない場合に実行される演出）における、可変表示開始から所定期間の演出と、を共通の演出態様にするとよい。
【０３７７】
非連続演出としても演出Ｄ１、演出Ｆ１、ストーリーＥ１などを用意し、非連続演出と連続演出とで共通の、演出Ｄ１、演出Ｆ１、ストーリーＥ１が実行されうるようにしてもよい。
【０３７８】
また、非連続演出と連続演出とで共通の演出を用意し、演出Ｄ１、演出Ｆ１、ストーリーＥ１以降の演出は、２回目の可変表示以降で順次実行するようにしもてよい。
【０３７９】
このように、第１の特定演出又は第２の特定演出を実行するときの最初の前記可変表示における可変表示開始からの所定期間と、第１の特定演出及び第２の特定演出を実行しない可変表示における可変表示開始からの所定期間とで、同じ態様の演出を実行することで、所定期間において共通の態様の演出が実行されるので、共通の態様の演出の実行時において、後に複数回の可変表示にわたる特定演出の実行などを遊技者は期待でき、遊技への興趣が向上する。
【０３８０】
（変形例８）
また、飾り図柄の可変表示には、リーチ演出やリーチ前演出が含まれると捉えても良い。この場合の可変表示についての可変表示パターン（再可変表示パターン含む。）は、可変表示全体を特定するパターン（演出制御パターンなど）になる。また、複数種の擬似連（再可変表示パターン）は、飾り図柄の変動以外の部分に係る演出態様が異なっていればよく飾り図柄自体の変動の仕方は少なくとも一部が共通であっても全てが異なっても良い。また、飾り図柄の可変表示中において、飾り図柄以外の画像（リーチ演出やリーチ前演出の画像）を表示するために、変動している飾り図柄を所定期間表示しないようにし、その後に再度飾り図柄を表示するようにしてもよい。つまり、飾り図柄は、飾り図柄の可変表示中において、ずっと表示されている必要はない。
【０３８１】
（変形例９）
これらの他にも、パチンコ遊技機１といった遊技機の装置構成、データ構成、フローチャートで示した処理、所定の入賞装置に進入した遊技球の個数に対応して異なる遊技価値を付与するための遊技制御または演出制御を含めた各種の制御内容などは、本発明の趣旨を逸脱しない範囲で、任意に変更及び修正が可能である。
【０３８２】
（変形例１０）
なお、擬似連ＡからＣのいずれかが実行されたあとに実行されるスーパーリーチは、適宜のものであってもよい。例えば、擬似連ＡからＣのいずれかが実行されたあとには、スーパーリーチＡからＣのいずれかが実行されればよい。例えば、擬似連Ｂの後にスーパーリーチＡやＣが実行されたり、擬似連ＡやＣの後にスーパーリーチＢが実行されたりしてもよい。これによって、演出が多様になり、遊技への興趣が向上する。また、上記の実施形態では、擬似連ＡからＣいずれにおいても、再可変表示回数が実行可能な最大数に達したときに可変表示結果が「大当り」になり得るが、再可変表示回数が実行可能な最大数に達しないときでも可変表示結果を「大当り」としてもよい。例えば、再可変表示が１回のみであっても、可変表示結果が「大当り」になってもよい。これによって、演出が多様になり、遊技への興趣が向上する。
【０３８３】
（変形例１１）
パチンコ遊技機１は、遊技者に賞球となる遊技球が払い出され、払い出された遊技球（貸し球の場合もある）を遊技領域に発射して遊技が行われる遊技機であってもよいし、遊技に使用するための得点が付与されて、この得点を使用してパチンコ遊技機１の内部に封入された遊技球を遊技領域に打ち込んで遊技が行われる遊技機であってもよい。すなわち、遊技領域に設けられた始動領域を遊技媒体が通過したことに基づいて、各々が識別可能な複数種類の識別情報の可変表示を行い表示結果を導出する可変表示手段に予め定められた特定表示結果が導出されたときに、遊技者にとって有利な特定遊技状態に制御する遊技機において、所定の遊技に用いられる得点が０でないときに、この得点を使用して遊技機内に封入された遊技媒体を遊技領域に打ち込んで遊技が行われ、遊技媒体の打ち込みに応じて得点が減算され、遊技領域に設けられた入賞領域を遊技媒体が通過（進入）することに応じて得点を加算する遊技機にも本発明を適用できる。こうした遊技機は、得点の加算に使用可能な遊技用価値の大きさを特定可能な情報が記録された遊技用記録媒体を挿入するための遊技用記録媒体挿入口と、遊技用記録媒体挿入口に挿入された遊技用記録媒体の記録情報を読み出す遊技用記録媒体処理手段を備えてもよい。
【０３８４】
（変形例１２）
なお、本発明（特に変形例５）は、様々な装置に適用できる。特に、遊技の進行に応じて、遊技者に特典を付与する遊技機であって、前記遊技者に特典を付与するか否かを決定する特典付与決定手段と、各々を識別可能な複数種類の識別情報の可変表示を実行する可変表示手段と、前記特典付与決定手段の決定結果に基づいて、前記可変表示手段によって実行される複数回の前記可変表示に亘って第１の特定演出または前記第１の特定演出とは異なる第２の特定演出を実行可能な特定演出実行手段と、前記特典が付与されるか否かの可能性を示唆する示唆演出を前記特典付与決定手段の決定結果に基づいて実行する示唆演出実行手段と、備える遊技機に適用できる。
【０３８５】
なお、特典とは、遊技を行うために用いる遊技用価値（例えば、掛けられた遊技メダル枚数、打ち込まれた遊技球など）に対し、遊技者に付与される遊技用価値の占める付与割合（例えば、遊技メダルの払出率、遊技球の払出率など）に直接影響を与える価値（例えば、遊技者にとって有利な、ＡＴゲーム、ボーナス、大当り遊技状態、確変状態など）であってもよく、また、遊技の進行上、遊技者にとって有益な価値（例えば、確定演出、プレミアム演出など）であってもよい。遊技機が特典を遊技者に付与するとは、遊技機が、ＡＴゲーム、ボーナス、大当り遊技状態、確変状態などを実行したり、確定演出、プレミアム演出などを実行したりすることを含む。
【０３８６】
上記の遊技機としては、例えば、スロットマシンがある。スロットマシンは、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされたものである。以下、このようなスロットマシンの一例を図４１及び４２を参照して説明する。
【０３８７】
図４１は、スロットマシン５００の正面図であり、主要部材のレイアウトを示す。スロットマシン５００は、大別して、前面が開口する筐体と、この筐体の側端に回動自在に枢支された前面扉とから構成されている。スロットマシン５００の筐体内部には、外周に複数種の図柄が配列されたリールＲＬ、ＲＣ、ＲＲを水平方向に並設した可変表示装置５０１が設置されている。リールＲＬ、ＲＣ、ＲＲの外周部には、例えば「赤７」、「白７」、「ＢＡＲ」、「ＪＡＣ」、「スイカ」、「チェリー」、「ベル」といった、互いに識別可能な複数種類の図柄が所定の順序で描かれている。リールＲＬ、ＲＣ、ＲＲの外周部に描かれた図柄は、各々上中下三段に表示されている。
【０３８８】
各リールＲＬ、ＲＣ、ＲＲは、各々対応して設けられたリールモータ６５１Ｌ、６５１Ｃ、６５１Ｒ（図４２）によって回転させることで、各リールＲＬ、ＲＣ、ＲＲの図柄が連続的に変化しつつ表示されるとともに、各リールＲＬ、ＲＣ、ＲＲの回転を停止させることで、３つの連続する図柄が表示結果として導出表示されるようになっている。また、スロットマシン５００の前面扉には、パチンコ遊技機１の画像表示装置５と同様の表示機能を有する画像表示装置５１０が設けられている。スロットマシン５００の前面扉における可変表示装置５０１の下部などには、遊技者が各種の操作を行うための各種入力スイッチ等が配される操作テーブル５２０が設けられている。
【０３８９】
操作テーブル５２０の奥側には、スロットマシン５００において遊技媒体となるメダルを投入して収納可能なメダル投入口５０２、メダルを１枚分の賭数を設定（ＢＥＴ）するためのＢＥＴスイッチ５０３、１ゲームで賭けることのできる最高枚数分（本例では３枚分）の賭数を設定するためのＭＡＸＢＥＴスイッチ５０４、クレジット（遊技者所有の遊技用価値として記憶されているメダル数）として記憶されているメダル及び賭数の設定に用いたメダルを精算するための精算スイッチ５０８が設けられている。メダル投入口５０２に投入されたメダルは、所定の投入メダルセンサによって検知される。
【０３９０】
操作テーブル５２０の手前側には、スロットマシン５００にてゲームを開始する際に操作されるスタートレバー５０５、リールＲＬ、ＲＣ、ＲＲの回転を各々停止する際に操作されるストップスイッチ５０６Ｌ、５０６Ｃ、５０６Ｒが設けられている。操作テーブル５２０の下部には、メダルが払い出されるメダル払出口５０７が設けられている。
【０３９１】
スロットマシン５００の前面扉における可変表示装置５０１の下部といった所定位置には、スロットマシン５００での遊技に関する各種の情報を表示するための遊技情報表示部が設けられている。例えば、遊技情報表示部は、クレジットとして記憶されているメダル枚数が表示されるクレジット表示器や、ビッグボーナス中のメダルの獲得枚数やエラー発生時にその内容を示すエラーコード等が表示される補助表示器、入賞の発生により払い出されたメダル枚数が表示されるペイアウト表示器などを備えていればよい。
【０３９２】
スロットマシン５００の上部左右には、効果音を発する２つのスピーカ５１１Ｌ、５１１Ｒが設けられている。画像表示装置５１０や可変表示装置５０１の左右には、遊技効果ランプ５１３、５１４が設けられている。
【０３９３】
スロットマシン５００においてゲームを行う場合には、まず、メダルをメダル投入口５０２から投入するか、あるいはクレジットを使用して賭数を設定する。クレジットを使用するにはＢＥＴスイッチ５０３またはＭＡＸＢＥＴスイッチ５０４を操作する。こうして賭数が設定されると、賭数に応じた複数の入賞ラインのいずれかが有効となり、スタートレバー５０５の操作が有効な状態、すなわち、ゲームが実行可能な状態となって、可変表示の実行条件が成立する。なお、前回のゲームにてリプレイなどの再遊技役の入賞が発生した場合にも、続けて次のゲームが実行可能となり、可変表示の実行条件が成立する。
【０３９４】
こうしてゲームが実行可能な状態でスタートレバー５０５が操作されると、その操作がスタートレバースイッチ５０５Ａ（図４１）により検知されたことに基づき、可変表示の開始条件が成立したことに対応して、各リールＲＬ、ＲＣ、ＲＲが回転し、各リールＲＬ、ＲＣ、ＲＲの図柄が連続的に変動する。この状態でいずれかのストップスイッチ５０６Ｌ、５０６Ｃ、５０６Ｒが操作されると、対応するリールＲＬ、ＲＣ、ＲＲの回転が停止し、表示結果が視認可能に導出表示される。そして、全てのリールＲＬ、ＲＣ、ＲＲの回転が停止されることで１ゲームが終了し、有効化されたいずれかの入賞ライン上に予め定められた役と呼ばれる図柄の組合せが各リールＲＬ、ＲＣ、ＲＲの表示結果として停止した場合には入賞が発生する。
【０３９５】
入賞となる役の種類には、大別して、メダルの付与を伴う小役と、賭数の設定を必要とせずに次のゲームを開始可能となる再遊技役と、遊技状態の移行を伴う特別役とがあり、遊技状態に応じて入賞となる役が定められている。スロットマシン５００では、スタートレバー５０５が操作されたタイミングで抽出した乱数値に基づき、遊技状態に応じて定められた各役の入賞の発生を許容するか否かを決定する内部抽選（特典を付与するか否かの事前決定）を行う。この内部抽選に当選して入賞の発生が許容されていることを、「内部当選している」ともいう。
【０３９６】
各役の当選のうち、小役及び再遊技役の当選は、その当選が決定されたゲームにおいてのみ有効とされるが、特別役の当選は、その内部抽選により発生が許容された役が揃うまで有効とされる。すなわち特別役となる入賞の発生が一度許容されると、例え、各ゲームにて特別役となる入賞を発生させることができなかった場合でも、その当選は次のゲームへ持ち越されることになる。
【０３９７】
スロットマシン５００における遊技状態には、例えばレギュラーボーナス、ビッグボーナス、通常遊技状態がある。レギュラーボーナスの遊技状態では、例えばＪＡＣ、チェリー、スイカ及びベルなどの小役が、入賞となる役として定められており、内部抽選での抽選対象とされる。ビッグボーナスでは、所定の小役ゲームにおいて、例えばチェリー、スイカ及びベルなどの小役や、レギュラーボーナス（あるいはＪＡＣＩＮ）などの特別役が、入賞となる役として定められており、各小役ゲームにおける内部抽選での抽選対象とされる。通常遊技状態では、例えばチェリー、スイカ及びベルなどの小役や、リプレイなどの再遊技役、ビッグボーナス、レギュラーボーナスなどの特別役が、入賞となる役として予め定められており、各ゲームにおける内部抽選での抽選対象とされる。
【０３９８】
通常遊技状態においてビッグボーナスとなる特別役の入賞が発生すると、遊技状態がビッグボーナスに移行する。ビッグボーナスでは、小役ゲームと称される所定のゲームを行うことができる。ビッグボーナスは、当該ビッグボーナス中において遊技者に付与したメダルの総数が規定枚数（例えば４６６枚）以上となった場合に終了する。通常遊技状態やビッグボーナス中の小役ゲームにおいてレギュラーボーナスとなる特別役の入賞が発生すると、遊技状態がレギュラーボーナスに移行する。
【０３９９】
レギュラーボーナスは、１２ゲーム消化した場合と、８ゲーム入賞（役の種類はいずれでもよい）した場合のいずれか早いほうで終了する。通常遊技状態時のレギュラーボーナスでは、遊技者に付与したメダルの総数が規定枚数以上となったときに、レギュラーボーナスを終了させるようにしてもよい。ビッグボーナス中のレギュラーボーナスで当該ビッグボーナス中において遊技者に付与したメダルの総数が規定枚数以上となった場合は、ビッグボーナスとともに当該レギュラーボーナスも終了する。
【０４００】
スロットマシン５００では、遊技状態がレギュラーボーナスやビッグボーナスなどの特別遊技状態に移行している場合に、通常遊技状態よりも多くのメダルを遊技者が獲得でき、通常遊技状態よりも遊技者にとって有利な遊技状態となる。なお、特別遊技状態はレギュラーボーナスやビッグボーナスなどに限らず、通常遊技状態に比べて遊技者が多くのメダルを獲得することが期待でき、通常遊技状態よりも遊技者にとって有利度が高い遊技状態であればよい。
【０４０１】
このような通常遊技状態よりも遊技者にとって有利度が高い遊技状態としては、例えば、リールの導出条件（例えば停止順や停止タイミング）が満たされることを条件に発生する報知対象入賞の導出条件を満たす操作手順が報知される遊技状態（いわゆるアシストタイム）や、少なくともいずれか１つのリールの引込範囲を制限することで、ストップスイッチ５０６Ｌ、５０６Ｃ、５０６Ｒが操作された際に表示されている図柄が停止しやすいように制御し、遊技者が目押しを行うことで入賞図柄の組合せを導出させることが可能となるチャレンジタイム（ＣＴ）、特定の入賞（例えばリプレイ入賞やシングルボーナス入賞等）の発生が許容される確率が高まる遊技状態（いわゆるリプレイタイムや集中状態）等、さらには、これらを組み合わせた遊技状態などであればよい。
【０４０２】
加えて、リプレイタイムとなった後、所定の転落役に当選して該転落役に対応する終了図柄組合せが導出されることによりリプレイタイムを終了させる場合に、リプレイタイムとなってから終了図柄組合せが導出されることなく所定数のゲームを消化したことを条件として、転落役に当選したときに当該転落役を回避するための情報を報知する報知期間（ＡＲＴ）に制御してもよい。あるいは、ビッグボーナスやレギュラーボーナスが終了した後、直ちにＡＲＴへの制御が開始されてもよい。
【０４０３】
スロットマシン５００には、例えば図４２に示すような主基板６００、演出制御基板６２０、リールユニット６５０などが搭載されている。その他にも、スロットマシン５００には、主基板６００に接続された電源基板や中継基板等の他の基板も搭載されている。
【０４０４】
主基板６００には、遊技制御用マイクロコンピュータ６１０が設けられている。遊技制御用マイクロコンピュータ６１０は、上記実施の形態における遊技制御用マイクロコンピュータ１００と同様に、プログラムに従った制御を行うＣＰＵ、ユーザプログラムやデータを記憶するＲＯＭ、ワークエリアとしてＣＰＵにより使用されるＲＡＭなどを備えて構成されている。リールユニット６５０は、リールモータ６５１Ｌ、６５１Ｃ、６５１Ｒ、リールランプ６５２、リールセンサ６５３などを備えて構成される。リールモータ６５１Ｌ、６５１Ｃ、６５１Ｒは、各リールＲＬ、ＲＣ、ＲＲを回転させるためのモータである。リールランプ６５２は、各リールＲＬ、ＲＣ、ＲＲの内部に設けられ、各リールＲＬ、ＲＣ、ＲＲに描かれた図柄のうち、可変表示装置５０１にて視認可能となる図柄をリールの内側から照射するためのランプである。リールセンサ６５３は、各リールＲＬ、ＲＣ、ＲＲの回転状態や回転数などを検知するためのセンサである。
【０４０５】
演出制御基板６２０には、演出制御用ＣＰＵ６３０や、表示制御部６３１、音制御部６３２、ランプ制御部６３３などが搭載されていればよい。なお、図２に示すパチンコ遊技機１の構成と同様に、音声制御基板やランプ制御基板を演出制御基板６２０とは別個に設け、音制御部６３２の機能を音声制御基板に搭載された各種回路により実現し、ランプ制御部６３３の機能をランプ制御基板に搭載された各種回路により実現してもよい。
【０４０６】
演出制御用ＣＰＵ６３０は、上記実施の形態における演出制御用ＣＰＵ１２０と同様に、プログラムに従った制御を行う。表示制御部６３１は、画像表示装置５１０における表示動作の制御を行うものであり、上記実施の形態における表示制御部１２３と同様に、演出制御用ＣＰＵ６３０からの表示制御指令に従った画像データの処理を実行する画像処理プロセッサや、画像表示装置５１０の画面上に画像を表示させるために使用される各種の画像データなどを記憶する画像処理用データメモリを備えて構成される。
【０４０７】
演出制御用ＣＰＵ６３０では、主基板６００から受信した演出制御コマンドに基づく演出制御パターンに従って画像表示装置５１０やスピーカ５１１Ｌ、５１１Ｒ、遊技効果ランプ５１２〜５１４などによる演出動作を制御するための指令や処理が実行される。画像表示装置５１０の画面上には、例えば上記実施の形態における画像表示装置５における「左」、「中」、「右」の飾り図柄表示エリアと同様にして、「左」、「中」、「右」の可変表示部が設けられ、例えば演出制御用ＣＰＵ６３０が上記実施の形態における可変表示中演出処理と同様の処理を実行することにより、可変表示装置５０１における図柄の可変表示に対応して、各々が識別可能な複数種類の飾り図柄が可変表示されてもよい。あるいは、画像表示装置５１０の表示領域では飾り図柄の可変表示が実行されず、可変表示装置５０１における図柄の可変表示などに対応した演出画像の表示が行われるようにしてもよい。
【０４０８】
可変表示装置５０１における図柄の可変表示が開始された後に、例えばストップスイッチ５０６Ｌが操作されたことによりリールＲＬの回転を停止させ、続いて、ストップスイッチ５０６Ｃが操作されることによりリールＲＣの回転を停止させる。このとき、可変表示装置５０１では、リールＲＬの停止により導出表示された図柄と、リールＲＣの停止により導出表示された図柄とが、いずれかの入賞ライン上でビッグボーナスとなる特別役の入賞を発生可能な組合せを構成するものとする。このとき、例えばビッグボーナスやレギュラーボーナスのような特別役といった、内部抽選により所定の役に内部当選したことを特典が付与されたことにしてもよく、これに基づく可変表示を、内部当選していない場合の可変表示よりも遊技者にとって有利度が高い特典付与としてもよい。
【０４０９】
あるいは、複数種類の特別役のうちに、入賞の発生に基づいて移行した遊技状態を終了させる条件の１つとなる遊技媒体（例えばメダルなど）の付与数量が第１数量（例えば「２００」）となる第１特別役（例えば青色の「７」が揃うことによるビッグボーナス）と、第１数量よりも多い第２数量（例えば「３００」）となる第２特別役（例えば赤色の「７」が揃うことによるビッグボーナス）とがあり、第２特別役に内部当選したことを特典が付与されたこととしてもよい。入賞が発生するまでの可変表示を、第１特別役に内部当選してから入賞が発生するまでの可変表示よりも遊技者にとって有利度が高い特典付与としてもよい。
【０４１０】
あるいは、リールＲＬ、ＲＣ、ＲＲの回転に伴う図柄の可変表示を実行可能な上限回数が第１回数（例えば「５０」）となる第１ＡＲＴと、その上限回数が第１回数よりも多い第２回数（例えば「１５０」）となる第２ＡＲＴのいずれかに制御可能とし、第２ＡＲＴに制御すると決定されたことを特典が付与されたこととしてもよい。また、これに基づく可変表示を、第１ＡＲＴに制御すると決定されたことに基づく可変表示よりも遊技者にとって有利度が高い特典付与としてもよい。
【０４１１】
あるいは、ＡＲＴ中における所定当選役（例えば再遊技役）などに基づく継続抽選確率が第１確率（例えば５０％）となる第１ＡＲＴと、その継続抽選確率が第１確率よりも高い第２確率（例えば８０％）となる第２ＡＲＴのいずれかに制御可能とし、第２ＡＲＴに制御すると決定されたことを特典が付与されたこととしてもよい。また、これに基づく可変表示を、第１ＡＲＴに制御すると決定されたことに基づく可変表示よりも遊技者にとって有利度が高い特典付与としてもよい。
【０４１２】
あるいは、ＡＲＴ中において情報報知が可能になる可変表示のセット数（例えば１セットは５０ゲームや１５０ゲームなどから抽選）を示す貯留数（ストック数）が第１貯留数（例えば「５」）である場合と、第１貯留数よりも多い第２貯留数（例えば「１０」）である場合とがあり、第２貯留数に決定されたことであることを特典が付与されたこととしてもよい。また、これに基づく可変表示を、第１貯留数に決定されたことに基づく可変表示よりも遊技者にとって有利度が高い特典付与としてもよい。
【０４１３】
あるいは、リプレイタイム中やＡＲＴ中であることを特典が付与されたこととしてもよい。また、リプレイタイム中やＡＲＴ中における図柄の可変表示を、通常遊技状態における図柄の可変表示よりも遊技者にとって有利度が高い特典付与としてもよい。また、図柄の可変表示を実行可能な上限回数が第１回数（例えば「５０」）となる第１ＡＲＴと、その上限回数が第１回数よりも多い第２回数（例えば「１５０」）となる第２ＡＲＴのいずれかに制御可能とし、第２ＡＲＴ中であることを特典が付与されたこととしてもよい。また、第２ＡＲＴ中に実行される可変表示を、第１ＡＲＴ中に実行される可変表示よりも遊技者にとって有利度が高い特典付与としてもよい。継続抽選確率が第１確率（例えば５０％）となる第１ＡＲＴと、その継続抽選確率が第１確率よりも高い第２確率（例えば８０％）となる第２ＡＲＴのいずれかに制御可能とし、第２ＡＲＴ中であることを特典が付与されたこととしてもよい。また、第２ＡＲＴ中に実行される可変表示を、第１ＡＲＴ中に実行される可変表示よりも遊技者にとって有利度が高い有利遊技としてもよい。ＡＲＴ中における残りストック数が第１貯留数（例えば「５」）よりも多い第２貯留数（例えば「１０」）であることを特典が付与されたこととしてもよい。また、このときに実行される可変表示を、第１貯留数であるときに実行される可変表示よりも遊技者にとって有利度が高い有利遊技としてもよい。すなわち、複数種類の遊技状態のうちに、所定の遊技状態よりも遊技者にとって有利度が高い遊技状態を設けてもよい。
【０４１４】
演出制御用ＣＰＵ６３０は、画像表示装置５１０の表示領域などを用いて、上記の可変表示や演出画像の表示などをすることによって、パチンコ遊技機１と同様に、内部当選させるか（特典を付与するか）などの決定結果に基づいて、第１の特定演出（例えば、複数ゲームにわたって実行される図４３（Ａ）の演出Ｇ１からＧ３であり、演出Ｆ１からＦ３などに対応する演出である）、第２の特定演出（例えば、複数ゲームにわたって実行される図４３（Ａ）の演出Ｅ１からＥ３であり、ストーリーＥ１からＥ３などに対応する演出である）、示唆演出などを実行する。特に、第２の特定演出が実行されると内部当選した確率が第１の特定演出を実行した場合よりも低くなるように、第１の特定演出、第２の特定演出を実行する。示唆演出は、パチンコ遊技機１と同様に、第１の特定演出の実行中（第１示唆演出期間）において実行され、第２の特定演出の実行中においては実行されない。また、第１の特定演出後の第１の期間（例えば、次回を含む１以上のゲームの実行期間、第２示唆演出期間）には、スーパーリーチＣに対応する連続演出Ａが実行される。この連続演出Ａの実行中にも、示唆演出が実行される。第２の特定演出後の第２の期間（例えば、次回を含む１以上のゲームの実行期間、第３示唆演出期間）には、スーパーリーチＢに対応する連続演出Ｂが実行される。この連続演出Ｂの実行中にも、示唆演出が実行される。示唆演出の実行は、パチンコ機１と同様である。つまり、演出Ｇ１からＧ３それぞれにおいて、示唆演出ＡからＣが実行可能であり、連続演出Ａにおいて、示唆演出Ｄが実行可能であり、連続演出Ｂにおいて、示唆演出ＥからＧが実行可能である。パチンコ機１と同様に、第２の期間の方が第１の期間よりも示唆演出を実行し易くすることで（例えば、上記の決定結果に関わらず、示唆演出ＥからＧの少なくともいずれかを実行する確率が示唆演出Ｄを実行する確率よりも高いものであればよい。なお、なお、第１の期間や第２の期間にて示唆演出を実行可能なポイントが複数の場合には、前記確率は、例えば、複数のポイントの少なくともいずれかで示唆演出を実行する確率（１回以上示唆演出を実行する確率）であってもよい。）、上記パチンコ機１と同様の効果を得ることができる。その他、パチンコ機１と同様の演出を行わせることによって、パチンコ機１と同様の効果を適宜得ることができる。このように、スロットマシン５００であっても、パチンコ機１と同様に様々な演出を行うことができ、上記と同様の効果が適宜得られることになる。なお、上記のような各連続演出（演出Ｇ１からＧ３それぞれ、連続演出Ａ、ストーリーＥ１からＥ３それぞれ、連続演出Ｂ）は、例えば、何ゲーム後（例えば、３ゲーム後）に内部当選させるかなどの決定結果に基づいて、複数ゲームについて連続演出の実行の有無や内容などを決めるとよい。
【０４１５】
例えば、１ゲーム目（スタートレバー５０５が操作の操作後）に図２１（１−ｂ）の画像が画像表示装置５１０の表示領域に表示され（演出Ｇ１）、２ゲーム目（スタートレバー５０５が操作の操作後）に図２１（１−ｅ）の画像が画像表示装置５１０の表示領域に表示され（演出Ｇ２）、３ゲーム目（スタートレバー５０５が操作の操作後）に図２１（１−ｈ）の画像が画像表示装置５１０の表示領域に表示され（演出Ｇ３）、４ゲーム目（スタートレバー５０５が操作の操作後）以降に図２２（１−ｊ）から（１−ｍ）の画像が画像表示装置５１０の表示領域に表示され、最後に、内部当選があったか否かに応じて、図２１（１−ｎ）が表示されるか（内部当選有り）、図２１（１−ｐ）が表示される（内部当選無し）（連続演出Ａ）。
【０４１６】
例えば、１ゲーム目（スタートレバー５０５が操作の操作後）に図２３（２−ｂ）の画像が画像表示装置５１０の表示領域に表示され（ストーリーＨ１）、２ゲーム目（スタートレバー５０５が操作の操作後）に図２３（２−ｅ）の画像が画像表示装置５１０の表示領域に表示され（ストーリーＨ２）、３ゲーム目（スタートレバー５０５が操作の操作後）に図２３（２−ｈ）の画像が画像表示装置５１０の表示領域に表示され、４ゲーム目以降に、図２４（２−ｋ）から（２−ｍ）の画像が画像表示装置５１０の表示領域に表示され、最後に、内部当選があったか否かに応じて、図２４（２−ｎ）が表示されるか（内部当選有り）、図２４（２−ｐ）が表示される（内部当選無し）。
【０４１７】
示唆演出も上記と同様に実行される。
【０４１８】
図２１（１−ｂ）の段階（１ゲーム目に設けられた示唆演出Ａ実行期間）において示唆演出Ａが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）のような、登場キャラクターのセリフ（「・・・」）の吹き出し画像に代えてセリフ１（「チャンスだよ！」）の吹き出し画像の表示が実行される。
【０４１９】
図２１の（１−ｅ）の段階（２ゲーム目に設けられた示唆演出Ｂ実行期間）において示唆演出Ｂが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０４２０】
図２１の（１−ｈ）の段階（３ゲーム目に設けられた示唆演出Ｃ実行期間）において示唆演出Ｃが実行される可能性がある。そして、高示唆演出として、図２５の（Ｂ）に示す、登場キャラクターのセリフ（「・・・」）の吹き出し画像に代えてセリフ２（「激アツだよ！」）の吹き出し画像の表示が実行される。また、低示唆演出として、図２５の（Ａ）に示す、登場キャラクターのセリフ（「・・・」）の吹き出し画像に代えてセリフ１（「チャンスだよ！」）の吹き出し画像の表示が実行される。
【０４２１】
図２２の（１−ｍ）の段階（連続演出Ａの実行期間に設けられた示唆演出Ｄ実行期間）において示唆演出Ｄが実行される可能性がある。この場合、高示唆演出として、図２５の（Ｄ）に示す、帯状の画像（「うおー！」と表示されている画像）の背景を桜柄に変更した画像の表示が実行される。また、低示唆演出として、図２５の（Ｃ）に示す、帯状の画像の背景を赤色に変更した画像の表示が実行される。
【０４２２】
図２４の（２−ｋ）の段階（連続演出Ｂの実行期間に設けられた示唆演出Ｅ実行期間）において示唆演出Ｅが実行される可能性がある。そして、高示唆演出として、図２５の（Ｆ）に示す、背景を桜柄に変更した画像の表示が実行される。また、低示唆演出として、図２５の（Ｅ）に示す、背景を赤色に変更した画像の表示が実行される。
【０４２３】
図２４の（２−ｌ）の段階（連続演出Ｂの実行期間に設けられた示唆演出Ｆ実行期間）において示唆演出Ｆが実行される可能性がある。この場合、高示唆演出として、図２５の（Ｈ）に示す、岩の画像を桜柄に変更した画像の表示が実行される。また、低示唆演出として、図２５の（Ｇ）に示す、岩の画像を赤色に変更した画像の表示が実行される。
【０４２４】
図２４の（２−ｍ）の段階（連続演出Ｂの実行期間に設けられた示唆演出Ｇ実行期間）において示唆演出Ｇが実行される可能性がある。この場合、高示唆演出として、図２５の（Ｊ）に示す、帯状の画像（「どりゃー！」と表示されている画像）の背景を桜柄に変更した画像の表示が実行される。また、低示唆演出として、図２５の（Ｉ）に示す、帯状の画像（「どりゃー！」と表示されている画像）の背景を赤色に変更した画像の表示が実行される。
【０４２５】
（変形例１３）
本発明を実現するためのプログラム及びデータは、パチンコ遊技機１といった遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０４２６】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０４２７】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
0005451734.tif 000002
【図２】
0005451734.tif 000003
【図３】
0005451734.tif 000004
【図４】
0005451734.tif 000005
【図５】
0005451734.tif 000006
【図６】
0005451734.tif 000007
【図７】
0005451734.tif 000008
【図８】
0005451734.tif 000009
【図９】
0005451734.tif 000010
【図１０】
0005451734.tif 000011
【図１１】
0005451734.tif 000012
【図１２】
0005451734.tif 000013
【図１３】
0005451734.tif 000014
【図１４】
0005451734.tif 000015
【図１５】
0005451734.tif 000016
【図１６】
0005451734.tif 000017
【図１７】
0005451734.tif 000018
【図１８】
0005451734.tif 000019
【図１９】
0005451734.tif 000020
【図２０】
0005451734.tif 000021
【図２６】
0005451734.tif 000022
【図２７】
0005451734.tif 000023
【図２８】
0005451734.tif 000024
【図２９】
0005451734.tif 000025
【図３０】
0005451734.tif 000026
【図３１】
0005451734.tif 000027
【図３２】
0005451734.tif 000028
【図３３】
0005451734.tif 000029
【図３４】
0005451734.tif 000030
【図３５】
0005451734.tif 000031
【図３６】
0005451734.tif 000032
【図３７】
0005451734.tif 000033
【図３８】
0005451734.tif 000034
【図３９】
0005451734.tif 000035
【図４０】
0005451734.tif 000036
【図４１】
0005451734.tif 000037
【図４２】
0005451734.tif 000038
【図４３】
0005451734.tif 000039
【図２１】
0005451734.tif 000040
【図２２】
0005451734.tif 000041
【図２３】
0005451734.tif 000042
【図２４】
0005451734.tif 000043
【図２５】
0005451734.tif 000044